(57)【要約】【課題】汎用性を高めることによって開発コスト又は調達コストを低減すること。【解決手段】割当に係る処理の一部を実行する実行部と、実行部から得られる情報に基づいて、サービスポリシーに応じた所望の割当となる処理を実行部に指示する指示部と、を備え、実行部と、指示部とは、ＡＰＩ（Application Programming Interface）を介して接続される通信装置。【選択図】図１
2017212707.tif 000002
【特許請求の範囲】
【請求項１】
割当に係る処理の一部を実行する実行部と、
前記実行部から得られる情報に基づいて、サービスポリシーに応じた所望の割当となる処理を前記実行部に指示する指示部と、
を備え、
前記実行部と、前記指示部とは、ＡＰＩ（Application Programming Interface）を介して接続される通信装置。
【請求項２】
前記指示部は、前記実行部の割当、割当結果、割当履歴、割当に伴うデータ導通、導通履歴、要求、要求履歴、外部装置からの情報及び外部装置からの情報の履歴の少なくともいずれかの情報のいずれかを検出し、検出した結果と、サービスポリシーとに基づいて所望の割当となる処理を前記実行部に指示する、請求項１に記載の通信装置。
【請求項３】
前記実行部は、準拠する規格、世代、方式、システム、機器種別、製造ベンダの少なくともいずれかに関して共通で利用可能な機能モジュールで構成される、請求項１又は２に記載の通信装置。
【請求項４】
前記実行部は、集積回路で構成される、請求項１〜３のいずれか一項に記載の通信装置。
【請求項５】
請求項１に記載の通信装置を用いた通信方法であって、
前記割当に係る処理の一部を前記実行部に実行させる実行ステップと、
前記実行部から得られる情報に基づいて、サービスポリシーに応じた所望の割当となる処理を前記実行部に指示させる設定方法。
【請求項６】
コンピュータを、請求項１に記載の通信装置に備わる各機能部として機能させるための通信プログラム。
【発明の詳細な説明】
【技術分野】
【０００１】
本発明は、通信装置、設定方法及び通信プログラムに関する。
【背景技術】
【０００２】
通信装置を備える通信システムには、例えば、ＰＯＮ（Passive Optical Network）システムがある。ＰＯＮシステムは、顧客の宅内等に設置されるＯＮＵ（Optical Network Unit）と、局舎に設置される通信装置であるＯＬＴ（Optical Line Terminal）と、光ファイバ網とを備える（非特許文献１参照）。光ファイバ網は、複数のＯＮＵと複数のＯＬＴとを接続する場合がある。
ＰＯＮでは、準拠する標準化の規格の世代の変化により、新世代の機器を調達する際に、前世代の機器開発での資産を活用することができなかった。新世代の機器を調達する際に、前世代の機器開発での資産を活用することができない場合、初めから機器開発しなおす大規模な再開発（二重開発）となる。また、機器調達不能となるリスクを回避するため、複数ベンダから機器を調達する必要があるが、準拠する標準規格に規定されていない部分はベンダ依存性があるため、同世代の機器でも二重開発となる。
【先行技術文献】
【非特許文献】
【０００３】
【非特許文献１】"ITU-T G.989.3"
【発明の概要】
【発明が解決しようとする課題】
【０００４】
ＯＬＴのＭＡＣ（Media Access Control）チップの割当等の機能を変更するためには、ＭＡＣチップ毎のソフトウェアをそれぞれ変更する必要があり、同一の機能を実現するためであっても、準拠する規格、世代、方式、システム、機器種別、製造ベンダによってそれぞれ変更しなければならないという問題があった。上記事情に鑑み、本発明は、ネットワーク機器において汎用性を高めることによって開発コスト又は調達コストを低減することを目的とする。
【課題を解決するための手段】
【０００５】
本発明の一態様は、割当に係る処理の一部を実行する実行部と、前記実行部から得られる情報に基づいて、サービスポリシーに応じた所望の割当となる処理を前記実行部に指示する指示部と、を備え、前記実行部と、前記指示部とは、ＡＰＩ（Application Programming Interface）を介して接続される通信装置である。
【０００６】
本発明の一態様は、上記の通信装置であって、前記指示部は、前記実行部の割当、割当結果、割当履歴、割当に伴うデータ導通、導通履歴、要求、要求履歴、外部装置からの情報及び外部装置からの情報の履歴の少なくともいずれかの情報のいずれかを検出し、検出した結果と、サービスポリシーとに基づいて所望の割当となる処理を前記実行部に指示する。
【０００７】
本発明の一態様は、上記の通信装置であって、前記実行部は、準拠する規格、世代、方式、システム、機器種別、製造ベンダの少なくともいずれかに関して共通で利用可能な機能モジュールで構成される。
【０００８】
本発明の一態様は、上記の通信装置であって、前記実行部は、集積回路で構成される。
【０００９】
本発明の一態様は、上記の通信装置を用いた通信方法であって、前記割当に係る処理の一部を前記実行部に実行させる実行ステップと、前記実行部から得られる情報に基づいて、サービスポリシーに応じた所望の割当となる処理を前記実行部に指示させる設定方法である。
【００１０】
本発明の一態様は、コンピュータを、上記の通信装置に備わる各機能部として機能させるための通信プログラムである。
【発明の効果】
【００１１】
本発明により、入出力ＩＦを定義し、汎用性・移植性・拡張性を高めて、開発コストや調達コストを低減することが可能になる。例えば、ネットワーク機器を構成する機能同士が密結合で、アプリケーションプログラミングインタフェース（ＡＰＩ：Application Programming Interface）等の入出力インタフェース（ＩＦ：Interface）が不明確なアーキテクチャから脱却するために、準拠する規格、世代、方式、システム、機器種別、製造ベンダの少なくともいずれかに関して依存性の低い機能モジュールと入出力ＩＦを定義することで、少なくとも一部の機能モジュールの汎用性・移植性・拡張性を高めて、準拠する規格、世代、方式、システム、機器種別、製造ベンダの少なくともいずれかが異なる機器間での共用や独自機能の追加を容易とすることで、二重開発の低減、開発コストや調達コストの低減や差異化サービスのタイムリーな提供を可能とする。
【図面の簡単な説明】
【００１２】
【図１】本実施形態における通信装置１００の基本構成を示す図である。
【図２】通信装置１００が備えるＤＢＡ機能を実行する構成を示す図である。
【図３】ユースケースの例を示す図である。
【図４】ＭＦＨ向け連携ＤＢＡの低速ＡＰＩの概要を示す図である。
【図５】ＭＦＨ向け連携ＤＢＡの高速ＡＰＩの概要を示す図である。
【図６】ＭＦＨ向け連携ＤＢＡのイベントドリブンＡＰＩの概要を示す図である。
【図７】ＭＦＨ向け連携ＤＢＡのシステム構成と動作シーケンス図である。
【図８】ＭＦＨ向けＮＳＲ−ＤＢＡの低速ＡＰＩの概要を示す図である。
【図９】ＭＦＨ向けＮＳＲ−ＤＢＡの高速ＡＰＩの概要を示す図である。
【図１０】ＭＦＨ向けＮＳＲ−ＤＢＡのイベントドリブンＡＰＩの概要を示す図である。
【図１１】ＭＦＨ向けＮＳＲ−ＤＢＡのＡＰＩによる動作例を示す図である。
【図１２】ＭＦＨ向けＮＳＲ−ＤＢＡのＡＰＩによる動作例を示す図である。
【図１３】マス向けＳＲ−ＤＢＡ（（ＤＢＡ機能の）フルソフト化の場合）の低速ＡＰＩの概要を示す図である。
【図１４】マス向けＳＲ−ＤＢＡ（（ＤＢＡ機能の）フルソフト化の場合）の高速ＡＰＩの概要を示す図である。
【図１５】マス向けＳＲ−ＤＢＡ（（ＤＢＡ機能の）フルソフト化の場合）のイベントドリブンＡＰＩの概要を示す図である。
【図１６】マス向けＳＲ−ＤＢＡ（（ＤＢＡ機能の）一部ソフト化の場合）の低速ＡＰＩの概要を示す図である。
【図１７】マス向けＳＲ−ＤＢＡ（（ＤＢＡ機能の）一部ソフト化の場合）の高速ＡＰＩの概要を示す図である。
【図１８】マス向けＳＲ−ＤＢＡ（（ＤＢＡ機能の）一部ソフト化の場合）のイベントドリブンＡＰＩの概要を示す図である。
【図１９】マス向けＳＲ−ＤＢＡのＡＰＩによる動作例を示す図である。
【図２０】通信システムの構成例を示す図である。
【図２１】通信システムの別例を示す図である。
【図２２】図１の構成を具体化した例を示す図である。
【図２３】図１の構成を具体化した例を示す図である。
【図２４】図１の構成を具体化した例を示す図である。
【図２５】図１の構成を具体化した例を示す図である。
【図２６】図１を、ＦＡＳＡアプリケーションを用いて書き換えた例を示す図である。
【図２７】ＦＡＳＡ基盤を構成する各機能の一例を示す図である。
【図２８】ＦＡＳＡ基盤を汎用ハードウェアと外付ハードウェア部品に分割した例を示す図である。
【図２９】ミドルＢ事業者入替に伴うＦＡＳＡアプリケーション(プロテクションアプリ)入替による事業者毎の独自仕様のプロテクション方法の入替イメージを示す図である。
【図３０】通信装置１００が備えるＤＢＡ機能を実行する構成の別例を示す図である。
【図３１】別例におけるユースケースの例を示す図である。
【図３２Ａ】ＤＢＡの各ユースケースにおけるＡＰＩの概要を示す図である。
【図３２Ｂ】ＤＢＡの各ユースケースにおけるＡＰＩの概要を示す図である。
【図３３】ＭＦＨ向け光モバイル連携ＤＢＡのシステム構成と動作シーケンス図である。
【図３４】ＭＦＨ向けＮＳＲ−ＤＢＡのＡＰＩによる動作例を示す図である。
【図３５】ＭＦＨ向けＮＳＲ−ＤＢＡのＡＰＩによる動作例を示す図である。
【図３６】図１の構成を具体化した別例を示す図である。
【図３７】図１の構成を具体化した別例を示す図である。
【図３８】図１の構成を具体化した別例を示す図である。
【図３９】図１の構成を具体化した別例を示す図である。
【図４０】図１を、ＦＡＳＡアプリケーションを用いて書き換えた例を示す図である。
【発明を実施するための形態】
【００１３】
以下、本発明の一実施形態を、図面を参照しながら説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１４】
本実施形態では、ＴＷＤＭ−ＰＯＮ（Time and Wavelength Division Multiplexing Passive Optical Network）システムのようなＩＴＵ−Ｔ（International Telecommunication Union Telecommunication Standardization Sector）勧告準拠のＰＯＮの通信装置であるＯＬＴを前提に例示する。ここで、通信装置の一例としてＯＬＴを示すが、通信装置はＯＮＵであってもよい。また、通信装置は、ＴＷＤＭ−ＰＯＮ以外のＩＴＵ−Ｔ勧告準拠のＰＯＮのＯＬＴ又はＯＮＵのいずれかであってもよい。例えば、通信装置は、ＧＥ−ＰＯＮ、１０ＧＥ−ＰＯＮ等のＩＥＥＥ（The Institute of Electrical and Electronic Engineers）規格準拠のＰＯＮのＯＬＴ又はＯＮＵのいずれかであってもよい。ＴＣ（Transmission Convergence：伝送コンバージェンス）レイヤやＰＭＤ（Physical Medium Dependent）レイヤは対応する機能を備える層に読み替えれば同様である。
【００１５】
なお、ＴＷＤＭ−ＰＯＮは時分割多重と波長分割多重をするが、それに加えて、複数ファイバを用いて心線分割多重してもよいし、マルチコアファイバ等を用いてコア分割多重（空間分割多重）していてもよいし、数モードファイバやマルチモードファイバ等を用いてモード分割多重していてもよいし、光符号や電気符号を用いて符号分割多重していてもよいし、直交周波数分割多重や周波数分割多重やその他の分割多重をしていてもよいし、時分割多重や波長分割多重以外の分割多重のみをしてもよい。
【００１６】
本実施形態は、ＯＮＵに対するリソース割当に係る。即ち、本実施形態におけるリソース割当とは、帯域をＯＮＵに割当するＤＢＡ（Dynamic Bandwidth Assignment）機能や、ＯＮＵに波長を割当するＤＷＡ（Dynamic Wavelength Assignment）機能、ＯＮＵの波長と帯域を割当するＤＷＢＡ（Dynamic Wavelength and Bandwidth Assignment）、心線分割多重の心線割当、コア分割多重のコア割当、モード分割多重のモード割当、符号分割多重の符号割当、直交周波数分割多重や周波数分割多重の周波数割当のいずれかに係る。
【００１７】
以下の説明では、リソース割当として、帯域割当を例示するが、帯域、波長、コア、モード、符号及び周波数の内で割当する対象に拡張可能である。割当には、例えば、帯域要求受信、トラフィック測定、履歴保持、割当計算、割当処理、設定切替計算、設定切替処理、設定切替状況、外部装置からの情報及び外部装置からの情報の履歴の少なくともいずれかの把握が含まれる。処理の順番は適宜入れ替わっていてもよい。外部装置からの情報とは、ＡＰＩ（Application Programming Interface）の授受する情報である。
【００１８】
実施形態に係るＯＬＴは、割当処理の一部を分割することによって、ＯＬＴの入手性を向上する。以下、ＯＬＴの具体的な構成について説明する。本発明における分割とは、割当処理の一部の処理を実行する機能部を第１の機能部に実装し、割当処理のその他の処理を実行する機能部を第１の機能部と異なる機能部で実行することを意味する。
【００１９】
（実施形態１）
図１は、本実施形態における通信装置１００の基本構成を示す図である。通信装置１００は、ＤＢＡ機能を備えるＯＬＴである。通信装置１００は、実行部３と、指示部５とを備える。実行部３と指示部５がＡＰＩ（図１では図示せず）を介して接続される。実行部３は、指示部５からの指示に従ってｇｒａｎｔ情報を生成して、生成したｇｒａｎｔ情報をリソースの割当対象に送信する。すなわち、実行部３は、割当処理の一部を実行する。指示部５は、実行部３の応答、即ち実行部３による割当結果や割当履歴等の統計処理結果が通信事業者やサービス等に応じた所望の応答となるように実行部３に指示する。具体的には、指示部５は、実行部３の割当、割当結果、割当履歴、割当に伴うデータ導通、導通履歴、要求、要求履歴、外部装置からの情報及び外部装置からの情報の履歴の少なくともいずれかを検出し、検出結果と、通信事業者やサービスに等に応じたサービスポリシーに応じた所望の割当となるように処理を変更するように実行部３に指示する。なお、実行部３は、準拠する規格、世代、方式、システム、機器種別、製造ベンダの少なくともいずれかに関して依存性の低い機能モジュールに相当する。ここで、依存性の低い機能モジュールとは、準拠する規格、世代、方式、システム、機器種別、製造ベンダの少なくともいずれかに関して共通で利用可能な機能モジュールである。
【００２０】
なお、割当処理を例示しているが本実施例の効果は割当処理に依らない。割当処理にかかわらず本実施例により以下の効果がある。
１．これまでのように、機能やサービスに特化した専用装置として開発するのではなく、アクセスネットワーク装置を構成する機能を部品化する。
２．サービス毎及び通信事業者毎に異なる機能は、入出力インタフェースを汎用化したソフトウェア部品で実現する。
３．ソフトウェア部品間の独立性を高めることで、ソフトウェア部品を入替可能な基盤上で動作させることによって、サービス品質を維持しながら、必要な機能をサービス要件に応じて柔軟かつ経済的に実現する。
【００２１】
図１の構成を具体化した例を図２２〜図２５に示す。図２２において、符号２０１は外付けハードウェア部品（例えば、ＮＧ−ＰＯＮ２  ＢＯＸ）を表し、符号２０２は汎用ハードウェア（例えば、White Box Switch）を表す。また、図２３において、符号２０３は外付けハードウェア部品（例えば、ＮＧ−ＰＯＮ２モジュール）を表す。また、図２４において、符号２０４は専用筺体を表す。図１の指示部５がＤＢＡアルゴリズム、ＤＷＡアルゴリズム、設定管理アプリ等のＦＡＳＡ（Flexible Access System Architecture）アプリケーションに該当し、実行部３がＦＡＳＡ高速ＡＰＩやＦＡＳＡ低速ＡＰＩ以下の部分、又は、ハードウェアを駆動するドライバ等以下に該当する。ＡＰＩは、ＦＡＳＡ高速ＡＰＩやＦＡＳＡ低速ＡＰＩで例示しているがそれらに限らないし、構成も異なっていてよい。なお、図２２〜図２５では、ＨＷ（ハードウェア)依存ドライバおよびアダプテーション層（ＦＡＳＡ  ＡＰＩ用アダプテーション層）を含んでいるが、これはＦＡＳＡ高速ＡＰＩやＦＡＳＡ低速ＡＰＩで直接ドライバを駆動できれば不要である。また、図１を、ＦＡＳＡアプリケーションを用いて書き換えた例が図２６である。図２６では、ＦＡＳＡアプリケーション、ＦＡＳＡ高速ＡＰＩやＦＡＳＡ低速ＡＰＩ等のＦＡＳＡ−ＡＰＩ、及び図２２〜図２５のＦＡＳＡ高速ＡＰＩやＦＡＳＡ低速ＡＰＩ等のＦＡＳＡ−ＡＰＩ以下の部分に相当するＦＡＳＡ基盤とで示している。
【００２２】
また、図１の構成を具体化した別例を図３６〜図３９に示す。図３６において、符号２０１ａは外付けハードウェア部品（例えば、ＮＧ−ＰＯＮ２  ＢＯＸ）を表し、符号２０２ａは汎用ハードウェア（例えば、White Box Switch）を表す。図３６は、ＦＡＳＡ基盤を複数のハードウェア(ＮＧ−ＰＯＮ２  ＢＯＸ、White Box Switch)で構成した例を示している。ＮＧ−ＰＯＮ２  ＢＯＸとWhite Box Switchとは、Ｅｔｈｅｒｎｅｔ（登録商標）等の標準的なプロトコルで接続されている。機能の追加や入替は、ＦＡＳＡ基盤のＦＡＳＡアプリケーションＡＰＩ上へのＦＡＳＡアプリケーションの追加や入替により行う。ＦＡＳＡアプリケーションＡＰＩ用ミドルウェアは、ベンダや方式の差異によるハードウェア及びソフトウェアの違いを吸収し、ＦＡＳＡアプリケーションＡＰＩを提供するためのソフトウェアである。
【００２３】
また、図３７において、符号２０３ａは外付けハードウェア部品（例えば、ＮＧ−ＰＯＮ２モジュール）を表す。また、図３８において、符号２０４ａは専用筺体を表す。図１の指示部５がＤＢＡアルゴリズム、ＤＷＡアルゴリズム、設定管理アプリ等のＦＡＳＡ（Flexible Access System Architecture）アプリケーションに該当し、実行部３がＦＡＳＡアプリケーションＡＰＩ以下の部分、又は、ハードウェアを駆動するドライバ等以下に該当する。ＡＰＩは、ＦＡＳＡアプリケーションＡＰＩで例示しているがそれらに限らないし、構成も異なっていてもよい。なお、図３６〜図３９では、ＨＷ（ハードウェア)依存ドライバ、チップ依存ＳＤＫ（Software Development Kit）およびＦＡＳＡアプリケーション用ミドルウェアにおよびアダプテーション層（ＦＡＳＡアプリケーションＡＰＩ用アダプテーション層）を含んでいるが、これはＦＡＳＡアプリケーションＡＰＩで直接ドライバ等を駆動できればアダプテーション層は不要である。
【００２４】
また、図１を、ＦＡＳＡアプリケーションを用いて書き換えた例が図４０である。図４０では、ＦＡＳＡアプリケーション、ＦＡＳＡアプリケーションＡＰＩ、及び図３６〜図３９のＦＡＳＡアプリケーションＡＰＩ以下の部分に相当するＦＡＳＡ基盤とで示している。図４０に示すように、ＦＡＳＡに基づくアクセスネットワーク装置はＦＡＳＡアプリケーションとＦＡＳＡ基盤とから構成される。
【００２５】
「ＦＡＳＡアプリケーション」は、サービス毎あるいは通信事業者毎に異なる機能を、汎用化した入出力インタフェース(ＦＡＳＡアプリケーションＡＰＩ)を備えたソフトウェア部品で実現し、それらを入替可能としたものである。サービスに応じて、追加や入替することで、様々な要件のサービスを迅速かつ簡単に提供する。
「ＦＡＳＡ基盤」は、ＦＡＳＡアプリケーションにＦＡＳＡアプリケーションＡＰＩを提供するとともに、標準化されているなどの理由で、サービスや要求に応じた変更を行う必要のない機能を提供するアクセス装置の基盤的構成要素である。ＦＡＳＡ基盤では、処理性能等の要件に応じて、ＦＡＳＡ基盤を構成する各機能を、ハードウェア又はソフトウェアで実現する。具体的には、図２７に示す構成１と構成２を想定する。図２７における現在の構成では、機能の追加/入替のためには装置全体の再開発が必要である。
【００２６】
構成１は、ＦＡＳＡアプリケーションＡＰＩの上部(ＦＡＳＡアプリケーション)をソフトウェア部品化の検討対象としたものであり、ＦＡＳＡ基盤の構成については検討対象外としている。例えば本構成によるＮＧ−ＰＯＮ２システムの場合、ＦＡＳＡ基盤にて標準化されたＮＧ−ＰＯＮ２プロトコルの提供を行い、ＥＰＯＮなど他のＰＯＮプロトコルへの変更については考慮しない。構成１では、汎用化した入出力インタフェースを用いて拡張性を担保したＦＡＳＡアプリケーションにより、柔軟かつ迅速な機能の追加／入替を可能とする。構成２は、ＦＡＳＡ基盤を構成する機能についても部品化を行い、ソフトウェア部品化の対象としている。構成２では、ＦＡＳＡアプリケーション以外の機能もソフトウェア部品で構成することにより、特別な専用ハードウェアが不要なアーキテクチャを可能とする。いずれの構成でも、ＦＡＳＡアプリケーションＡＰＩは同一である。
【００２７】
ＦＡＳＡ基盤を汎用ハードウェアと外付ハードウェア部品に分割した例を図２８に示す。図２８に示すアクセスネットワーク装置（ＯＬＴ）は、３つの部品カテゴリ、「（１）ＦＡＳＡアプリケーション」、「（２）汎用ハードウェア」、「（３）外付ハードウェア部品」で構成される。これらを自由自在に組み合わせることにより必要な機能を迅速かつ簡単に提供する。図２８において、「（１）ＦＡＳＡアプリケーション」は、波長制御、帯域制御、ＯＡＭ及びマルチキャストなどのソフトウェア部品である。
【００２８】
「（２）汎用ハードウェア」は、アクセスネットワーク装置に限らず汎用的な通信機能を共通部品として実装したものである。汎用ハードウェアによる共通部品化を図ることで、サービス要件に応じて装置を部材レベルから新規に開発する頻度を低減できる。また、共通部品を用いることにより、装置コスト削減や、保守物品種等の削減による保守運用のシンプル化が進むことが期待できる。「（２）汎用ハードウェア」は、例えば、汎用的なサーバやWhite Box Switch等のアクセスシステム専用装置ではないハードウェアであり、当該ハードウェアに必要なファームウェア、ＯＳ等のソフトウェア、「（１）ＦＡＳＡアプリケーション」のためのＦＡＳＡアプリケーションＡＰＩ用ミドルウェアを搭載している。「（３）外付ハードウェア部品」は、「（１）ＦＡＳＡアプリケーション」化や「（２）汎用ハードウェア」上への実装が困難な、光送受信部等の機能を、「（２）汎用ハードウェア」と分離して実装したものである。
【００２９】
「（３）外付ハードウェア部品」は、例えば光送受信部等の「（２）汎用ハードウェア」以外のハードウェアである。「（３）外付ハードウェア部品」として単純な光モジュールを用いて、メディアコンバータを実現する場合等においては、「（２）汎用ハードウェア」に搭載されるＯＳ等のソフトウェア、「（１）ＦＡＳＡアプリケーション」のためのＦＡＳＡアプリケーションＡＰＩ用ミドルウェアを用いて動作することとなる。一方、「（３）外付ハードウェア」にＰＯＮのＭＡＣチップを搭載する場合等、当該ハードウェアの動作に必要なファームウェア、ＯＳ等のソフトウェア、「（１）ＦＡＳＡアプリケーション」のためのＦＡＳＡアプリケーションＡＰＩ用ミドルウェアを直接搭載する場合がある。いずれにせよ、サービス要件に応じて例えば伝送容量や伝送方式の異なる外付ハードウェア部品を入替し、それに応じたソフトウェア部品をFASA基盤に具備即ちＦＡＳＡ基盤を構成するソフトウェア部品の入替を行うことで、同一汎用ハードウェアを用いながら状況に応じた最適な伝送容量等や伝送方式のアクセスネットワークの実現が可能である。
【００３０】
以下に、上記段落で説明した各用語の意味を示す。
・ＦＡＳＡアプリケーションＡＰＩ（ＦＡＳＡアプリＡＰＩ）：ＦＡＳＡアプリケーションとＦＡＳＡアプリケーションＡＰＩ用ミドルウェアを接続するＡＰＩ。
・ＦＡＳＡアプリケーション（ＦＡＳＡアプリ）:ＦＡＳＡアプリケーションＡＰＩを使って実現された入替可能なソフトウェア部品。
・ＦＡＳＡ基盤:ＦＡＳＡアプリケーションを実装可能なＦＡＳＡアプリケーションＡＰＩを提供するとともに、標準化されているなどの理由で、サービスや要求に応じた変更を行う必要のない機能を提供するアクセス装置の基盤的構成要素である。
・ソフトウェア部品:必要な機能を交換可能な単位でソフトウェア化したもの。
・ＦＡＳＡアプリケーションＡＰＩ用ミドルウェア:ＦＡＳＡ基盤のうち、ＦＡＳＡアプリケーションに対してＦＡＳＡアプリケーションＡＰＩを提供するソフトウェア。ＦＡＳＡアプリケーションＡＰＩ用ミドルウェアは、ＦＡＳＡアプリケーション間及びその他のＦＡＳＡ基盤の機能との通信のための手段を提供するとともに、ＦＡＳＡアプリケーションよりも下位層等の差異を吸収する。
・外付ハードウェア部品:汎用ハードウェア上への実装が困難な機能を、汎用ハードウェアと分離して実装したもの。
・汎用ハードウェア:汎用的なサーバやWhite Box Switchのように、アクセスネットワークサービスに限らず汎用的に使えるハードウェア。
【００３１】
通信事業者毎に使い方の異なる機能に対応するために、全ての組み合わせを予め実装しておくのではなく、必要に応じて、ＦＡＳＡアプリケーション入替によって所望の機能を備えたアクセスネットワーク装置を提供する。通信事業者要件として、アクセスシステムに対しても高い可用性が必要となる。装置故障時の対応のみならず、アクセスネットワーク装置のソフトウェア更新や処理性能が向上した後継ハードウェアへ移行する際も、サービス停止なく移行する必要があるため、プロテクション機能が重要となる。
通信事業者毎に、アクセスネットワーク装置と接続するネットワークの構成が異なることから、異なる方式や異なるポリシーでプロテクションを行うことが想定される。そのため、ＦＡＳＡではプロテクション用ＡＰＩを規定する。図２９は、ミドルＢ事業者入替に伴うＦＡＳＡアプリケーション(プロテクションアプリ)入替による事業者毎の独自仕様のプロテクション方法の入替イメージを示す。ＦＡＳＡアプリケーションを入替することで、事業者毎の独自仕様のプロテクションとする。
【００３２】
図２は、通信装置１００が備えるＤＢＡ機能を実行する構成を示す図である。ＤＢＡ機能を実行する構成として、通信装置１００は、状態取得部１０１、割当計算部１０２、方針決定部１０３及びｇｒａｎｔ処理部１０４を備える。なお、ＤＢＡ機能を実行する構成はこれに限定しない。
状態取得部１０１は、割当対象の上り帯域に関する情報を取得する。状態取得部１０１は、取得した情報を状態情報として割当計算部１０２に出力する。状態取得部１０１は、連携制御部１０１１、トラフィックモニタ１０１２及びリクエスト処理部１０１３のいずれか又は全てを備える。なお、状態取得部１０１は、割当対象の上り帯域に関する情報を取得可能なその他の構成を備えるように構成されてもよい。また、状態取得部１０１の機能の一部、例えば連携制御部１０１１の一部、例えば情報を上り帯域に換算する計算等の処理をする機能を割当計算部１０２、方針決定部１０３、ｇｒａｎｔ処理部１０４のいずれか、又はそれ以外に配置してもよい。
【００３３】
連携制御部１０１１は、例えば、モバイルシステムからスケジューリング情報を取得し、ＯＮＵに到達する上りデータ量、到着時刻を算出する。なお、モバイルシステムからのスケジューリング情報としたが、連携制御部１０１１が取得する情報はＢＢＵ（Base Band Unit）等からＯＬＴ向けに誂えた専用の情報であってもよいし、ＢＢＵとＲＲＨ（Remote Radio Head)、ネットワーク側とＵＥ(User Equipment)、アンテナ間等でそれぞれでやり取りする通信許可や帯域等に関する情報等であってもよい。トラフィックモニタ１０１２は、所定の期間又は継続する所定の期間・所定の又は所定以外のフローのトラフィック量を計測又は計測結果を統計処理する。計測場所とモニタの位置は同一でも別でもよく、例えば、他の箇所で計測した結果をモニタとして積算してもよい。
【００３４】
モニタ位置として例えば、ＰＯＮ  ＡＳＩＣのハード、多重（分離）部、ＯＬＴ内のスイッチ、ＤＷＡ関連のハードウェア、集線スイッチ等の上位側の装置、ｖＨＧＷ等を含む少なくとも仮想的に下位側の装置や、仮想化機能を搭載するサーバ等いずれであってもよい。但し、ＤＢＡ処理に係る機能部に近い方が、モニタ機能の更新頻度の高さや伝送路の占有率の低さや伝搬遅延の少なさ等の効果がある。ＤＢＡ処理に係る機能部に遠い場合、複数装置の処理の集約し易さや他装置との共有のし易さやメモリ量はレジスタ量の制限の少なさ等の効果がある。リクエスト処理部１０１３は、割当対象からｒｅｑｕｅｓｔを受信し、ｒｅｑｕｅｓｔに含まれるリソースの割当に関する要求量を抽出する。例えば、状態取得部１０１は、ＮＧ−ＰＯＮ２においては上りフレームからＢｕｆＯｃｃを取得する機能部に相当する。
【００３５】
割当計算部１０２は、状態取得部１０１から出力された状態情報と、方針決定部１０３から出力される割当計算パラメータとを入力とする。割当計算部１０２は、入力された状態情報と、割当計算パラメータとに基づいて、ＤＢＡ周期毎に帯域割当計算を行う。割当計算部１０２は、割当結果をｇｒａｎｔ処理部１０４に設定する。なお、ここでＤＢＡ周期毎に帯域計算を行うとしたが、何らかの割当機会が到着することを意味する。これは以降の説明でも同様である。所定の割当機会の到着とは、ＤＢＡ周期等と称する所定の時間の経過であってもよいし、その時間は固定であってもよいし、可変であってもよいし、更に時間到着以外の特定の条件、例えば要求やモニタ量や推定された要求量や外部等からの所定の情報量が所定の量以上集まった、又は、所定の量以下集まった、要求やモニタ量や推定された要求量や外部等からの所定の情報量が所定の回数以上または以下又は所定の頻度以上または以下で到着した、いずれかの機能部の処理量が所定の値以上または以下となった、上位側又は下位側の装置の輻輳状態が所定の値以上または以下になった、処理の順番がまわってきたなどのいずれか、又は、その組み合わせであってもよい。
【００３６】
割当計算パラメータとは、最大帯域設定値、保証帯域設定値、固定帯域設定値、最大帯域設定値割当優先、保証帯域設定値割当優先、固定帯域設定値割当優先、割当比率、未所要割当量（割当帯域）、割当順番、割当制限量、使用するアルゴリズムの切替指示、過剰分や欠損分の値、公平性の指標値、複数又は単数のＢＷｍａｐや所定期間における割当対象毎の送信量（割当帯域）又は所定の基準時間でみた送信開始時間又は所定の基準時間でみた送信開始時間と送信量（割当帯域）、複数の「複数又は単数のＢＷｍａｐや所定期間における割当対象毎の送信量（割当帯域）又は所定の基準時間でみた送信開始時間又は所定の基準時間でみた送信開始時間と送信量（割当帯域）」の組から使用する組、波長設定、複数の波長、符号、キャリア周波数、心線、コア毎、モード毎、符号毎及び（直交）周波数毎、又は、それらの少なくとも一部の組み合わせの設定等である。
【００３７】
また、割当計算部１０２は、方針決定パラメータを方針決定部１０３に出力する。方針決定パラメータとは、実行部３（割当計算部１０２を含むハードウェア）での割当又はその統計値を理想的な割当に修正するための割当計算パラメータを指示部５（例えば、方針決定部１０３）で計算するのに要する情報を表す。方針決定パラメータは、例えば、過去の要求量、割当量、利用量、利用率、未所要割当の利用率、外部装置からの情報及び割当計算のいずれかの段階の結果の少なくともいずれか一つの履歴又は統計量等である。
【００３８】
方針決定部１０３は、割当計算部１０２から出力された方針決定パラメータを入力とする。方針決定部１０３は、任意のタイミングで、入力された方針決定パラメータに基づいて割当計算パラメータを計算し、計算した割当計算パラメータを割当計算部１０２に出力する。
ｇｒａｎｔ処理部１０４は、割当計算部１０２によって設定された割当結果に基づいてｇｒａｎｔを生成し、生成したｇｒａｎｔを送信する。例えば、ｇｒａｎｔ処理部１０４は、ＮＧ−ＰＯＮ２においては、ＢＷｍａｐを作成し、作成したＢＷｍａｐを送信する機能部に相当する。
【００３９】
各機能部（状態取得部１０１、割当計算部１０２、方針決定部１０３及びｇｒａｎｔ処理部１０４）の実行部３と指示部５への帰属はユースケース毎に異なる。すなわち、各機能部が、実行部３と指示部５のいずれに属するかはユースケース毎に異なる。ユースケースの例を図３に示す。
【００４０】
図３には、ユースケース毎に、機能ブロック、ＤＢＡ−ＡＰＩ  Ｇｅｔ及びＤＢＡ−ＡＰＩ  Ｓｅｔの各項目が示されている。本実施形態では、３つのユースケース（ユースケース１、ユースケース２及びユースケース３）を例に説明する。ユースケース１はＭＦＨ（Mobile FrontHaul）向け連携ＤＢＡであり、ユースケース２はＭＦＨ向けＮＳＲ−ＤＢＡ（Non Status Reporting DBA）であり、ユースケース３はマス向けＳＲ−ＤＢＡ（Status Reporting DBA）である。なお、ユースケース３においては、（ａ）（ＤＢＡ機能の）フルソフト化の場合と、（ｂ）（ＤＢＡ機能の）一部ソフト化の場合とがある。ＤＢＡ−ＡＰＩ  Ｇｅｔの項目は、ＤＢＡ−ＡＰＩのＧｅｔコマンドにより取得される情報を表す。ＤＢＡ−ＡＰＩ  Ｓｅｔの項目は、ＤＢＡ−ＡＰＩのＳｅｔコマンドにより割当対象に設定する内容を表す。ここで、機能のハードウェア上への配置は例であり、性能上処理が可能であればソフトウェア処理で実装してもよい。
【００４１】
なお、本実施形態では、ユースケース毎に用いられるＡＰＩとして、３種類のＡＰＩ（低速ＡＰＩ、高速（帯域割当の機会、例えば帯域割当に関する固定または可変の周期での処理用）ＡＰＩ及びイベントドリブンＡＰＩ）を想定する。低速ＡＰＩは、初期化関数や高速アクセスを必要としない設定変更関数を提供するＡＰＩである。高速ＡＰＩは、帯域割当契機の度に、例えば帯域割当が周期的に行われその固定または可変の周期をＤＢＡ周期と呼ぶ場合に、単一又は複数又は分割した一つのＤＢＡ周期毎に呼び出される高速処理関数を提供するＡＰＩである。イベントドリブンＡＰＩは、初期化、タイマー完了等の特定の条件を満たした際、ＯＮＵ登録削除時の自動処理関数などを提供するＡＰＩである。なお、ＯＮＵ登録削除をトリガに設定情報を変更するＡＰＩは初期設定等を行う低速ＡＰＩと同様とする。
【００４２】
ＡＰＩは、ＦＡＳＡアプリケーションからＦＡＳＡ基盤に対する設定(ｇｅｔ)と読出（ｓｅｔ）の形で示す。例えば、ＤＢＡ周期を設定する場合、外部のコントローラから設定・管理アプリに入力し、ＤＢＡアプリ(指示部５)がＦＡＳＡ  ＡＰＩ「ｇｅｔ＿ＤｂａＣｏｎｆｉｇ」でＤＢＡ周期を読出し、「ｓｅｔ＿ＤｂａＣｏｎｆｉｇ」を使って、ＦＡＳＡ基盤(実行部３)にＤＢＡ周期を設定する。
【００４３】
ＡＰＩは、入替・追加するＦＡＳＡアプリケーションに依らずに共通的なＡＰＩセットとし、共通的なＡＰＩセットから各ＦＡＳＡアプリケーションで利用するＡＰＩを選択する。従って、各ＤＢＡのＡＰＩは同一のインタフェースである。例えば、低速ＡＰＩ「ｇｅｔ＿ＡｌｌｏｃａｔｉｏｎＤｂａＣｏｎｆｉｇ」は複数ＤＢＡで共通に使用し、応答データから、それぞれのＤＢＡで必要な情報を利用する。なお、割当対象ＩＤは、ＮＧ−ＰＯＮ２ではＡｌｌｏｃＩＤである。なお、ＡＰＩで用いるコンフィグ番号は、設定パラメータのインデックスであり、インデックスと設定パラメータの対応は例えばひとまとまり等のプロファイルにしてもよいし、プロファイルにしなくてもよい。
【００４４】
なお、上記例では明記していないが、アプリ入替やアプリの一部或いは全機能のＯＮ／ＯＦＦのためのＡＰＩを例えばイベントドリブンＡＰＩや低速ＡＰＩに備えることが望ましい。また、アプリにイベントを通知するon_ConfigUpdated等のＡＰＩで、イベントドリブンＡＰＩの対象とするイベントの種類の定義やイベント自体を登録するＡＰＩを備えることが望ましい。また、イベントドリブンＡＰＩ等の例として、設定情報を変更する等のgetのAPIしか例示していないが、setのＡＰＩも備えることが望ましい。また、エラー応答のためのＡＰＩも備えることが望ましい。
【００４５】
図３に基づいて各ユースケースについて簡単に説明する。
（ユースケース１）
ユースケース１では、状態取得部１０１としての連携制御部１０１１、割当計算部１０２、方針決定部１０３及びｇｒａｎｔ処理部１０４が備えられる。そして、連携制御部１０１１及びｇｒａｎｔ処理部１０４と、割当計算部１０２との間にＤＢＡ−ＡＰＩが設けられる。また、ｇｒａｎｔ処理部１０４の機能のみを格納したハードウェア（ＭＡＣチップ）が用いられる。Ｇｅｔコマンドにより取得される情報の具体例が連携情報などであり、Ｓｅｔコマンドにより割当対象に設定する内容の具体例が割当量、送信開始時刻等であることが表されている。ＭＡＣチップは、ＬＳＩ（Large Scale Integration）等の集積回路で構成される。
【００４６】
（ユースケース２）
ユースケース２では、状態取得部１０１としてのトラフィックモニタ１０１２、割当計算部１０２、方針決定部１０３及びｇｒａｎｔ処理部１０４が備えられる。そして、トラフィックモニタ１０１２及びｇｒａｎｔ処理部１０４と、割当計算部１０２との間にＤＢＡ−ＡＰＩが設けられる。また、トラフィックモニタ１０１２及びｇｒａｎｔ処理部１０４の機能を格納したハードウェア（ＭＡＣチップ）が用いられる。Ｇｅｔコマンドにより取得される情報の具体例がトラフィック量などであり、Ｓｅｔコマンドにより割当対象に設定する内容の具体例が割当量、送信開始時刻等であることが表されている。
【００４７】
（ユースケース３：（ＤＢＡ機能の）フルソフト化）
ユースケース３の（ＤＢＡ機能の）フルソフト化の場合には、状態取得部１０１としてのリクエスト処理部１０１３、割当計算部１０２、方針決定部１０３及びｇｒａｎｔ処理部１０４が備えられる。そして、リクエスト処理部１０１３及びｇｒａｎｔ処理部１０４と、割当計算部１０２との間にＤＢＡ−ＡＰＩが設けられる。また、リクエスト処理部１０１３及びｇｒａｎｔ処理部１０４の機能を格納したハードウェア（ＭＡＣチップ）が用いられる。Ｇｅｔコマンドにより取得される情報の具体例が要求量などであり、Ｓｅｔコマンドにより割当対象に設定する内容の具体例が割当量、送信開始時刻などであることが表されている。
【００４８】
（ユースケース３：（ＤＢＡ機能の）一部ソフト化）
ユースケース３の（ＤＢＡ機能の）一部ソフト化の場合には、状態取得部１０１としてのリクエスト処理部１０１３、割当計算部１０２、方針決定部１０３及びｇｒａｎｔ処理部１０４が備えられる。そして、割当計算部１０２と、方針決定部１０３との間にＤＢＡ−ＡＰＩが設けられる。また、リクエスト処理部１０１３、割当計算部１０２及びｇｒａｎｔ処理部１０４の機能を格納したハードウェア（ＭＡＣチップ）が用いられる。Ｇｅｔコマンドにより取得される情報の具体例が割当計算パラメータなどであり、Ｓｅｔコマンドにより割当対象に設定する内容の具体例が方針決定パラメータであることが表されている。
【００４９】
次に、各ユースケースについてより詳細に説明する。
（ユースケース１）
ユースケース１では、一例として割当計算部１０２及び方針決定部１０３が指示部５として構成され、ｇｒａｎｔ処理部１０４が実行部３として構成される。指示部５が、実行部３又は外部装置から、連携情報を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振りして、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
ここで、ＳｅｔとＧｅｔは指示部５が主導のやり取りを例に説明したが、実行部３が主導のやり取りであれば、ＳｅｔとＧｅｔは逆転する。この場合、例えば、タイマー等を用いて一定周期で実行部３から指示部５にＧｅｔしに行ってもよいし、ＯＮＵとのやり取り等のイベントに応じて、実行部３から指示部５にＧｅｔしに行ってもよい。これは、他のユースケースやＡＰＩや実施形態でも同様である。
【００５０】
更に、指示部５は方針決定部１０３と割当計算部１０２とで構成される例を示したが、指示部５は方針決定部１０３のみで、実行部３に割当計算部１０２が更に含まれるように構成されてもよい。この場合、ＤＢＡ-ＡＰＩ  Ｓｅｔ／Ｇｅｔは、後述するユースケース３（ｂ）のマス向けＳＲ-ＤＢＡ（（ＤＢＡ機能の）一部ソフト化）と同様に、割当計算パラメータと方針決定パラメータであってもよい。また、連携制御部１０１１が指示部５であってもよい。なお、図３では、連携制御部１０１１が、ＤＢＡ−ＡＰＩの下側に配置されているが、連携制御部１０１１は実行部３の一部であってもよいし、実行部３以外の機能部であってもよいし、ＡＰＩと異なるＩＦを介した得た情報を処理する指示部５の一部であってもよい。また、連携制御部１０１１の入力を直接ｇｒａｎｔ処理部１０４に出力してもよい。なお、帰属は上記の例に限定されない。
【００５１】
ＭＦＨ向け連携ＤＢＡのＡＰＩの例を図４〜６に示す。
図４は、ＭＦＨ向け連携ＤＢＡの低速ＡＰＩの概要を示す図である。図４に示すように、低速ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。ここで、コンフィグ番号は、設定パラメータのインデックスである。コンフィグ情報としては、例えばＤＢＡ周期などが挙げられる。ここで、ＤＢＡ周期で例示したが所定の割当契機の選択とその契機となる条件であってよい。また、図４に示すように、低速ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【００５２】
指示部５から実行部３に対する設定（ｇｅｔ）と読出（ｓｅｔ）の形で説明すると、例えば、ＤＢＡ周期を設定する場合、指示部５がＦＡＳＡＡＰＩ「ｇｅｔ＿ＤｂａＣｏｎｆｉｇ」でＤＢＡ周期を読み出し、「ｓｅｔ＿ＤｂａＣｏｎｆｉｇ」を使って、実行部３にＤＢＡ周期を設定する。また、低速ＡＰＩ「ｇｅｔ＿ｃｏｏｐｅｒａｔｉｏｎＩｆＣｏｎｆｉｇ」は、例えば連携制御部１０１１の動作周期や動作モード・連携先のシステム名・バージョン等を取得するためのコマンドである。
【００５３】
図５は、ＭＦＨ向け連携ＤＢＡの高速ＡＰＩの概要を示す図である。図５に示すように、高速ＡＰＩ“ｇｅｔ＿ＤａｔａＳｉｚｅ”は、入力が“時刻、割当対象ＩＤ”であり、出力が“要求量”であり、“ｇｅｔ＿ＤａｔａＳｉｚｅ”の概要が“当該割当対象の要求量を取得”することであることが示されている。ここで、割当対象ＩＤとは、割当対象を識別するための識別情報である。また、図５に示すように、高速ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【００５４】
なお、高速ＡＰＩ「ｇｅｔ＿ＤａｔａＳｉｚｅ」は、ＡｌｌｏｃＩＤ毎に個別に定義する場合、帯域要求時に設定するＡｌｌｏｃＩＤ分のＡＰＩをｇｅｔし、指定範囲で定義する場合、指定したＡｌｌｏｃＩＤ分をまとめてｇｅｔする。送信開始時刻を指定しない高速ＡＰＩ「ｓｅｔ＿ＧｒａｎｔＳｉｚｅ」は実行部３にて、送信開始時刻を指定する高速ＡＰＩ「ｓｅｔ＿ＧｒａｎｔＳｉｚｅＡｎｄＳｔａｒｔＴｉｍｅ」と送信開始時刻を指定する高速ＡＰＩ「ｓｅｔ＿ＳｔａｒｔＴｉｍｅ」は実行部３にて、それぞれ送信開始時刻を決定する。
【００５５】
図６は、ＭＦＨ向け連携ＤＢＡのイベントドリブンＡＰＩの概要を示す図である。図６に示すように、イベントドリブンＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【００５６】
上記のＭＦＨ向け連携ＤＢＡのＡＰＩを用いて、例えば図７の処理が行なわれる。図７は、ＭＦＨ向け連携ＤＢＡのシステム構成と動作シーケンス図である。図７に示すように、ＭＦＨ向け連携ＤＢＡでは、外部装置（ＢＢＵ）とＯＬＴとの連携によって、厳しい遅延規定を満たす帯域割当を実現する。具体的には、外部装置が生成する各ＵＥの上り送信制御情報に相当する無線リソース情報をＯＬＴに通知することによって、ＯＬＴはＳＲ−ＤＢＡにて必要であったＯＮＵからの送信要求情報を持つことなく、ＤＢＡを行うことを可能とする。無線リソース情報を通知する方法として、モバイルシステムのパラメータとして通知した後にＯＬＴが各ＯＮＵに到着する上りデータ量と到着時刻の少なくともいずれか一方を算出する方法と、ＢＢＵから上りデータ量と到着時刻を直接通知する方法が考えられる。本ＤＢＡでは、外部装置との連携のため、従来のＳＲ／ＮＳＲ−ＤＢＡとは異なるＤＢＡを実装可能なＡＰＩが必要となる。以上の動作は例であり、これに限定されない。
なお、本ユースケースでは、ＭＦＨ向け連携ＤＢＡとしたが、同様のＡＰＩをＭＦＨ向け以外の他のビジネス向け、マス向けのＤＢＡとして用いてもよい。
【００５７】
ＡＰＩは、アルゴリズム等を入替・追加する指示部によらずに共通的なＡＰＩセットとし、共通的なＡＰＩセットから指示部５で利用するＡＰＩを選択する。例えば、低速ＡＰＩ「ｇｅｔ＿ＡｌｌｏｃａｔｉｏｎＤｂａＣｏｎｆｉｇ」は複数ＤＢＡで共通に使用し、応答データからそれぞれのＤＢＡで必要な情報を利用する。なお、割当対象ＩＤは、ＮＧ−ＰＯＮ２ではＡｌｌｏｃＩＤである。
【００５８】
（ユースケース２）
ユースケース２では、一例として割当計算部１０２及び方針決定部１０３が指示部５として構成され、ｇｒａｎｔ処理部１０４が実行部３として構成される。指示部５が、実行部３から、トラッフィク量を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振して、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
【００５９】
ここで、指示部５は方針決定部１０３と割当計算部１０２とで構成される例を示したが、指示部５は方針決定部１０３のみで、実行部３に割当計算部１０２が更に含まれるように構成されてもよい。ＤＢＡ-ＡＰＩ  Ｓｅｔ／Ｇｅｔは、後述するユースケース３（ｂ）のマス向けＳＲ-ＤＢＡ（（ＤＢＡ機能の）一部ソフト化）と同様に、割当計算パラメータと方針決定パラメータであってもよい。更に、トラフィックモニタ１０１２が実行部３に備えられる構成を示したが、トラフィックモニタ１０１２は外部のスイッチ等の装置に備えられてもよい。
【００６０】
ＭＦＨ向けＮＳＲ−ＤＢＡのＡＰＩの例を図８〜１０に示す。
図８は、ＭＦＨ向けＮＳＲ−ＤＢＡの低速ＡＰＩの概要を示す図である。図８に示すように、低速ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、図８に示すように、低速ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【００６１】
図９は、ＭＦＨ向けＮＳＲ−ＤＢＡの高速ＡＰＩの概要を示す図である。図９に示すように、高速ＡＰＩ“ｇｅｔ＿Ｔｒａｆｆｉｃ”は、入力が“モニタ番号”であり、出力が“モニタ結果”であり、“ｇｅｔ＿Ｔｒａｆｆｉｃ”の概要が“当該モニタ番号のモニタ結果を取得”することであることが示されている。ここで、モニタ番号とは、モニタしている対象を識別するための識別情報である。また、図９に示すように、高速ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【００６２】
また、高速ＡＰＩは、ＭＦＨ向けＮＳＲ−ＤＢＡで他システムを同時収容し、ＤＢＡ周期毎に関数を呼び出す際に用いる。高速ＡＰＩ「ｇｅｔ＿Ｔｒａｆｆｉｃ」、「ｇｅｔ＿ＡｌｌｏｃＩｄＴｒａｆｆｉｃ」の計測単位は、ＡｌｌｏｃＩＤの特定のフローから複数ＯＮＵの合算値までの粒度で任意に設定する。主に、高速ＡＰＩ「ｇｅｔ＿Ｔｒａｆｆｉｃ」、例えばＯＬＴ全体やＯＳＵ（Optical Subscriber Unit）全体やＣＴ（ Channel Termination）全体などＡｌｌｏｃＩＤ毎でない単位、「ｇｅｔ＿ＡｌｌｏｃＩｄＴｒａｆｆｉｃ」はＡｌｌｏｃＩＤ以下の単位である。「ｇｅｔ_Ｔｒａｆｆｉｃ」、「ｇｅｔ_ＡｌｌｏｃＩｄＴｒａｆｆｉｃ」の入力パラメータ（モニター単位）の粒度を設定するＡＰＩとして、「set_TrafficMonitorConfig」等を設定すればよい。ｇｅｔ_Ｒｅｑｕｅｓｔ、ｇｅｔ_ＡｌｌｏｃＩｄＲｅｑｕｅｓｔＴｒａｆｆｉｃ、ｇｅｔ_ＴｉｍｅＤａｔａＳｉｚｅ、ｇｅｔ_ＤａｔａＳｉｚｅ等でも同様である。
【００６３】
図１０は、ＭＦＨ向けＮＳＲ−ＤＢＡのイベントドリブンＡＰＩの概要を示す図である。図１０に示すように、イベントドリブンＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【００６４】
上記のＭＦＨ向けＮＳＲ−ＤＢＡのＡＰＩを用いて、例えば図１１及び１２の処理が行なわれる。図１１及び１２は、ＭＦＨ向けＮＳＲ−ＤＢＡのＡＰＩによる動作例を示す図である。図１１及び１２には、２種類のＭＦＨ向けＮＳＲ−ＤＢＡの概要を示す。これらは、固定帯域割当（ＦＢＡ）をベースとしたＮＳＲ−ＤＢＡにより、ＳＲ−ＤＢＡで生じる制御信号の往復遅延を削減し、ＭＦＨの遅延要求を満足する低遅延な帯域割当を実現する。具体的には、トラフィックの統計データに基づくＮＳＲ−ＤＢＡを適用することによって、ＦＢＡで生じる過剰な割当帯域を削減しつつ、マス向けシステムとの共用等のシステム全体の効率化が可能になる。
【００６５】
一つ目のＮＳＲ−ＤＢＡ（図１１）は、ＴＤＤ方式のモバイルシステムと、マス向け等の他のシステムを同時に収容する。本ＤＢＡでは、ＴＤＤの周期が推定可能なサンプリング速度でのトラフィック統計情報を利用するＡＰＩが必要となる。
二つ目のＮＳＲ−ＤＢＡ（図１２）は、トラフィックの変動が１日〜１週間程度の時間軸で観測すると周期的になっていることに着目し、固定帯域割当でのトラフィック統計情報を元に次のトラフィック周期で必要な帯域を推定し、割当する。本ＤＢＡでは、長期にわたるトラフィック統計情報を利用するＡＰＩが必要となる。
以上の動作は例であり、これに限定されない。
なお、本ユースケースでは、ＭＦＨ向けＮＳＲ-ＤＢＡとしたが、同様のＡＰＩをＭＦＨ向け以外の他のビジネス向け、マス向けのＤＢＡとして用いてもよい。
【００６６】
（ユースケース３）
ユースケース３では、一例として割当計算部１０２及び方針決定部１０３が指示部５として構成され、ｇｒａｎｔ処理部１０４が実行部３として構成される。指示部５が、実行部３から、要求量を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振して、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
【００６７】
マス向けＳＲ−ＤＢＡ（（ＤＢＡ機能の）フルソフト化の場合）の例を図１３〜１５に示し、マス向けＳＲ−ＤＢＡ（（ＤＢＡ機能の）一部ソフト化の場合）の例を図１６〜１８に示す。図１３は、マス向けＳＲ−ＤＢＡ（（ＤＢＡ機能の）フルソフト化の場合）の低速ＡＰＩの概要を示す図である。図１３に示すように、低速ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、図１３に示すように、低速ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。なお、低速ＡＰＩの「ｇｅｔ＿ＣａｌｃＣｏｎｆｉｇ」の「割当計算部のコンフィグ情報」は、例えば、割当対象毎の最大帯域、保証帯域等の設定情報を表す。
【００６８】
図１４は、マス向けＳＲ−ＤＢＡ（（ＤＢＡ機能の）フルソフト化の場合）の高速ＡＰＩの概要を示す図である。図１４に示すように、高速ＡＰＩ“ｇｅｔ＿ＡｌｌｏｃＩｄＲｅｑｕｅｓｔ”は、入力が“割当対象ＩＤ”であり、出力が“ｕｉｎｔ３２＿ｔ要求量”であり、“ｇｅｔ＿ＡｌｌｏｃＩｄＲｅｑｕｅｓｔ”の概要が“当該割当対象の要求量を取得”することであることが示されている。また、図１４に示すように、高速ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【００６９】
図１５は、マス向けＳＲ−ＤＢＡ（（ＤＢＡ機能の）フルソフト化の場合）のイベントドリブンＡＰＩの概要を示す図である。図１５に示すように、イベントドリブンＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【００７０】
図１６は、マス向けＳＲ−ＤＢＡ（（ＤＢＡ機能の）一部ソフト化の場合）の低速ＡＰＩの概要を示す図である。図１６に示すように、低速ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、図１６に示すように、低速ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【００７１】
図１７は、マス向けＳＲ−ＤＢＡ（（ＤＢＡ機能の）一部ソフト化の場合）の高速ＡＰＩの概要を示す図である。図１７に示すように、高速ＡＰＩ“ｇｅｔ＿ＰａｒａｍｅｔｅｒＦｏｒＰｏｌｉｃｙＭａｋｉｎｇ”は、入力が“方針決定用パラメータ番号”であり、出力が“方針決定用パラメータ値”であり、“ｇｅｔ＿ＰａｒａｍｅｔｅｒＦｏｒＰｏｌｉｃｙＭａｋｉｎｇ”の概要が“当該パラメータ番号の値を取得”することであることが示されている。また、図１７に示すように、高速ＡＰＩ“ｓｅｔ＿ＰａｒａｍｅｔｅｒＦｏｒＣａｌｃ”は、入力が“方針決定用パラメータ番号、割当計算用パラメータ”であり、出力が“なし”であり、“ｓｅｔ＿ＰａｒａｍｅｔｅｒＦｏｒＣａｌｃ”の概要が“当該パラメータ番号の値を設定”することであることが示されている。高速ＡＰＩ「方針決定用パラメータ」は、要求量や割当量の履歴等である。
【００７２】
図１８は、マス向けＳＲ−ＤＢＡ（（ＤＢＡ機能の）一部ソフト化の場合）のイベントドリブンＡＰＩの概要を示す図である。図１８に示すように、イベントドリブンＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【００７３】
上記のマス向けＳＲ−ＤＢＡ（（ＤＢＡ機能の）フルソフト化及び（ＤＢＡ機能の）一部ソフト化）のＡＰＩを用いて、例えば図１９の処理が行なわれる。図１９は、マス向けＳＲ−ＤＢＡのＡＰＩによる動作例を示す図である。図１９において、ＯＬＴ装置レベルの要求条件を下記に示す。帯域利用効率として、ＰＯＮ区間を伝送可能なビットレート（ＰＯＮ区間のオーバーヘッド分を除外したＳＤＵのフルビットレート）に対するＳＮＩからの出力レートの比が第１の値以上であること。ＵＮＩ−ＳＮＩ遅延（最優先クラス）として、最優先クラスフローレートの全ＯＮＵ和＜ＰＯＮ区間を伝送可能なビットレートとする（例えば、１５００μ秒以内）。帯域公平性として、１周期内で割当帯域が理想的な割当に対して第２の値以内であること。遅延公平性として、ＤＢＡの周期内の割当順序の格差がないこと。優先制御として、上りで低優先フレームと高優先フレームが混在し、輻輳する場合に低優先フレームのみＤｒｏｐされること。具体的な処理としては後述するような処理であってもよい。
以上の動作は例であり、これに限定されない。
なお、本ユースケースでは、マス向けＳＲ-ＤＢＡとしたが、同様のＡＰＩをマス向け以外の他のビジネス向け、ＭＦＨ向けのＤＢＡとして用いてもよい。
【００７４】
上記のユースケースでは、ＭＦＨ向けとマス向けでそれぞれ別に例示したが、割当対象、例えばＯＮＵやＯＬＴやＡｌｌｏｃ-ＩＤやＬＬＩＤ毎のＭＦＨ向けやマス向けを混在してもよいし、同一割当対象に、連携とＮＳＲとＳＲを混在してもよい。混在は、共存でも併用でも時間等での切替であってもよい。ＡＰＩは少なくとも利用するＡＰＩを揃えればよい。例えばＡｌｌｏｃ-ＩＤ１−５は、ＭＦＨ向け連携ＤＢＡを、Ａｌｌｏｃ−ＩＤ 6-10は、マス向けＮＳＲ-ＤＢＡを、Ａｌｌｏｃ-ＩＤ１０−１５は時間に応じてマス向け連携ＤＢＡとマス向けＮＳＲ-ＤＢＡを切替し、Ａｌｌｏｃ-ＩＤ１５−２０はマス向けＮＳＲ-ＤＢＡとＳＲ-ＤＢＡの併用としてもよい。この場合、いずれかのＡｌｌｏｃ-ＩＤで使用する全ＡＰＩを全Ａｌｌｏｃ-ＩＤ向けに備えてもよいし、各Ａｌｌｏｃ-ＩＤで必要なＡＰＩをそれぞれのＡＰＩ毎に備えていてもよい。
【００７５】
上記のユースケースで示したように、実行部３は、例えば、ｇｒａｎｔ処理部１０４を備え、ｇｒａｎｔ処理部１０４は、ＢＷｍａｐ等の生成までを行ってもよいし、ＢＷｍａｐをＯＮＵに指示するフレーム生成する処理まで行ってもよい。
実行部３は、例えば、Ｒｅｑｕｅｓｔ受信部を備え、ｇｒａｎｔ処理部１０４は、Ｒｅｑｕｅｓｔ情報の積算等の処理まで行ってもよいし、ＤＢＲｕ等の上りフレームからの読出までの処理を行ってもよい。
実行部３は、例えば、トラフィックモニタ１０１２を備え、トラフィックモニタ１０１２は、モニタ情報の積算等の処理まで行ってもよいし、モニタまで行ってもよい。
【００７６】
図３０は、通信装置１００が備えるＤＢＡ機能を実行する構成の別例を示す図である。ＤＢＡ機能を実行する構成として、通信装置１００は、状態取得部１０１、割当計算部１０２、方針決定部１０３及びｇｒａｎｔ処理部１０４を備える。なお、ＤＢＡ機能を実行する構成はこれに限定しない。
状態取得部１０１は、割当対象の上り帯域に関する情報を取得する。状態取得部１０１は、取得した情報を状態情報として割当計算部１０２に出力する。状態取得部１０１は、連携制御部１０１１、トラフィックモニタ１０１２及び申告処理部１０１４のいずれか又は全てを備える。なお、状態取得部１０１は、割当対象の上り帯域に関する情報を取得可能なその他の構成を備えるように構成されてもよい。また、状態取得部１０１の機能の一部、例えば連携制御部１０１１の一部、例えば情報を上り帯域に換算する計算等の処理をする機能を割当計算部１０２、方針決定部１０３、ｇｒａｎｔ処理部１０４のいずれか、又はそれ以外に配置してもよい。
【００７７】
連携制御部１０１１は、例えば、モバイルシステム等から無線リソース情報等のスケジューリング情報を取得する。モバイルシステム等から取得するスケジューリング情報がＯＬＴで使用するＯＮＵに到達する帯域（上りデータ量、到着時刻等）でない場合はＯＮＵに到達する帯域を算出してもよいし、モバイルシステムやモバイルシステムからDBAアプリまでの途中のＦＡＳＡ基盤又はモバイルシステム以外の外部装置で算出してもよい。なお、モバイルシステムからのスケジューリング情報としたが、連携制御部１０１１が取得する情報はＢＢＵ等からＯＬＴ向けに誂えた専用の情報であってもよいし、ＢＢＵとＲＲＨ、ネットワーク側とＵＥ、アンテナ間等でそれぞれでやり取りする通信許可や帯域等に関する情報等であってもよい。トラフィックモニタ１０１２は、所定の期間又は継続する所定の期間・所定の又は所定以外のフローのトラフィック量を計測又は計測結果を統計処理する。計測場所とモニタの位置は同一でも別でもよく、例えば、他の箇所で計測した結果をモニタとして積算してもよい。モニタ位置として例えば、ＰＯＮ  ＡＳＩＣのハード、多重（分離）部、ＯＬＴ内のスイッチ、ＤＷＡ関連のハードウェア、集線スイッチ等の上位側の装置、ｖＨＧＷ等を含む少なくとも仮想的に下位側の装置や、仮想化機能を搭載するサーバ等いずれであってもよい。但し、ＤＢＡ処理に係る機能部に近い方が、モニタ機能の更新頻度の高さや伝送路の占有率の低さや伝搬遅延の少なさ等の効果がある。遠い場合、複数装置の処理の集約し易さや他装置との共有のし易さやメモリ量はレジスタ量の制限の少なさ等の効果がある。申告処理部１０１４は、割当対象の上り帯域に関する申告を受信し、申告に含まれるリソースの割当に関する要求量を抽出する。例えば、状態取得部１０１は、ＮＧ−ＰＯＮ２においては上りフレームからＢｕｆＯｃｃを取得する機能部に相当する。
【００７８】
割当計算部１０２は、状態取得部１０１から出力された状態情報と、方針決定部１０３から出力される割当計算パラメータとを入力とする。割当計算部１０２は、入力された状態情報と、割当計算パラメータとに基づいて、ＤＢＡ周期毎に帯域割当計算を行う。割当計算部１０２は、割当結果をｇｒａｎｔ処理部１０４に設定する。なお、ここでＤＢＡ周期毎に帯域計算を行うとしたが、何らかの割当機会が到着することを意味する。これは以降の説明でも同様である。所定の割当機会の到着とは、ＤＢＡ周期等と称する所定の時間の経過であってもよいし、その時間は固定であってもよいし、可変であってもよいし、更に時間到着以外の特定の条件、例えば要求やモニタ量や推定された要求量や外部等からの所定の情報量が所定の量以上または以下集まったとか、要求やモニタ量や推定された要求量や外部等からの所定の情報量が所定の回数以上または以下又は所定の頻度以上または以下で到着したとか、いずれかの機能部の処理量が所定の値以上または以下となったとか、上位側又は下位側の装置の輻輳状態が所定の値以上または以下になったとか、処理の順番がまわってきたとかのいずれかや又はその組み合わせであってもよい。
【００７９】
割当計算パラメータとは、上記と同様に、最大帯域設定値、保証帯域設定値、固定帯域設定値、最大帯域設定値割当優先、保証帯域設定値割当優先、固定帯域設定値割当優先、割当比率、未所要割当量（割当帯域）、割当順番、割当制限量、使用するアルゴリズムの切替指示、過剰分や欠損分の値、公平性の指標値、複数又は単数のＢＷｍａｐや所定期間における割当対象毎の送信量（割当帯域）又は所定の基準時間でみた送信開始時間又は所定の基準時間でみた送信開始時間と送信量（割当帯域）、複数の「複数又は単数のＢＷｍａｐや所定期間における割当対象毎の送信量（割当帯域）又は所定の基準時間でみた送信開始時間又は所定の基準時間でみた送信開始時間と送信量（割当帯域）」の組から使用する組、波長設定、複数の波長、符号、キャリア周波数、心線、コア毎、モード毎、符号毎及び（直交）周波数毎、又は、それらの少なくとも一部の組み合わせの設定等である。
【００８０】
また、割当計算部１０２は、方針決定パラメータを方針決定部１０３に出力する。方針決定パラメータとは、実行部３（割当計算部１０２を含むハードウェア）での割当又はその統計値を理想的な割当に修正するための割当計算パラメータを指示部５（例えば、方針決定部１０３）で計算するのに要する情報を表す。方針決定パラメータは、例えば、過去の要求量、割当量、利用量、利用率、未所要割当の利用率、外部装置からの情報及び割当計算のいずれかの段階の結果の少なくともいずれか一つの履歴又は統計量等である。
【００８１】
方針決定部１０３は、割当計算部１０２から出力された方針決定パラメータを入力とする。方針決定部１０３は、任意のタイミングで、入力された方針決定パラメータに基づいて割当計算パラメータを計算し、計算した割当計算パラメータを割当計算部１０２に出力する。
ｇｒａｎｔ処理部１０４は、割当計算部１０２によって設定された割当結果に基づいてｇｒａｎｔを生成し、生成したｇｒａｎｔを送信する。例えば、ｇｒａｎｔ処理部１０４は、ＮＧ−ＰＯＮ２においては、ＢＷｍａｐを作成し、作成したＢＷｍａｐを送信する機能部に相当する。
【００８２】
各機能部（状態取得部１０１、割当計算部１０２、方針決定部１０３及びｇｒａｎｔ処理部１０４）の実行部３と指示部５への帰属はユースケース毎に異なる。すなわち、各機能部が、実行部３と指示部５のいずれに属するかはユースケース毎に異なる。ユースケースの例を図３１に示す。
図３１には、ユースケース毎に、機能ブロック、ＤＢＡ−ＡＰＩ  Ｇｅｔ及びＤＢＡ−ＡＰＩ  Ｓｅｔの各項目が示されている。本実施形態では、３つのユースケース（ユースケース１、ユースケース２及びユースケース３）を例に説明する。ユースケース１はＭＦＨ向け光モバイル連携ＤＢＡであり、ユースケース２はＭＦＨ向けＮＳＲ−ＤＢＡであり、ユースケース３はマス向けＳＲ−ＤＢＡである。なお、ユースケース３においては、（ａ）（ＤＢＡ機能の）フルソフト化の場合に加え、従来のＰＯＮのＭＡＣチップ等と同様な構成としてＤＢＡの一部(方式決定部)のみを実装する（ｂ）（ＤＢＡ機能の）一部ソフト化の場合とを示した。なお、ユースケース１及び２でも３と同様に一部ソフト化してもよい。ＤＢＡ−ＡＰＩ  Ｇｅｔの項目は、ＤＢＡ−ＡＰＩのＧｅｔコマンドにより取得される情報を表す。ＤＢＡ−ＡＰＩ  Ｓｅｔの項目は、ＤＢＡ−ＡＰＩのＳｅｔコマンドにより割当対象に設定する内容を表す。ここで、機能のハードウェア上への配置は例であり、性能上処理が可能であればソフトウェア処理で実装してもよい。
【００８３】
ＤＢＡは、各ＯＮＵの上り帯域(送信可能タイムスロット)を割当する処理であり、ＯＮＵからの申告をもとに各ONUに動的に帯域を割当するＳＲ−ＤＢＡと、ＯＮＵからの申告を用いないＮＳＲ−ＤＢＡに分類できる。ＯＮＵからの申告をもとに各ＯＮＵに動的に帯域を割当するＳＲ−ＤＢＡでは、ＯＮＵの申告に応じた帯域利用効率の高い割当ができる一方で、ＯＬＴ−ＯＮＵ間の制御信号の往復に時間を要する。そのため、ＭＦＨの遅延規定を満たすことが困難である。そこで、外部装置から帯域割当に必要な情報を取得する光モバイル連携ＤＢＡと、トラフィック予測に基づき帯域割当するＮＳＲ−ＤＢＡの例である。
以上のユースケースに対応するために、ＦＡＳＡ基盤はＰＯＮの標準で規定されている申告処理機能、ｇｒａｎｔ処理機能に加えて、連携制御機能、トラフィックモニタ機能を有し、連携情報取得、トラフィック量取得、要求量取得、割当計算パラメータ取得、割当量設定、送信開始時刻設定、方針決定パラメータ設定のＡＰＩを提供する必要がある。
【００８４】
ＡＰＩは、ＦＡＳＡアプリケーションからＦＡＳＡ基盤に対する設定(ｇｅｔ)と読出（ｓｅｔ）の形で示す。例えば、ＤＢＡ周期を設定する場合、外部のコントローラから設定・管理アプリに入力し、ＤＢＡアプリ(指示部５)がＡＰＩ“ｇｅｔ＿ＤｂａＣｏｎｆｉｇ”でＤＢＡ周期を読出し、ＡＰＩ“ｓｅｔ＿ＤｂａＣｏｎｆｉｇ”を使って、ＦＡＳＡ基盤(実行部３)にＤＢＡ周期を設定する。
【００８５】
ＡＰＩは、入替・追加するＦＡＳＡアプリケーションに依らずに共通的なＡＰＩセットとし、共通的なＡＰＩセットから各ＦＡＳＡアプリケーションで利用するＡＰＩを選択する。本実施例及びその他の実施例では、ＩＴＵ−Ｔを中心に記述するが、ＩＥＥＥも対象である。従って、各ＤＢＡのＡＰＩは同一のインタフェースである。例えば、ＡＰＩ“ｇｅｔ＿ＡｌｌｏｃａｔｉｏｎＤｂａＣｏｎｆｉｇ”は複数ＤＢＡで共通に使用し、応答データから、それぞれのＤＢＡで必要な情報を利用する。なお、割当対象ＩＤは、ＮＧ−ＰＯＮ２ではＡｌｌｏｃＩＤである。なお、ＡＰＩで用いるコンフィグ番号は、設定パラメータのインデックスであり、インデックスと設定パラメータの対応は例えばひとまとまり等のプロファイルにしてもよいし、プロファイルにしなくてもよい。
【００８６】
なお、例では明記していないが、アプリ入替やアプリの一部あるいは全機能のＯＮ／ＯＦＦのためのＡＰＩを備えることが望ましい。例えば、ＡＰＩ“ｏｎ＿Ｋｉｌｌｅｄ”である。これは、ＤＢＡアプリケーション入替時のデータ引継処理に関するもので、例えば、累積割当量の計算など、単に「ｏｎ＿Ｐｒｏｃｅｓｓを実行しない」だけでは実現できない処理を実行する。また、アプリにイベントを通知する“on_ConfigUpdated”等のＡＰＩで、ＡＰＩの対象とするイベントの種類の定義やイベント自体を登録するＡＰＩを備えることが望ましい。また、ＡＰＩ等の例として、設定情報を変更する等のｇｅｔのＡＰＩしか例示していないが、ｓｅｔのＡＰＩも備えることが望ましい。また、エラー応答のためのＡＰＩも備えることが望ましい。
【００８７】
図３１に基づいて各ユースケースについて簡単に説明する。
（ユースケース１）
ユースケース１では、状態取得部１０１としての連携制御部１０１１、割当計算部１０２、方針決定部１０３及びｇｒａｎｔ処理部１０４が備えられる。そして、連携制御部１０１１及びｇｒａｎｔ処理部１０４と、割当計算部１０２との間にＤＢＡ−ＡＰＩが設けられる。また、ｇｒａｎｔ処理部１０４の機能はハードウェア（ＭＡＣチップ）が用いられる。(ハードウェア上に、当該ユースケースが使用しない機能を備えていてもよい)Ｇｅｔコマンドにより取得される情報の具体例が連携情報などであり、Ｓｅｔコマンドにより割当対象に設定する内容の具体例が割当量、送信開始時刻等であることが表されている。ＭＡＣチップは、ＬＳＩで構成される。
【００８８】
（ユースケース２）
ユースケース２では、状態取得部１０１としてのトラフィックモニタ１０１２、割当計算部１０２、方針決定部１０３及びｇｒａｎｔ処理部１０４が備えられる。そして、トラフィックモニタ１０１２及びｇｒａｎｔ処理部１０４と、割当計算部１０２との間にＤＢＡ−ＡＰＩが設けられる。また、トラフィックモニタ１０１２及びｇｒａｎｔ処理部１０４の機能は格納したハードウェア（ＭＡＣチップ）が用いられる。Ｇｅｔコマンドにより取得される情報の具体例がトラフィック量などであり、Ｓｅｔコマンドにより割当対象に設定する内容の具体例が割当量、送信開始時刻等であることが表されている。
【００８９】
（ユースケース３：（ＤＢＡ機能の）フルソフト化）
ユースケース３の（ＤＢＡ機能の）フルソフト化の場合には、状態取得部１０１としての申告処理部１０１４、割当計算部１０２、方針決定部１０３及びｇｒａｎｔ処理部１０４が備えられる。そして、申告処理部１０１４及びｇｒａｎｔ処理部１０４と、割当計算部１０２との間にＤＢＡ−ＡＰＩが設けられる。また、申告処理部１０１４及びｇｒａｎｔ処理部１０４の機能は格納したハードウェア（ＭＡＣチップ）が用いられる。Ｇｅｔコマンドにより取得される情報の具体例が要求量などであり、Ｓｅｔコマンドにより割当対象に設定する内容の具体例が割当量、送信開始時刻などであることが表されている。
【００９０】
（ユースケース３：（ＤＢＡ機能の）一部ソフト化）
ユースケース３の（ＤＢＡ機能の）一部ソフト化の場合には、状態取得部１０１としての申告処理部１０１４、割当計算部１０２、方針決定部１０３及びｇｒａｎｔ処理部１０４が備えられる。そして、割当計算部１０２と、方針決定部１０３との間にＤＢＡ−ＡＰＩが設けられる。また、申告処理部１０１４、割当計算部１０２及びｇｒａｎｔ処理部１０４の機能は格納したハードウェア（ＭＡＣチップ）が用いられる。Ｇｅｔコマンドにより取得される情報の具体例が割当計算パラメータなどであり、Ｓｅｔコマンドにより割当対象に設定する内容の具体例が方針決定パラメータであることが表されている。
【００９１】
次に、各ユースケースについてより詳細に説明する。
（ユースケース１）
ユースケース１では、一例として割当計算部１０２及び方針決定部１０３が指示部５として構成され、ｇｒａｎｔ処理部１０４が実行部３として構成される。指示部５が、実行部３又は外部装置から、連携情報を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振りして、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
ここで、ＳｅｔとＧｅｔは指示部５が主導のやり取りを例に説明したが、実行部３が主導のやり取りであれば、ＳｅｔとＧｅｔは逆転する。この場合、例えば、タイマー等を用いて一定周期で実行部３から指示部５にＧｅｔしに行ってもよいし、ＯＮＵとのやり取り等のイベントに応じて、実行部３から指示部５にＧｅｔしに行ってもよい。これは、他のユースケースやＡＰＩや実施形態でも同様である。
【００９２】
更に、指示部５は方針決定部１０３と割当計算部１０２とで構成される例を示したが、指示部５は方針決定部１０３のみで、実行部３に割当計算部１０２が更に含まれるように構成されてもよい。この場合、ＤＢＡ-ＡＰＩ  Ｓｅｔ／Ｇｅｔは、後述するユースケース３（ｂ）のマス向けＳＲ-ＤＢＡ（（ＤＢＡ機能の）一部ソフト化）と同様に、割当計算パラメータと方針決定パラメータであってもよい。また、連携制御部１０１１が指示部５であってもよい。なお、図３では、連携制御部１０１１が、ＤＢＡ−ＡＰＩの下側に配置されているが、連携制御部１０１１は実行部３の一部であってもよいし、実行部３以外の機能部であってもよいし、ＡＰＩと異なるＩＦを介した得た情報を処理する指示部５の一部であってもよい。また、連携制御部１０１１の入力を直接ｇｒａｎｔ処理部１０４に出力してもよい。なお、帰属は上記の例に限定されない。
【００９３】
ＤＢＡの各ユースケース（ＭＦＨ向け光モバイル連携ＤＢＡ、ＭＦＨ向けＮＳＲ−ＤＢＡ、マス向けＳＲ−ＤＢＡ（ＤＢＡ機能のフルソフト化）、マス向けＳＲ−ＤＢＡ（ＤＢＡ機能の一部ソフト化））のＡＰＩの概要を図３２Ａ及び図３２Ｂに示す。図３２Ａ及び図３２Ｂにおける「ユースケース」列は、各ユースケースとＡＰＩの対応を示す。すなわち、各ＡＰＩは、「ユースケース」の「１」「２」「３ａ」「３ｂ」のうちチェックが入ったユースケース（ＭＦＨ向け光モバイル連携ＤＢＡ、ＭＦＨ向けＮＳＲ−ＤＢＡ、マス向けＳＲ−ＤＢＡ（ＤＢＡ機能のフルソフト化）、マス向けＳＲ−ＤＢＡ（ＤＢＡ機能の一部ソフト化））で利用される。例えば、図３２Ａに示すように、ＡＰＩ“ｏｎ＿Ｉｎｉｔ”は、入力が“なし”であり、出力が“なし”であり、“ｏｎ＿Ｉｎｉｔ”の概要が“初期化時に呼び出されるコールバック関数”であり、全てのユースケースで利用されることが示されている。なお、図３２Ａ及び図３２Ｂでは、イベント駆動型のＤＢＡプログラムを想定する。
【００９４】
ＡＰＩは、追加や入替するＤＢＡのＦＡＳＡアプリケーション(ＤＢＡアプリ)によらずに共通的なＡＰＩセットとし、共通的なＡＰＩセットから各ＤＢＡアプリで利用するＡＰＩを選択する。例えば、ＡＰＩ“get_AllocationDbaConfig”、“ｓｅｔ＿ＧｒａｎｔＳｉｚｅ”、“set_GrantSizeAndStartTime”はＤＢＡアプリで共通に利用し、“get_CooperationConfig”、“ｇｅｔ＿ＤａｔａＳｉｚｅ”、“ｇｅｔ＿Ｔｒａｆｆｉｃ”、“get_AllocUnitTraffic”、“ｇｅｔ＿ＣａｌｃＣｏｎｆｉｇ”は特定のＤＢＡアプリが利用する。共通に利用する“get_AllocationDbaConfig”は、応答データから、それぞれのＤＢＡアプリで必要な情報を取得する。送信開始時刻を指定しないＡＰＩ“ｓｅｔ＿ＧｒａｎｔＳｉｚｅ”はＦＡＳＡ基盤にて、送信開始時刻を指定するＡＰＩ“set_GrantSizeAndStartTime”はＦＡＳＡアプリケーションにて、それぞれ送信時間開始時刻を決定する。
【００９５】
図３２Ａ及び図３２Ｂの「割当対象」は、ＤＢＡで帯域割当の対象となる論理パスを示す。割当対象番号は、割当対象のインデックスである。コンフィグ番号は、設定パラメータのインデックスである。モニタ番号は、トラフィックモニタの計測対象のインデックスである。方針決定用パラメータは、方針決定部の計算で用いられるパラメータである。割当計算用パラメータは、割当計算部の計算で用いられるパラメータである。
【００９６】
本ユースケースでは、例えば、図３２Ａ及び図３２Ｂでユースケース１の欄にチェックのあるＡＰＩが、ＭＦＨ向け光モバイル連携ＤＢＡの利用するＡＰＩの例である。例えばＡＰＩ“get_CooperationConfig”は、連携制御部１０１１の動作周期や動作モード、連携先のシステム名、バージョン等を取得する。ＡＰＩ“ｇｅｔ＿ＤａｔａＳｉｚｅ”は、帯域割当毎に呼出される。ＡＰＩ“ｇｅｔ＿ＤａｔａＳｉｚｅ”は、個別あるいは指定範囲の割当対象をまとめて取得する。図３２Ａ及び図３２Ｂに示すように、ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。ここで、コンフィグ番号は、設定パラメータのインデックスである。コンフィグ情報としては、例えばＤＢＡ周期などが挙げられる。ここで、ＤＢＡ周期で例示したが所定の割当契機の選択とその契機となる条件であってもよい。また、ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【００９７】
指示部５から実行部３に対する設定（ｇｅｔ）と読出（ｓｅｔ）の形で説明すると、例えば、ＤＢＡ周期を設定する場合、指示部５がＡＰＩ「ｇｅｔ＿ＤｂａＣｏｎｆｉｇ」でＤＢＡ周期を読み出し、「ｓｅｔ＿ＤｂａＣｏｎｆｉｇ」を使って、実行部３にＤＢＡ周期を設定する。また、ＡＰＩ「ｇｅｔ＿ｃｏｏｐｅｒａｔｉｏｎＩｆＣｏｎｆｉｇ」は、例えば連携制御部１０１１の動作周期や動作モード・連携先のシステム名・バージョン等を取得するためのコマンドである。
【００９８】
ＡＰＩ“ｇｅｔ＿ＤａｔａＳｉｚｅ”は、入力が“時刻、割当対象ＩＤ”であり、出力が“要求量”であり、“ｇｅｔ＿ＤａｔａＳｉｚｅ”の概要が“当該割当対象の要求量を取得”することであることが示されている。ここで、割当対象ＩＤとは、割当対象を識別するための識別情報である。また、ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【００９９】
なお、ＡＰＩ「ｇｅｔ＿ＤａｔａＳｉｚｅ」は、ＡｌｌｏｃＩＤ毎に個別に定義する場合、帯域要求時に設定するＡｌｌｏｃＩＤ分のＡＰＩをｇｅｔし、指定範囲で定義する場合、指定したＡｌｌｏｃＩＤ分をまとめてｇｅｔする。送信開始時刻を指定しないＡＰＩ「ｓｅｔ＿ＧｒａｎｔＳｉｚｅ」は実行部３にて、送信開始時刻を指定するＡＰＩ「ｓｅｔ＿ＧｒａｎｔＳｉｚｅＡｎｄＳｔａｒｔＴｉｍｅ」と送信開始時刻を指定するＡＰＩ「ｓｅｔ＿ＳｔａｒｔＴｉｍｅ」は実行部３にて、それぞれ送信開始時刻を決定する。
【０１００】
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【０１０１】
上記のＭＦＨ向け光モバイル連携ＤＢＡのＡＰＩを用いて、例えば図３３の処理が行なわれる。図３３は、ＭＦＨ向け光モバイル連携ＤＢＡのシステム構成と動作シーケンス図である。図３３に示すように、ＭＦＨ向け光モバイル連携ＤＢＡでは、ＢＢＵとＯＬＴとの連携によって、ＭＦＨの遅延規定を満たす帯域割当を実現する。具体的には、ＯＮＵからの申告の代わりに、ＢＢＵが生成する各ＵＥの上り送信制御情報に相当する無線リソース情報から帯域割当情報（各ＯＮＵの上り帯域、送信可能タイムスロットの割当)ＤＢＡアプリあるいはそれ以外のＦＡＳＡ基盤や外部装置等で算出して帯域割当する。無線リソース情報を通知する方法として、モバイルシステムのパラメータとして通知した後にＯＬＴが各ＯＮＵに到着する上りデータ量と到着時刻の少なくともいずれか一方を算出する方法と、ＢＢＵから上りデータ量と到着時刻を直接通知する方法が考えられる。本ＤＢＡでは、外部装置との連携のため、可能なＡＰＩが必要となる。以上の動作は例であり、これに限定されない。
なお、本ユースケースでは、ＭＦＨ向け光モバイル連携ＤＢＡとしたが、同様のＡＰＩをＭＦＨ向け以外の他のビジネス向け、マス向けのＤＢＡとして用いてもよい。
【０１０２】
ＡＰＩは、アルゴリズム等を入替・追加する指示部によらずに共通的なＡＰＩセットとし、共通的なＡＰＩセットから指示部５で利用するＡＰＩを選択する。例えば、ＡＰＩ「ｇｅｔ＿ＡｌｌｏｃａｔｉｏｎＤｂａＣｏｎｆｉｇ」は複数ＤＢＡで共通に使用し、応答データからそれぞれのＤＢＡで必要な情報を利用する。なお、割当対象ＩＤは、ＮＧ−ＰＯＮ２ではＡｌｌｏｃＩＤである。
【０１０３】
（ユースケース２）
ユースケース２では、一例として割当計算部１０２及び方針決定部１０３が指示部５として構成され、ｇｒａｎｔ処理部１０４が実行部３として構成される。指示部５が、実行部３から、トラッフィク量を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振して、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
【０１０４】
ここで、指示部５は方針決定部１０３と割当計算部１０２とで構成される例を示したが、指示部５は方針決定部１０３のみで、実行部３に割当計算部１０２が更に含まれるように構成されてもよい。ＤＢＡ-ＡＰＩ  Ｓｅｔ／Ｇｅｔは、後述するユースケース３（ｂ）のマス向けＳＲ-ＤＢＡ（（ＤＢＡ機能の）一部ソフト化）と同様に、割当計算パラメータと方針決定パラメータであってもよい。更に、トラフィックモニタ１０１２が実行部３に備えられる構成を示したが、トラフィックモニタ１０１２は外部のスイッチ等の装置に備えられてもよい。
【０１０５】
図３２Ａ及び図３２Ｂでユースケース２の欄にチェックのあるＡＰＩが、ＭＦＨ向けＮＳＲ−ＤＢＡの利用するＡＰＩの例である。例えばＡＰＩ“ｇｅｔ＿Ｔｒａｆｆｉｃ”、“get_AllocUnitTraffic”は帯域割当毎に呼出される。ＡＰＩ“ｇｅｔ＿Ｔｒａｆｆｉｃ”は複数ＯＬＴあるいは複数ＯＳＵあるいは複数ＣＴ（Channel Termination）のフローを、ＡＰＩ“get_AllocUnitTraffic”は割当対象の全体あるいは割当対象の特定のフローを、それぞれ主に計測対象とする。ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【０１０６】
ＡＰＩ“ｇｅｔ＿Ｔｒａｆｆｉｃ”は、入力が“モニタ番号”であり、出力が“モニタ結果”であり、“ｇｅｔ＿Ｔｒａｆｆｉｃ”の概要が“当該モニタ番号のモニタ結果を取得”することであることが示されている。ここで、モニタ番号とは、モニタしている対象を識別するための識別情報である。また、ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【０１０７】
また、ＡＰＩ「ｇｅｔ＿Ｔｒａｆｆｉｃ」、「ｇｅｔ＿ＡｌｌｏｃＩｄＴｒａｆｆｉｃ」の計測単位は、ＡｌｌｏｃＩＤの特定のフローから複数ＯＮＵの合算値までの粒度で任意に設定する。主に、ＡＰＩ「ｇｅｔ＿Ｔｒａｆｆｉｃ」、例えばＯＬＴ全体やＯＳＵ（Optical Subscriber Unit）全体やＣＴ全体などＡｌｌｏｃＩＤ毎でない単位、「ｇｅｔ＿ＡｌｌｏｃＩｄＴｒａｆｆｉｃ」はＡｌｌｏｃＩＤ以下の単位である。「ｇｅｔ_Ｔｒａｆｆｉｃ」、「ｇｅｔ_ＡｌｌｏｃＩｄＴｒａｆｆｉｃ」の入力パラメータ（モニター単位）の粒度を設定するAPIとして，「set_TrafficMonitorConfig」等を設定すればよい。ｇｅｔ_Ｒｅｐｏｒｔ、ｇｅｔ_ＡｌｌｏｃＩｄＲｅｐｏｒｔＴｒａｆｆｉｃ、ｇｅｔ_ＴｉｍｅＤａｔａＳｉｚｅ、ｇｅｔ_ＤａｔａＳｉｚｅ等でも同様である。
【０１０８】
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
上記のＭＦＨ向けＮＳＲ−ＤＢＡのＡＰＩを用いて、例えば図３４及び図３５の処理が行なわれる。図３４及び図３５は、ＭＦＨ向けＮＳＲ−ＤＢＡのＡＰＩによる動作例を示す図である。図３４及び図３５には、２種類のＭＦＨ向けＮＳＲ−ＤＢＡの概要を示す。これらは、固定帯域割当（ＦＢＡ）をベースとしたＮＳＲ−ＤＢＡにより、ＳＲ−ＤＢＡで生じる制御信号の往復遅延を削減し、ＭＦＨの遅延規定を満たす帯域割当を実現する。具体的には、トラフィックの統計データに基づくＮＳＲ−ＤＢＡを適用することによって、ＦＢＡで生じる過剰な割当帯域を削減しつつ、マス向けシステムとの共用等のシステム全体の効率化が可能になる。
【０１０９】
一つ目のＮＳＲ−ＤＢＡ（図３４）は、ＴＤＤ方式のモバイルシステムのＴＤＤ周期を推定し、ＴＤＤ周期に応じた帯域割当する。本ＤＢＡでは、ＴＤＤの周期が推定可能なサンプリング速度でのトラフィック統計情報を利用するＡＰＩが必要となる。
二つ目のＮＳＲ−ＤＢＡ（図３５）は、トラフィックの変動が１日〜１週間程度の時間軸で観測すると周期的になっていることに着目し、FBAでのトラフィック統計情報を元に次のトラフィック周期で必要な帯域を推定し、割当する。本ＤＢＡでは、長期にわたるトラフィック統計情報を利用するＡＰＩが必要となる。
以上の動作は例であり、これに限定されない。なお、本ユースケースでは、ＭＦＨ向けＮＳＲ-ＤＢＡとしたが、同様のＡＰＩをＭＦＨ向け以外の他のビジネス向け、マス向けのＤＢＡとして用いてもよい。
【０１１０】
（ユースケース３）
ユースケース３では、一例として割当計算部１０２及び方針決定部１０３が指示部５として構成され、ｇｒａｎｔ処理部１０４が実行部３として構成される。指示部５が、実行部３から、要求量を取得（ＤＢＡ−ＡＰＩ  Ｇｅｔ）し、実行部３（ｇｒａｎｔ処理部１０４）に出力（ＤＢＡ−ＡＰＩ  Ｓｅｔ）する。ＤＢＡ-ＡＰＩ  Ｓｅｔが割当量のみの場合は、実行部３が送信開始時刻を各割当対象に割振して、ＢＷｍａｐ等のｇｒａｎｔ情報を生成する。ＤＢＡ-ＡＰＩ  Ｓｅｔが、送信開始時刻と割当量との場合は、得た通りに各割当対象の送信開始時刻と割当量に従ったｇｒａｎｔ情報を生成する。
【０１１１】
マス向けＳＲ−ＤＢＡ（（ＤＢＡ機能の）フルソフト化の場合）、マス向けＳＲ−ＤＢＡ（（ＤＢＡ機能の）一部ソフト化の場合）の例を示す。図３２Ａ及び図３２Ｂでユースケース３ａの欄にチェックのあるＡＰＩがマス向けＳＲ−ＤＢＡ（ＤＢＡ機能のフルソフト化）で利用するＡＰＩの例である。例えばＡＰＩ“ｇｅｔ＿ＲｅｐｏｒｔＳｉｚｅ”は帯域割当毎に呼出される。ＡＰＩ“ｇｅｔ＿ＲｅｐｏｒｔＳｉｚｅ”は、個別又は指定範囲の割当対象のいずれかの値を取得対象とする。
【０１１２】
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。なお、ＡＰＩの「ｇｅｔ＿ＣａｌｃＣｏｎｆｉｇ」の「割当計算部のコンフィグ情報」は、例えば、割当対象毎の最大帯域、保証帯域等の設定情報を表す。
【０１１３】
ＡＰＩ“ｇｅｔ＿ＡｌｌｏｃＩｄＲｅｐｏｒｔ”は、入力が“割当対象ＩＤ”であり、出力が“ｕｉｎｔ３２＿ｔ要求量”であり、“ｇｅｔ＿ＡｌｌｏｃＩｄReport”の概要が“当該割当対象の要求量を取得”することであることが示されている。また、ＡＰＩ“ｓｅｔ＿ＧｒａｎｔＳｉｚｅ”は、入力が“割当対象ＩＤ、割当量”であり、出力が“なし”であり、“ｓｅｔ＿ＧｒａｎｔＳｉｚｅ”の概要が“当該割当対象に対する割当量をｇｒａｎｔ末尾に追加”することであることが示されている。
【０１１４】
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【０１１５】
また、図３２Ａ及び図３２Ｂでユースケース３ｂの欄にチェックのあるＡＰＩがマス向けＳＲ−ＤＢＡ（ＤＢＡ機能の一部ソフト化）で利用するＡＰＩの例である。ＡＰＩ“ｇｅｔ＿ＣａｌｃＣｏｎｆｉｇ”の“割当計算部のコンフィグ情報”は、例えば割当対象毎の最大帯域、保証帯域等の設定情報である。“方針決定用パラメータ”は要求量や割当量の履歴等である。
【０１１６】
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。また、ＡＰＩ“ｓｅｔ＿ＤｂａＣｏｎｆｉｇ”は、入力が“コンフィグ番号、設定値”であり、出力が“なし”であり、“ｓｅｔ＿ＤｂａＣｏｎｆｉｇ”の概要が“当該割当対象のＤＢＡコンフィグ情報を設定”することであることが示されている。
【０１１７】
ＡＰＩ“ｇｅｔ＿ＰａｒａｍｅｔｅｒＦｏｒＰｏｌｉｃｙＭａｋｉｎｇ”は、入力が“方針決定用パラメータ番号”であり、出力が“方針決定用パラメータ値”であり、“ｇｅｔ＿ＰａｒａｍｅｔｅｒＦｏｒＰｏｌｉｃｙＭａｋｉｎｇ”の概要が“当該パラメータ番号の値を取得”することであることが示されている。また、ＡＰＩ“ｓｅｔ＿ＰａｒａｍｅｔｅｒＦｏｒＣａｌｃ”は、入力が“方針決定用パラメータ番号、割当計算用パラメータ”であり、出力が“なし”であり、“ｓｅｔ＿ＰａｒａｍｅｔｅｒＦｏｒＣａｌｃ”の概要が“当該パラメータ番号の値を設定”することであることが示されている。ＡＰＩ「方針決定用パラメータ」は、要求量や割当量の履歴等である。
ＡＰＩ“ｇｅｔ＿ＤｂａＣｏｎｆｉｇ”は、入力が“コンフィグ番号”であり、出力が“設定値”であり、“ｇｅｔ＿ＤｂａＣｏｎｆｉｇ”の概要が“ＤＢＡコンフィグ情報を取得”することであることが示されている。
【０１１８】
上記のマス向けＳＲ−ＤＢＡ（（ＤＢＡ機能の）フルソフト化及び（ＤＢＡ機能の）一部ソフト化）のＡＰＩを用いて、マス向けＳＲ−ＤＢＡの要求条件を満たす帯域割当行う。マス向けＳＲ−ＤＢＡでは、各ＯＮＵの申告から抽出した要求量をもとに、各ＯＮＵに動的に帯域割当を行う。よって、本ＤＢＡでは、各ＯＮＵの申告から要求量を抽出するＡＰＩが必要である。
マス向けＳＲ−ＤＢＡの要求条件を以下に示す。
・帯域利用効率（ＰＯＮ帯域※１に対するＳＮＩ出力帯域の比）:ｘ％以上
・ＵＮＩ−ＳＮＩ遅延（最優先クラス※２）:１５００マイクロ秒以内※３
・帯域公平性（理想的な割当帯域※４に対する実割当帯域の比）:ｙ％以内
・遅延公平性（同一サービスの利用者間の平均遅延の差）:ｚ％以内
・優先制御:輻輳時に最優先クラス※２以外の低優先フレームのみ廃棄されること
※１: オーバーヘッド分を除外したＰＯＮ区間のデータ帯域
※２: 全ONUの最優先クラスフロー帯域の総和≦ＰＯＮ帯域
※３: ITU-T G.989.3
※４: 例えば、ＭａｘＭｉｎ公平
【０１１９】
上記の要求条件は例であり、サービス毎あるいは通信事業者毎に異なる。本ＤＢＡでは、要求条件の追加や入替に対応可能なＡＰＩが必要となる。
また、本ＤＢＡでは、処理性能等の観点から、処理の一部をＰＯＮのＭＡＣチップ等の専用ハードウェアに実装するためのＡＰＩも規定する。具体的な処理としては後述するような処理であってもよい。
以上の動作は例であり、これに限定されない。
なお、本ユースケースでは、マス向けＳＲ-ＤＢＡとしたが、同様のＡＰＩをマス向け以外の他のビジネス向け、ＭＦＨ向けのＤＢＡとして用いてもよい。
【０１２０】
上記のユースケースでは、ＭＦＨ向けとマス向けでそれぞれ別に例示したが、割当対象、例えばＯＮＵやＯＬＴやＡｌｌｏｃ-ＩＤやＬＬＩＤ毎のＭＦＨ向けやマス向けを混在してもよいし、同一割当対象に、連携とＮＳＲとＳＲを混在してもよい。混在は、共存でも併用でも時間等での切替であってもよい。ＡＰＩは少なくとも利用するＡＰＩを揃えればよい。例えばＡｌｌｏｃ-ＩＤ１−５は、ＭＦＨ向け光モバイル連携ＤＢＡを、Ａｌｌｏｃ−ＩＤ６−１０は、マス向けＮＳＲ-ＤＢＡを、Ａｌｌｏｃ-ＩＤ１０−１５は時間に応じてＭＦＨ向け光モバイル向け連携ＤＢＡとマス向けＮＳＲ-ＤＢＡを切替し、Ａｌｌｏｃ-ＩＤ１５−２０はマス向けＮＳＲ-ＤＢＡとＳＲ-ＤＢＡの併用としもよい。この場合、いずれかのＡｌｌｏｃ-ＩＤで使用する全ＡＰＩを全Ａｌｌｏｃ-ＩＤ向けに備えてもよいし、各Ａｌｌｏｃ-ＩＤで必要なＡＰＩをそれぞれのＡＰＩ毎に備えていてもよい。
【０１２１】
上記のユースケースで示したように、実行部３は、例えば、ｇｒａｎｔ処理部１０４を備え、ｇｒａｎｔ処理部１０４は、ＢＷｍａｐ等の生成までを行ってもよいし、ＢＷｍａｐをＯＮＵに指示するフレーム生成する処理まで行ってもよい。
実行部３は、例えば、申告受信部を備え、ｇｒａｎｔ処理部１０４は、申告情報の積算等の処理まで行ってもよいし、ＤＢＲｕ等の上りフレームからの読出までの処理を行ってもよい。
実行部３は、例えば、トラフィックモニタ１０１２を備え、トラフィックモニタ１０１２は、モニタ情報の積算等の処理まで行ってもよいし、モニタまで行ってもよい。
【０１２２】
ＢＷｍａｐ等の生成としては、例えば、同一宛先に所定の帯域又は所定の帯域設定で繰り返し割当を行う。
指示部５は、実行部３の割当が通信事業者やサービスによって異なるサービスポリシーに応じた所望の状態に近づくように実行部３に指示する。例えば、実行部３における割当の情報を検出し、検出結果と所望の割当となるように、実行部３における割当の割当、割当結果、割当履歴、割当に伴うデータ導通、導通履歴、要求、要求履歴、外部装置からの情報及び外部装置からの情報の履歴を検出し、検出結果が所望の割当に近づくように、実行部３に以下の（ａ）から（ｅ）のいずれかを指示する。
（ａ）割当対象の少なくとも一部に対する割当抑止又は優先割当（実施形態１．１）
（ｂ）帯域設定の変更（実施形態１．２）
（ｃ）割当（実施形態１．３）
（ｄ）割当の順番（実施形態１．４）
（ｅ）割当／割当設定の切替（実施形態１．５）
【０１２３】
実施形態に係るＯＬＴは、実行部３における割当が所望の割当に近づくように指示部５が指示を行うため、実行部３で少なくとも割当に関する判定アルゴリズムやソフトウェアを変更することなく、割当処理の判定アルゴリズムやポリシーを変更できる。本実施形態は、変更する必要がない限り時間が経過して、宛先毎に同一の所定の帯域又は帯域設定で割当が継続される。「継続」については、変更する指示が来ない限り継続する。なお、継続する最少時間としては、指示に実行部３が応答に要する時間と、指示部５での指示作成に要する時間と、指示部５と実行部３の通信時間の総和以上となる。指示部５からの指示と実行部３の応答は同一又は整数倍又は整数分の１に比例する関係の周期且つ同期することが望ましいが、指数平均等の履歴を少なくとも一部継続し検出する処理を用いれば周期同士が倍数関係等になくとも非同期であってもよい。周期はＤＢＡやＤＷＡやＤＷＢＡ等の割当に関する周期であってもよく、割当が少なくとも要求有又は要求有と予測される割当対象への割当が一巡する周期であってもよい。
【０１２４】
実行部３における割当の情報は、実行部３における割当又は割当結果又は割当履歴又は割当に伴うデータ導通又は導通履歴又は要求又は要求履歴又は外部装置からの情報又はその外部装置からの情報の履歴の少なくともいずれかを含む。「要求」は、ＯＮＵの申告で上り帯域／送信時間を要求するもの又はそれを予測したものをいう。要求、要求履歴又は外部装置からの情報又はその外部装置からの情報の履歴は、一部又は全てを実行部３で処理や保持してもよいし、一部又は全てを指示部５で処理や保持してもよいし、一部又は全てを実行部３と指示部５で独立して処理や保持してもよいし、一部又は全てを実行部３又は指示部５の一方で処理や保持して他方に渡してもよいし、一部又は全てを実行部３及び指示部５以外で処理や保持して実行部３又は指示部５の少なくとも一方に渡してもよい。要求は、要求自体を用いてもよいし、割当、割当結果、割当履歴、データ導通、導通履歴、要求、要求履歴、外部装置からの情報及び外部装置からの情報の履歴等から予測した予測を用いてもよいし、両者を併用してもよい。要求の予測は少なくともその一部を実行部３又は指示部５又はそれ以外で実施してもよいし、要求の実施個所で、割当又は割当結果又は割当履歴又はデータ導通又は導通履歴又は要求又要求履歴又は外部装置からの情報又はその外部装置からの情報の履歴等の予測に必要な情報の入力を受けるのが望ましい。
【０１２５】
データ導通は、実行部３、指示部５、それ以外の箇所例えば主信号が導通する後述のスイッチ部（ＳＷ）１２、スイッチ部（ＳＷ）１３、プロキシ部１５、主信号或いは制御信号のネットワークの上位側の装置のいずれで検出してもよい。導通量の処理や、データ導通の履歴である導通履歴は、実行部３、指示部５、それ以外の箇所例えば主信号が導通する後述のＳＷ１２、ＳＷ１３、プロキシ部１５、上位側の装置やオペレーションシステムやコントローラ等の導通量の検出結果を処理や保持する箇所で処理や保持してもよい。
【０１２６】
オペレーションシステムやコントローラ等で実施の場合、例えばＳＮＭＰ（Simple Network Management Protocol）やＮＥＴＣＯＮＦ（Network Configuration Protocol）やオープンフロー等でオペレーションシステムやコントローラ等に入力されるトラフィック情報を処理や保持すればよい。導通、導通履歴、割当、割当結果、割当履歴も要求や要求履歴、外部装置からの情報及び外部装置からの情報の履歴を、その一部又は全てを実行部３や指示部５やそれ以外のいずれか又はその全てで用いたり、相互に渡したりしてもよい。
【０１２７】
実行部３で受信した要求、実行部３で受信した要求に基づき実行部３で予測した要求、予測受信に基づき予測することが主と考えられるが、以下の構成であってもよい。
・指示部５で要求を終端して利用する構成。実行部３は要求によらずに割当を行い、指示部５でのみ要求を利用する。
・指示部５で要求を終端し、指示部５での利用有無のいずれかで、要求又は要求予測を実行部３に転送する構成。
・実行部３と指示部５の両方で要求を終端してそれぞれ独立に利用する構成。
・実行部３で要求を終端して、実行部３で利用する構成。
・実行部３で要求を終端して、実行部３での利用有無のいずれかで、要求又は要求予測を指示部５に転送する構成。
・指示部５で要求を終端して要求履歴、外部装置からの情報、外部装置からの情報の履歴の少なくとも１つを指示部５で保持する構成。
・指示部５で要求を終端して、指示部５での利用有無のいずれかで、要求履歴、外部装置からの情報、外部装置からの情報の履歴の少なくとも１つを実行部３で保持する構成。
・実行部３と指示部５の両方で要求を終端して、実行部３と指示部５の両方で要求履歴、外部装置からの情報、外部装置からの情報の履歴の少なくとも１つを保持する構成。
・実行部３で要求を終端して、実行部３で要求履歴、外部装置からの情報、外部装置からの情報の履歴の少なくとも１つを保持する構成。
・実行部３で要求を終端して、要求履歴、外部装置からの情報、外部装置からの情報の履歴の少なくとも１つを指示部５に保持する構成。
【０１２８】
（実施形態１．１）
本実施形態では、ＴＷＤＭ−ＰＯＮの１波長の中の時分割多重での帯域割当を中心に例示するが、時分割多重、波長分割多重、心線分割多重、コア分割多重、モード分割多重、符号分割多重及び（直交）周波数分割多重等の他の分割多重の少なくとも一つの組み合わせで割当してもよい。この場合、分割多重する波長、心線、コア、モード、符号及び（直交）周波数等の他の分割多重の和を割当すれば同様である。例えば、１０Ｇｂｉｔ／ｓ／λの４波長であれば４０Ｇｂｉｔ／ｓを、１０Ｇｂｉｔ／ｓと２０Ｇｂｉｔ／ｓの心線が１心線ずつであれば３０Ｇｂｉｔ／ｓを、１０Ｇｂｉｔ／ｓ／λの４波長が２心線であれば８０Ｇｂｉｔ／ｓを割当し、指示は割当されるものの組み合わせですればよい。ここで、割当は、割当される対象に応じて、割当帯域、波長、心線、コア、モード、符号及び（直交）周波数のいずれか、又は、割当帯域、波長、心線、コア、モード、符号及び（直交）周波数毎の割当帯域のいずれか、又は、それらの総和の割当帯域のいずれかであってもよい。
【０１２９】
本実施形態の実行部３は、同一宛先に所定の帯域、波長、心線、コア、モード、符号及び（直交）周波数のいずれか、又は、それらの少なくともいずれかの組み合わせで割当を継続する。本実施形態の指示部５は、実行部３の割当、割当結果、割当履歴、割当に伴うデータ導通、導通履歴、要求、要求履歴、外部装置からの情報及び外部装置からの情報の履歴を検出し、所定の期間の検出結果と所望の割当となるように割当対象の少なくとも一部に対する割当抑止又は優先割当を実行部３に指示する。
【０１３０】
所定の帯域は、平均的には、割当対象（例えば、ＯＮＵ、ＯＮＵのキュー、ＯＮＵのクラスバッファ、Ａｌｌｏｃ−ＩＤ（Allocation Identifier）、Ｔ−ＣＯＮＴ（Transmission Container）及びＬＬＩＤ（Logical Link ID（IDentifier））等）毎の固定帯域設定があればその固定帯域設定値を下限として、最大帯域設定があればその最大帯域設定値を、又は、複数割当対象で利用可能な総帯域があればその総帯域の値を、又は、両者があればそれらの下限を上限とすることが望ましい。
【０１３１】
所定の帯域は、単一又は複数のＢＷＭａｐの形態、Ｔ−ＣＯＮＴやＡｌｌｏｃ−ＩＤやＬＬＩＤ等の割当単位毎の割当時間、開始時間と割当時間の組み合わせ、Ｔ−ＣＯＮＴやＡｌｌｏｃ−ＩＤやＬＬＩＤ等の割当単位毎の割当時間と割当順番の組み合わせでの帯域であってもよい。
【０１３２】
所定期間は、指示部５の指示を受けて実行部３が所定の帯域を変更に要する時間よりも長いことが望ましい。例えば数〜十数倍であり、複数回の変更に要する時間である。また、ユーザが所望の割当からの差異を検知しない程度の時間であることが望ましい。例えば、帯域を計測する時間単位、例えば１秒以下であることが望ましい。
【０１３３】
実行部３の割当又は割当結果は、実行部３からの申告又はいずれかの箇所での測定又はオペレーションシステム等の制御側の上位システムに申告するための保持情報又は過去の指示の履歴をＯＡＭやバックボードや内部配線や主信号の配線や専用の配線やオペレーションシステムやコントローラや制御部等の経路を経由して入力又は指示部５で保持する指示の履歴から入力する。履歴は指示部５以外で積算してもよい。
【０１３４】
所定期間の割当履歴は、例えば、指数平均、移動平均、所定の間隔で履歴をリセットする形の平均、及びその他の統計処理をした履歴である。
【０１３５】
割当に伴うデータ導通又は導通履歴は、実行部３からの申告又は主信号の経路等のいずれかの箇所での測定又は上位システムに申告するための保持情報を内部配線やバックボードやＯＡＭや主信号線や専用の配線やオペレーションシステムやコントローラや制御部等の経路を経由して入力する。履歴は指示部５以外で積算してもよい。
【０１３６】
要求、要求履歴、外部装置からの情報及び外部装置からの情報の履歴は、ＯＮＵからの申告又は申告の複写を指示部５で直接終端して入力又はいずれかの箇所で終端して内部配線やバックボードやＯＡＭや主信号線や専用の配線やオペレーションシステムやコントローラや制御部等の経路を経由して入力又は割当帯域の利用（割当の未使用分があれば利用分が要求、未使用割当がなければ（全利用ならば）割当以上の要求）を実行部３からの申告又はいずれかの箇所での測定又は上位システムに申告するための保持情報又は過去の指示の履歴を内部配線やバックボードやＯＡＭや主信号線や専用の配線やオペレーションシステムやコントローラや制御部等の経路を経由して入力又は指示部５で保持する指示の履歴から入力する。履歴は指示部５以外で積算してもよい。
【０１３７】
要求、要求履歴、外部装置からの情報及び外部装置からの情報の履歴は、入力した割当、割当履歴、データ導通、導通履歴、割当結果や要求、要求履歴、外部装置からの情報及び外部装置からの情報の履歴とから将来の要求又は本来割当するべきであったが割当してない帯域を予測してもよい。予測は、一次関数や２次関数や指数平均や移動平均等の統計処理により予測してもよいし、過去の要求や割当利用の結果やサーバとの距離等に応じて設定したＲＴＴ（Round Trip Time）等に基づくＴＣＰ（Transmission Control Protocol）等の挙動を基に予測してもよいし、未使用割当がなければ保証帯域設定と予測してもよいし、未使用割当がなければ保証帯域設定が非零又は保証帯域設定から固定帯域設定を減じた値が非零で且つ未使用割当がない又は保証帯域設定を超過して要求のある割当対象で非保証帯域を保証帯域設定又は保証帯域設定から固定帯域設定を減じた値に応じて按分した帯域と予測してもよいし、未使用割当がなければ未使用割当がない又は保証帯域設定を超過して要求のある割当対象でベストエフォート帯域を按分した帯域と予測してもよい。また、複数の予測方法を組み合わせて予測してもよい。
【０１３８】
所望の割当は、要求のある割当対象に、その要求又は要求の予測値又は要求又は要求の予測値にそこからのずれを検出するための帯域を加えた帯域を上限として、所定の比率に応じた帯域でよい。所定の比率は例えば、保証帯域設定又は保証帯域設定から固定帯域設定を減じた値の比率である。所定の帯域は、波長毎、符号毎、キャリア周波数毎、心線毎、コア毎、モード毎、符号毎及び（直交）周波数毎のいずれか、又は、それらの少なくとも一部の組み合わせや、それらに対応するＴＲｘ（Transmitter and Receiver）やＴｘ（Transmitter）やＲｘ（Receiver）単位で設定してもよいし、複数の波長、符号、キャリア周波数、心線、コア毎、モード毎、符号毎及び（直交）周波数毎のいずれか、又は、それらの少なくとも一部の組み合わせ等のＴＲｘやＴｘやＲｘを束ねたＯＳＵ単位やＯＳＵ中のＳＷ（Ｓｗｉｔｃｈ）単位で設定してもよいし、複数の波長、符号、キャリア周波数、心線、コア毎、モード毎、符号毎、（直交）周波数毎のいずれか、又は、それらの少なくとも一部の組み合わせ等のＴＲｘやＴｘやＲｘ又はＯＳＵを束ねたＳＷ単位で設定してもよいし、上位側の装置の帯域を共用する割当対象単位で設定してもよい。所望の割当は、割当単位毎の最大帯域設定を上限とすることが望ましく、ＴＲｘやＴｘやＲｘやそれらを束ねたものとしての総帯域設定があればそれを上限とすることが望ましい。
【０１３９】
所定期間の割当の所望の割当への近づけ方は任意であり、以下が例示できる。
実行部３はあらかじめ定められた設定又は帯域で割当を継続する。指示部５は、実行部３に対して割当が所望よりも超過する割当対象に対して割当抑止又は優先割当停止又は割当抑止も優先割当も無、不足する割当対象に対して優先割当又は割当抑止停止又は割当抑止も優先割当も無の少なくともいずれかを指示する。ここで優先割当や割当抑止や優先割当停止や割当抑止停止無との指示は指示前が逆の状態の場合に行うか、超過であれば不足側で指示、不足であれば超過側で指示することで当該側は指示しなくともよい場合等である。割当抑止と優先割当の帯域は、指示部５から明示的に指示してもよいし、所定の粒度でその粒度の幾つ分が指示してもよいし、指示部５は割当抑止のみ、優先割当のみ、割当抑止と優先割当のみ、割当抑止と優先割当と割当抑止も優先割当もしないこと、割当抑止停止と優先割当停止のみ等を指示してもよい。
【０１４０】
また、抑止は当該割当対象の割当を完全抑止して零としてもよく、優先は割当可能な全帯域を当該割当対象に割当してもよい。実行部３への指示は、割当対象がＯＮＵ１〜３とすれば、例えば、割当抑止対象のみに印、例えば「１」を付与し、割当抑止対象外には印なし、例えば「０」のままとし、ＯＮＵ１のみ抑止であれば、（ＯＮＵ１、ＯＮＵ２、ＯＮＵ３）＝（１、０、０）に対応して指示する。優先割当対象のみに印、例えば「１」を付与し、割当抑止対象外には印なし、例えば「０」のままとし、ＯＮＵ１のみ抑止であれば、（ＯＮＵ１、ＯＮＵ２、ＯＮＵ３）＝（１、０、０）に対応して指示する。優先割当と割当抑止の対象にのみに印、例えばそれぞれ「１」「２」を付与し、割当抑止対象外には印なし、例えば「０」のままとし、ＯＮＵ１とＯＮＵ２がそれぞれ優先と抑止であれば、（ＯＮＵ１、ＯＮＵ２、ＯＮＵ３）＝（１、２、０）に対応して指示する。優先又は抑止対象のＯＮＵ番号で指示してもよい。また、優先又は抑止のみではなく、優先又は抑止する容量自体を又は帯域又は設定帯域を列挙してもよい。例えばＯＮＵ１が優先２０Ｍｂｉｔ／ｓ相当、ＯＮＵ２が抑止１０Ｍｂｉｔ／ｓ相当として、（ＯＮＵ１、ＯＮＵ２、ＯＮＵ３）＝（２０、−１０、０）に対応して指示してもよい。
【０１４１】
柔軟な割当の例としては、実行部３の割当比がＯＮＵ１〜３均等固定であり、所望の割当比が１：２：３である場合、例えば、指示部５はそのＯＮＵの比をＯＮＵの比の総和で除した期間の比のみ完全優先して、他の期間は完全抑止する。完全優先の期間の比をＯＮＵ１、２、３でそれぞれ１／６、２／６、３／６となるように完全優先と完全抑止を組み合わせることで１：２：３の割当比とできる。
【０１４２】
実行部３に設定又は指示部５から指示する優先割当と割当抑止の値の例を示す。
・要求有又は要求有との予測且つ所望の割当から所定期間の割当履歴が低い割当対象にその差分が解消するように単一又は複数の所定期間優先割当を指示する。
・要求有又は要求有と予測且つ所望の割当から所定期間の割当履歴が低い割当対象にその差分が解消するように単一又は複数の所定期間優先割当を指示する。
・要求有又は要求有との予測且つ所望の割当から所定期間の割当履歴が高い又は低い割当対象にその差分が解消するように単数又は複数の所定期間保証帯域設定となるように優先割当又は割当抑止する。
・要求有又は要求有との予測且つ所望の割当から所定期間の割当履歴が高い又は低い割当対象にその差分が解消するように単数又は複数の所定期間の低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分が解消するように単一または複数の所定期間を固定帯域設定を下限として割当抑止する。
・要求有又は要求有と予測且つ所望の割当から所定期間の割当履歴が高い割当対象にその差分を解消するように単一又は複数の所定期間割当抑止する。
・要求有又は要求有との予測且つ所望の割当から所定期間の割当履歴が高い又は低い割当対象に当該割当対象の保証帯域設定又は固定帯域設定となるように優先割当又は割当抑止する。
・要求有又は要求有との予測且つ所望の割当から所定期間の割当履歴が高い又は低い割当対象に当該割当対象の保証帯域設定に非保証割当帯域又はベストエフォート帯域又はその予測値を当該割当対象に応じて按分した帯域よりも少ない帯域に優先割当又は割当抑止とする。
・要求無又は要求無との予測の割当対象に当該割当対象の保証帯域設定又は固定帯域設定となるように優先割当又は割当抑止する。
・割当抑止又は優先割当は、割当自体への指示で例示したが、要求を加減したり、所定の比率で乗除したり、実行部３が履歴を保持する場合はその履歴を加減乗除する。
【０１４３】
指示部５から実行部３への伝達は、所定のビット列等の識別子を付与して他の情報と区別がつくようにして伝達してもよいし、Ｅｍｂｅｄｄｅｄ  ＯＡＭの形で伝達してもよいし、ＯＡＭフレームや、ＭＰＣＰ（Multi Point Control Protocol）フレームや、所定のＶＩＤ（ＶＬＡＮ（Virtual Local Area Network） Identifier）やＭＡＣアドレスやＴＯＳ／ＣＯＳ（Type of Service／Class of Service）やそれらの組み合わせやＶＰＩ（Virtual Path Identification）やＶＣＩ（Virtual Channel Identification）で識別できるようにしたフレームやセルにカプセル化してやり取りしてもよい。指示部５は処理部が識別できるように識別子の付与やカプセル化や所定の通信路で通信する機能を備え、処理部は識別できるように識別子の識別やデカプセル化や所定の通信路で通信を受ける機能を備える。処理部から指示部５への入出力も同様であり、ＯＮＵからの申告を指示部５が直接終端する場合以外は、受信できるように処理して指示部５に入力する機能を申告がやり取りされる経路等上に備える。
【０１４４】
（実施形態１．２）
本実施形態の実行部３は、同一宛先に所定の帯域、波長、心線、コア、モード、符号、及び（直交）周波数のいずれか、又は、それらの少なくともいずれかの組み合わせの設定で割当を継続する。本実施形態の指示部５は、所定の期間の検出結果と所望の割当となるように実行部３に帯域設定の変更を実行部３に指示する。
【０１４５】
所定期間の割当の所望の割当への近づけ方は任意であり、以下が例示できる。
実行部３はあらかじめ定められた設定で割当を継続する。指示部５は、実行部３に対して割当が所望よりも超過する割当対象に対して設定値を減少し、不足する割当対象に対して設定値を増加する指示をする。設定値は、指示部５から明示的に指示してもよいし、所定の粒度でその粒度の幾つ分等で指示してもよいし、指示部５は設定値増減と初期設定に戻すことを指示してもよい。実行部３への指示は、割当対象がＯＮＵ１〜３、固定帯域、保証帯域、最大帯域の各設定値Ｐ＿ＦＸＢｉ、Ｐ＿ＧＵＢｉ、Ｐ＿ＭＡＢｉ（ｉ＝１〜３）等の一部或いは全ての具体的な値に対応する値を指示してもよいし、該当する設定値の増減値を指示してもよいし、それ以外の設定値に関して指示してもよい。
【０１４６】
柔軟な割当の例としては、所定の期間の使用帯域積が上限の設定のある新サービスを既存の装置で提供することが、指示部５で上限に達したら設定値を変更するように実行部３にて指示することで実行部３を変更することなく、実現できる。
【０１４７】
実行部３に設定又は指示部５から指示する設定変更の値の例を示す。
・要求有又は要求有との予測且つ所望の割当から所定期間の割当履歴が低い割当対象にその差分を単一または複数の所定期間で除した帯域を最大帯域設定を上限として加算した帯域設定とする。
・要求有又は要求有と予測且つ所望の割当から所定期間の割当履歴が低い割当対象にその差分を単一又は複数の所定期間で除した帯域を加算した帯域設定とする。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値を帯域設定とする。
・要求有又は要求有との予測且つ所望の割当から所定期間の割当履歴が高い割当対象にその差分を単一または複数の所定期間で除した帯域を固定帯域設定を下限として減算した帯域設定とする。
・要求有又は要求有と予測且つ所望の割当から所定期間の割当履歴が高い割当対象にその差分を単一又は複数の所定期間で除した帯域を減算した帯域設定とする。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当帯域又はベストエフォート帯域又はその予測値を当該割当対象に応じて按分した帯域よりも少ない帯域を加えた値を設定値とする。
・要求無又は要求無との予測の割当対象に当該割当対象の保証帯域設定又は固定帯域設定とする。
【０１４８】
（実施形態１．３）
本実施形態の実行部３は、同一宛先に所定の帯域又は波長又は心線又はコア又はモード又は符号又は（直交）周波数又は少なくともそれらの一部の組み合わせで割当を継続する。本実施形態の指示部５は、所定の期間の検出結果と所望の割当とのとなるように実行部３に所定の割当を実行部３に指示する。
【０１４９】
所定期間の割当の所望の割当への近づけ方は任意であり、以下が例示できる。
実行部３は指示部５より指示された割当で割当を継続する。指示部５は、実行部３に対して割当が所望よりも超過する割当対象の割当が減少、不足する割当対象に対して割当が増大の少なくともいずれか一方となる割当を指示する。指示は、割当対象毎の所定の周期における割当帯域であってもよいし、ＢＷＭａｐにて指示するＡｌｌｏｃ−ＩＤとＡｌｌｏｃ−ＩＤに対応して割当する時間スロットであってもよいし、所定の期間における割当対象毎の送信開始時間と送信継続時間であってもよい。指示は、割当対象への割当が実行部３で可能な形式であればよい。所定の期間は１又は複数のＢＷＭａｐ分であってもよいし、１又は複数のＤＢＡサイクル分であってもよいし、換算可能であれば整数倍以外のＢＷＭａｐやＤＢＡサイクル分であってもよい。実行部３の指示部５からの新しい割当に変更する時期は、割当が一巡するタイミングが望ましいが、新しい割当が到着次第であってもよい。
実行部３は変更することなく、指示部５の指示する割当を変更すれば柔軟な割当が可能である。
【０１５０】
実行部３に設定又は指示部５から指示する割当の値の例を示す。
・要求有又は要求有との予測且つ所望の割当から所定期間の割当履歴が低い割当対象にその差分を単一または複数の所定期間で除した帯域を最大帯域設定を上限として加算する。
・要求有又は要求有と予測且つ所望の割当から所定期間の割当履歴が低い割当対象にその差分を単一又は複数の所定期間で除した帯域を加算する。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分を単一または複数の所定期間で除した帯域を固定帯域設定を下限として減算する。
・要求有又は要求有と予測且つ所望の割当から所定期間の割当履歴が高い割当対象にその差分を単一又は複数の所定期間で除した帯域を減算する。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当又はベストエフォート帯域又はその予測値を当該割当対象に応じて按分した帯域よりも少ない帯域を加えた値とする。
・要求無又は要求無との予測の割当対象に当該割当対象の保証帯域設定又は固定帯域設定とする。
【０１５１】
（実施形態１．４）
本実施形態の実行部３は、同一宛先に所定の帯域又は波長又は心線又はコア又はモード又は符号又は（直交）周波数又はそれらの少なくともいずれかの組み合わせの設定で割当を継続する。本実施形態の指示部５は、検出結果と所望の割当となるように実行部３に割当の順番を指示する。
【０１５２】
所定期間の割当の所望の割当への近づけ方は任意であり、以下が例示できる。
実行部３は、割当の順番に応じて大きな帯域を割当する。例えば、割当順が第１の割当対象に全てを割当、第１の割当対象にその要求又は要求予測等を上限として割当して残りを後の順の割当対象に割当を継続する。この例の場合は前方の順番が割当が大きい順番であり、後方が割当が小さい順番である。逆の場合は逆となる。実行部３の割当順は、指示部５からの指示がなければ毎回同一の順番であってもよく。１又は複数回の割当毎に順番を繰り上げたり繰り下げたりしてシフトして循環するように順番を変えてもよい。指示部５は、実行部３に対して割当が所望よりも超過する割当対象に対して実行部３での割当が小さい順番となるか、不足する割当対象に対して実行部３での割当が大きい順番となるかの少なくとも一方を指示することで所望の割当に近づける。割当毎に順番を繰り上げたり繰り下げたりシフトする場合は、特に検出結果と所望の割当との差異の大きい順に割当順を並べることが望ましい。割当順の変更は割当周期毎又は要求又は要求予測が非零の割当対象数分の割当周期毎が望ましいが、指数平均等の履歴を少なくとも一部継続し検出する処理を用いればそれ以外であってもよく、周期の位相がずれていてもよい。
【０１５３】
柔軟な割当の例としては、実行部３の割当順がＯＮＵ１〜３で均等となる割当順、例えば１−＞２−＞３−＞１−＞・・・と巡回して大きな帯域を割当し、所望の割当比が１：２：３である場合、例えば、指示部５はそのＯＮＵの比で大きな帯域を割当する順番とすればよい。例えば１−＞２−＞２−＞３−＞３−＞３−＞…とすることで１：２：３の割当比とできる。
【０１５４】
前方の順番ほど大きな帯域を割当する実行部３に指示部５から指示する割当順の例を示す。降順ほど大きな帯域を割当する実行部３への指示であれば以下の例の前方と後方が逆となる。
・要求有又は要求有との予測且つ所望の割当から所定期間の割当履歴が低い割当対象にその差分を解消するように単一又は複数の所定期間割当の順番をより前方に配置するようにする。
・要求有又は要求有と予測且つ所望の割当から所定期間の割当履歴が低い割当対象にその差分を解消するように単一又は複数の所定期間割当の順番をより前方に配置するようにする。
・要求有又は要求有との予測且つ所望の割当から所定期間の割当履歴が高い割当対象にその差分を解消するように単一又は複数の所定期間割当の順番をより後方に配置するようにする。
・要求有又は要求有と予測且つ所望の割当から所定期間の割当履歴が高い割当対象にその差分を解消するように単一又は複数の所定期間割当の順番をより後方に配置する。
【０１５５】
（実施形態１．５）
本実施形態の実行部３は、同一宛先に所定の帯域又は波長又は心線又はコア又はモード又は符号又は（直交）周波数又はそれらの少なくともいずれかの組み合わせで、あらかじめ複数の割当又は設定をもち、その割当又は設定での割当を継続する。割当の場合は、例えば実施形態１．３に示した割当、設定の場合は、例えば実施形態１．２に示した設定を用いる。本実施形態の指示部５は、所定の期間の検出結果と所望の割当となるように、実行部３が割当に用いる割当又は設定の切替を実行部３に指示する。
【０１５６】
所定期間の割当の所望の割当への近づけ方は任意であり、以下が例示できる。
実行部３は指示部５より指示された割当又は設定で割当を継続する。指示部５は、実行部３に対して割当が所望よりも超過する割当対象に割当が小さくなる、不足する割当対象に対して割当が大きくなる、の少なくともいずれかとなる割当又は設定への切替を指示する。実行部３の指示部５からの新しい割当又は設定に変更する時期は、ＤＢＡやＤＷＡやＤＷＢＡ等の割当に関する周期や、割当が少なくとも要求有又は要求有と予測される割当対象への割当が一巡する周期で同期した時期又は現設定での割当が完了したタイミングが望ましいが、新しい割当又は設定への切替指示が到着次第であってもよい。特に、指数平均等の履歴を少なくとも一部継続し検出する処理を用いれば周期同士が倍数関係等になくとも非同期であってもよい。
【０１５７】
柔軟な割当の例としては、所定の期間の使用帯域積が上限の設定のある新サービスを既存の装置で提供することが、指示部５で上限に達したら上限に達した割当対象の設定値を変更するように実行部３にて指示することで実行部３を変更することなく実現できる。
【０１５８】
（実施形態２）
本実施形態では、時分割多重と、波長分割多重又は心線分割多重又はコア分割多重又はモード分割多重又は符号分割多重又は（直交）周波数多重の少なくとも一つを併用し、割当対象の利用する波長又は心線又はコア又はモード又は符号又は（直交）周波数又はそれらの少なくともいずれか（以降グループと称する）の切替で例示する。これらは、時分割多重の割当周期に対してその他の分割多重の切替が遅く、時分割多重とその他の分割多重を別々に実施する場合に適する。
【０１５９】
本形態例でも、分割多重の切替機能を備えるＯＬＴであって、当該ＯＬＴが実行部３及び指示部５を備える。実行部３は、主に単純な処理を行う。例えば、同一の割当対象、例えばＯＮＵは、所定の波長又は心線又はコア又はモード又は符号又は周波数又は所定の波長設定又は心線設定又はコア設定又はモード設定又は符号設定又は周波数設定で割当する。指示部５は、実行部３の処理の結果が通信事業者やサービスによって異なるサービスポリシーに応じた所望の割当に近づくように実行部３に指示する。例えば、実行部３における割当の情報を検出し、検出結果と所望の割当となるように、実行部３における割当が所望の割当に近づくように、実行部３に以下の（ａ）から（ｅ）のいずれかを指示する。
（ａ）割当対象の少なくとも一部に対する切替抑止又は優先切替（実施形態２．１）
（ｂ）切替設定の変更（実施形態２．２）
（ｃ）切替（実施形態２．３）
（ｄ）切替の順番（実施形態２．４）
（ｅ）切替／切替設定の切替（実施形態２．５）
【０１６０】
次に、帯域又は波長又は心線又はコア又はモード又は符号又は周波数又はそれらの少なくともいずれかの組み合わせの切替の内で、波長に着目して例示する。この切替は波長であればＤＷＡに相当する。
【０１６１】
（実施形態２．１）
本実施形態の実行部３は、所定の順序に従い、割当対象のグループを切替する。所定の順序とは、例えば、少なくとも一部の割当単位が単純に順次グループを変更する又は、所定の閾値を超過又は下回る軽輻輳又は重輻輳のグループに属する少なくとも一部の割当単位のグループを切替する順序である。本実施形態の指示部５は、実行部３の割当又は割当結果又は割当履歴又は割当に伴うデータ導通又は導通履歴又は要求又は要求履歴又は外部装置からの情報又はその外部装置からの情報の履歴を検出し、所定の期間の検出結果と所望の割当となるように、割当対象の切替を抑止したり、優先的に切替する。具体的には所望の帯域より割当が少ない割当対象は、当該割当対象が切替した際に、利用可能な帯域の少ない重輻輳のグループへの切替を抑止やスキップ、又は利用可能な帯域の多い軽輻輳のグループへの切替を優先又は切替自体を抑止して割当不能な期間を削減するように指示部５に指示する。所望の帯域より割当が多い割当対象は、利用可能な帯域の少ない重輻輳のグループへの切替を優先又は利用可能な帯域の多い軽輻輳のグループへの切替を抑止やスキップ又は切替自体を優先して切替に伴う割当不能な期間を増加するように指示部５に指示する。
【０１６２】
（実施形態２．２）
本実施形態の実行部３は、所定の順序に従い、割当対象のグループを切替する。本実施形態の指示部５は、実行部３の割当又は割当結果又は割当履歴又は割当に伴うデータ導通又は導通履歴又は要求又は要求履歴又は外部装置からの情報又はその外部装置からの情報の履歴検出し、所定の期間の検出結果と所望の割当となるように実行部３に切替設定の変更を実行部３に指示する。具体的には、指示部５は、実行部３に対して割当が所望よりも超過する割当対象に対して重輻輳グループへの切替頻度や重輻輳グループに属する時間や切替回数自体を増大する設定値とし、不足する割当対象に対して軽輻輳グループへの切替頻度や軽輻輳グループに属する時間を増大したり切替回数自体を減少したりする設定値とする。
【０１６３】
（実施形態２．３）
本実施形態の実行部３は、指示部５より指示された割当で割当を継続する又は所定の順序に従いグループを切替する。本実施形態の指示部５は、実行部３の割当又は割当結果又は割当履歴又は割当に伴うデータ導通又は導通履歴又は要求又は要求履歴又は外部装置からの情報又はその外部装置からの情報の履歴を検出し、所定の期間の検出結果と所望の割当となるように実行部３に割当対象の切替を指示する。具体的には、指示部５は、実行部３に対して割当が所望よりも超過する割当対象の割当が減少する、不足する割当対象に対して割当が増大する、の少なくともいずれかとなる切替を指示する。
【０１６４】
（実施形態２．４）
本実施形態の実行部３は、指示部５より指示された割当で割当を継続する又は所定の順序に従い、割当対象のグループを切替する。本実施形態の指示部５は、検出結果と所望の割当帯域となるように実行部３に切替の順番を指示する。具体的には、所望の帯域より割当が少ない割当対象は、重輻輳のグループへの切替の順番を後倒又は軽輻輳のグループへの切替を前倒又は切替自体を後倒、所望の帯域より割当が多い割当対象は、重輻輳のグループへの切替を前倒又は軽輻輳のグループへの切替を後倒又は切替自体を前倒しするような順番を指示する。
【０１６５】
（実施形態２．５）
本実施形態の実行部３は、所定の複数の順番又は設定のいずれかで、割当対象のグループの組み合わせ又は切替設定を切替する。指示部５は、実行部３に対して割当が所望よりも超過する割当対象に割当が小さくなる、不足する割当対象に対して割当が大きくなる、の少なくともいずれかの切替又は切替設定への切替を指示する。例えば、ＯＮＵ１〜３で２波長１〜２、組み合わせの切替であれば、ＯＮＵ１、２が波長１且つＯＮＵ３が波長２の組合わせとＯＮＵ１が波長１且つＯＮＵ２、３が波長２の組み合わせを切替して、ＯＮＵ１と３の帯域割当を所定の比に応じた値とする。例えば、ＯＮＵ１〜３で２波長１〜２、切替設定の切替であれば、ＯＮＵ１、２が波長１且つＯＮＵ３が波長２の組合わせとＯＮＵ１が波長１且つＯＮＵ２、３が波長２の組み合わせを切替して、ＯＮＵ１と３の帯域割当を所定の比に応じた値とする。
【０１６６】
以下に、所望の割当に近づける選択の例を示す。
より重輻輳のグループに属する割当対象（ＯＮＵ又はＯＮＵのキュー又はＯＮＵのクラスバッファ等で、以下ＯＮＵで代表して示す）の内で帯域割当の時間積が大きいＯＮＵを軽輻輳のグループにグループ替えする判定、又は複数グループのトラフィックが所定の閾値を下回る又は下回ると予測した際にそれらの少なくとも一部のグループの通信を停止するために当該グループに属するＯＮＵを他のグループにグループ替え又は休止させてアクティブなＯＮＵが属さないグループを休止する判定、又は１又は複数グループのトラフィックが所定の閾値を上回る又は上回ると予測した際に少なくとも一部のグループの通信を開始して当該グループに属するＯＮＵを開始したグループにグループ替え又は休止していたＯＮＵをアクティブにする判定等の判定を、指示部５が行い、その判定に基づく指示に従って実行部３がグループ替えを行う。又は、所定の周期や契機に従って実行部３がグループ替えし、公平性等の基準に基づき所望の割当となるように実行部３のグループ替えする。
【０１６７】
ここで重輻輳とは、割当対象にとって、利用可能な帯域が少ないこととし、要求の多い割当対象を多く収容する波長等や、他に比べて伝送可能な帯域自体が元々小さい波長等とする。
【０１６８】
［１］第１の動作
第１の動作は、より重輻輳のグループに属するＯＮＵの内で割当の時間積が大きいＯＮＵを軽輻輳のグループにグループ替えする。なお、重輻輳のグループに属するＯＮＵの内で割当の時間積が大きいＯＮＵとは、例えば、同じグループに属する他のＯＮＵと比べて割当の時間積が大きいＯＮＵである。他のＯＮＵと比べて割当の時間積が大きいＯＮＵとは、例えば、グループ内で割当の時間積が最大のＯＮＵ、又はグループ内で割当の時間積が大きい順に所定台数のＯＮＵ、又はグループ内に属するＯＮＵ全てについての割当の時間積の平均値又はあらかじめ定める所定の値より大きい割当の時間積のＯＮＵである。所定の値は、例えば所定の時間、例えば観測時間における全グループの帯域の時間積の総和を全グループの全ＯＮＵ数或いはアクティブなＯＮＵ数或いは要求が未充足なＯＮＵ数で除した値である。なお、後述する、重輻輳のグループに属するＯＮＵの内でグループに属する他のＯＮＵと比べて重輻輳のグループに属した時間の積が大きい前記送受信機、重輻輳のグループに属するＯＮＵの内でグループに属する他のＯＮＵと比べて軽輻輳のグループに属した時間の積が小さいＯＮＵ及び重輻輳のグループに属するＯＮＵの内でグループに属する他のＯＮＵと比べてグループ変更に伴う通信断の回数又はグループ変更に伴う通信断の時間積が小さいＯＮＵについても同様である。なお、ここでグループの輻輳とは次のいずれか又はそれらのいずれかの組み合わせとする。
【０１６９】
（１）グループ毎の収容ＯＮＵ数：収容ＯＮＵ数が多いほど重輻輳
（２）グループ毎の収容ＯＮＵでアクティブな（送信を行っている）ＯＮＵ数：収容ＯＮＵでアクティブなＯＮＵ数が多いほど重輻輳
（３）グループ毎の収容ＯＮＵで割当が要求に満たないＯＮＵ数：収容ＯＮＵで割当が要求に満たないＯＮＵ数が多いほど重輻輳
（４）グループ毎の収容する全ＯＮＵの要求の総和又は平均の値：収容する全ＯＮＵの要求の総和又は平均の値が大きいほど重輻輳
（５）グループ毎の収容する全ＯＮＵの割当の総和又は平均の値：収容する全ＯＮＵの割当の総和又は平均の値が小さいほど重輻輳、大きい値ほど重輻輳として扱う場合はそれらの逆数を使用
（６）グループ毎の収容する全ＯＮＵで割当が要求に満たないＯＮＵの割当の総和又は平均の値：収容する全ＯＮＵで割当が要求に満たないＯＮＵの割当の総和又は平均の値が小さいほど重輻輳、大きい値ほど重輻輳として扱う場合はそれらの逆数を使用
（７）グループ毎の収容するＯＮＵで割当が最大のＯＮＵの割当の値：収容するＯＮＵで割当が最大のＯＮＵの割当の値が小さいほど重輻輳、大きい値ほど重輻輳として扱う場合はそれらの逆数を使用
（８）グループ毎の収容するＯＮＵで割当が要求に待たないＯＮＵで割当が最大のＯＮＵの割当の値：収容するＯＮＵで割当が要求に待たないＯＮＵで割当が最大のＯＮＵの割当の値が小さいほど重輻輳、大きい値ほど重輻輳として扱う場合はそれらの逆数を使用
（９）グループ毎の収容するＯＮＵで割当が最小のＯＮＵの割当の値：収容するＯＮＵで割当が最小のＯＮＵの割当の値が小さいほど重輻輳、大きい値ほど重輻輳として扱う場合はそれらの逆数を使用
（１０）グループ毎の収容するＯＮＵで割当が要求に待たないＯＮＵで割当が最小のＯＮＵの割当の値：収容するＯＮＵで割当が要求に待たないＯＮＵで割当が最小のＯＮＵの割当の値が小さいほど重輻輳、大きい値ほど重輻輳として扱う場合はそれらの逆数を使用
（１１）グループ毎の収容するＯＮＵで、他のＯＮＵに比べて、重輻輳グループへの所属した時間積が多いか、軽輻輳グループへの所属した時間積が少ないか、割当が少ないか、グループ替えに伴う通信断の時間積が多いか、又はグループ替えに伴う通信断の回数が多いＯＮＵの数が多いほど重輻輳
【０１７０】
なお、所定値以上を重輻輳、所定値未満を軽輻輳としてもよい。所定値は、例えば（１）で全グループの収容ＯＮＵ数をグループ数で除した値、或いはその値を切り上げ又は切り下げした値、（２）で全グループのアクティブなＯＮＵ数をグループ数で除した値、或いはその値を切り上げ又は切り下げした値、（３）で全グループの割当が要求に満たないＯＮＵ数をグループ数で除した値、或いはその値を切り上げ又は切り下げした値、（４）で全グループのＯＮＵの要求の総和又は平均の値をグループ数で除した値、或いはその値を切り上げ又は切り下げした値、（５）で全グループのＯＮＵの割当の総和又は平均の値をグループ数で除した値、或いはその値を切り上げ又は切り下げした値、（６）で全グループのＯＮＵで割当が要求に満たないＯＮＵの割当の総和又は平均の値をグループ数で除した値、或いはその値を切り上げ又は切り下げした値、（７）で、各グループのＯＮＵで割当が最大のＯＮＵの割当の値の総和をグループ数で除した値、或いはその値を切り上げ又は切り下げした値、（８）で各グループのＯＮＵで割当が要求に待たないＯＮＵで割当が最大のＯＮＵの割当の値の総和をグループ数で除した値、或いはその値を切り上げ又は切り下げした値、（９）で各グループのＯＮＵで割当が最小のＯＮＵの割当の値の総和をグループ数で除した値、或いはその値を切り上げ又は切り下げした値、（１０）で各グループのＯＮＵで割当が要求に待たないＯＮＵで割当が最小のＯＮＵの割当の値の総和をグループ数で除した値、或いはその値を切り上げ又は切り下げした値、（１１）で１或いは全グループのＯＮＵ数をグループ数で除した値の半分、或いはその値を切り上げ又は切り下げした値の半分などである。また、グループを輻輳順に並べたとき、半分より輻輳側にあるグループを重輻輳、他のグループを軽輻輳としてもよい。
【０１７１】
上記（１）は最も簡易で全ＯＮＵが常にアクティブな場合に適している。アクティブでないＯＮＵが存在する場合、上記（１）の設定では輻輳を判定することが難しい。上記（２）は、アクティブなＯＮＵは全てＧｒｅｅｄｙな送信機である場合に適している。ここで、Ｇｒｅｅｄｙな送信機とは、ＴＣＰ／ＩＰのように使用可能な帯域に応じて要求する帯域を、使用可能な帯域以下になるようには制御せずに、その時々で割当される帯域以上の帯域を要求とするような送信機を意味する。Ｇｒｅｅｄｙの場合、上記（２）のような簡易な設定で輻輳を判定することができる。
【０１７２】
一方、少なくとも一部のＯＮＵがＧｒｅｅｄｙでない場合、ＯＮＵ毎に要求が異なるため、上記（２）のような設定では明確に輻輳を判定することが難しい。この場合を考慮したものが上記（３）〜（１１）である。
【０１７３】
上記（３）はＯＮＵ数を、上記（４）〜（１０）は収容するＯＮＵの要求又は割当の総和／平均／最大値／最小値を用いた輻輳の判定方法である。この内、上記（３）（６）（８）（１０）は、要求自体又は要求が未充足であるＯＮＵに着目したより精緻な輻輳の判定方法である。上記（１１）は他のＯＮＵに比べて、通信断の多さや割当の少なさで不公平な状態にあるＯＮＵの数を用いた輻輳の判定方法である。
【０１７４】
また、上記（５）〜（１０）で用いる割当は、ＯＬＴから送信許可した帯域、実際に使用した帯域、又は要求の裏づけがあって送信許可した帯域とすることが望ましい。なお、要求の裏づけのない帯域割当（未所要割当）とは、例えば「Ｂ−ＰＯＮ  ＤＢＡにおける低遅延を実現する帯域分配法」吉野學、吉原慎一、上田裕巳、２００２年電子情報通信学会通信ソサイエティ大会、Ｂ−８−８に示されるようなものがある。また、要求されたが送信情報の断片化（フラグメンテーション）を抑止するために使用されない未使用帯域もある。例えば１パケット未満の端数の帯域である。このため、上記（５）〜（１０）の割当は、公平性の観点から上述のような未所要割当や未使用帯域の割当を含まない実際に使用した帯域又は要求の裏づけがあって送信許可した帯域とするのが望ましい。
【０１７５】
グループ替えによって割当が増加するＯＮＵは、グループ替えによってＯＮＵが抜けるグループに残留するＯＮＵと、場合によってはグループ替えによって軽輻輳のグループに追加されるＯＮＵである。重輻輳のグループから軽輻輳のグループ替えされるＯＮＵの割当が増加する場合は、グループ替えによる通信断時間を考慮しなければ、従前の重輻輳のグループにおける割当よりも、軽輻輳のグループで追加されたのちにそのグループにおける割当が大きい場合である。例えば、従来例の説明で用いた帯域が同じ２グループ間で３ＯＮＵを振り分ける場合は、追加されるＯＮＵはグループ替えの前後とも２ＯＮＵで帯域を共用するので、常に重輻輳のグループに属することになり、当該ＯＮＵはグループ替えによって割当は増加しない。更にグループ替えによる通信断時間を考慮すると、グループ替えによって更に割当は減少している。なお、新規にＯＮＵが追加されたグループに従前から属していたＯＮＵの割当は減少する。
【０１７６】
ＯＮＵに関して、観測する通信状態は、実現する公平性によって異なる。例えば、割当が均等又は各ＯＮＵの重み付けに応じた所定の比に近いことが公平とすれば割当を観測する。第１の動作はこの公平性に適した動作である。
【０１７７】
保証しなければならない帯域である保証帯域又は送信機から送信許可を要求する要求に対する割当の比である割当比を公平にする場合はその割当比を通信状態として観測する。ここで、要求は、ＯＮＵからの要求の申告値又はその値を平滑化等の処理により算出した値だけではなく、過去の通信履歴に従い決定してもよい。通信履歴は過去一定時間間隔のウインドウでの履歴であってもよいし、一定時間のスライディングウインドウの履歴であってもよいし、加重平均や指数平均による履歴でもよい。
【０１７８】
送信機間で共用できる帯域を所定の比で（例えば、１：１：１等）で割当する場合は、共用できる帯域×該当する送信機の比÷全送信機の比の総和を、実効的な保証帯域としてそれに対する割当比を通信状態として観測してもよい。
【０１７９】
また、上記の割当比の比較は、割当よりも要求が大きい送信機だけに限定して行ってもよい。また、要求によらずに固定的に割当てた帯域や、優先クラス分の割当を減じた帯域、又固定的に割当てたグループや優先クラス用のグループ以外のグループに関して比較を行ってもよい。
【０１８０】
第１の動作では、重輻輳のグループに属するＯＮＵの内で割当の時間積が大きいＯＮＵを切り替えることになるので、同一のＯＮＵのみグループ替えを連続し、その割当が減少するようなことがなく、ＯＮＵ間で公平になるように帯域割当することができる。例えば２グループ３ＯＮＵで全ＯＮＵが常に割当以上の要求をしている場合、グループ替えするＯＮＵはＯＮＵ１−＞ＯＮＵ２−＞ＯＮＵ３のように順次切り替わることになる。
【０１８１】
このため、実効的にグループ替えに伴う通信断時間及び重輻輳グループに所属した時間積と軽輻輳グループに所属した時間積が平均的にみると均等となり、グループ内の帯域割当は、過去のＯＮＵの割当履歴を考慮せずに、その時々の重み付けに応じて割当てれば、グループを跨ったＯＮＵ間での公平な帯域割当が可能となる。
【０１８２】
なお、本第１の動作及び後述の第２、第３の動作で、グループ間で輻輳の差が一定の範囲以内となった場合、グループ替えを行わないとしてもよい。ここで、グループ間で輻輳の差が一定の範囲以内とは、例えば、グループ替えに伴う通信断時間相当の値以下となった場合や、グループ替えを実行した場合に改善される輻輳の程度相当の値以下となった場合である。また、このような場合に、個別のＯＮＵ間での割当が公平な割当から一定の範囲内に収まるまで、本第１の動作及び後述の第２、第３の動作を実行することが望ましい。
【０１８３】
ここで、公平な割当から一定の範囲内とは、例えば、グループ替えに伴う通信断時間相当の値以下や、グループ替えを実行した場合に改善される公平性の程度相当の値以下である。
【０１８４】
これは、個別のＯＮＵの要求等の変化に伴い、ＯＮＵ間での公平性が実現する前に、グループ間で輻輳の差が一定の範囲内になる可能性があるからである。この後者の条件下では、重輻輳のグループは、公平な割当よりも割当が少ないＯＮＵが所属しているグループとなる。即ち上記の（１１）での判定となる。ここで、グループ間で輻輳の差が一定の範囲になるまでは上記の（１１）以外でグループの輻輳を判定し、判定に使った方法で、グループ間の輻輳の差が一定の範囲内となった場合に上記（１１）の方法での判定に切り替えるとしてもよい。
【０１８５】
なお、観測時間としては固定周期の観測窓で観測してもよいし、観測する時間を過去の所定期間での移動平均とするスライディングウインドウで観測してもよいし、過去の履歴を指数関数的に忘却し、実効的に近々の観測を重視して指数平均した観測であってもよい。
【０１８６】
またＯＮＵ毎の帯域の観測の仕方としては、グループ替えに伴う通信断時間を割当零の時間として観測する方法と、グループ替えに伴う通信断時間は無視する観測の仕方があるが、第１の動作としてはグループ替えに伴う通信断時間を割当零の時間として観測する方が望ましい。
【０１８７】
例えば、制御機が割当を周期的に観測しているとする。更に、制御機は、観測した帯域を指数関数的に忘却し、実効的に近々の観測を重視して指数平均した観測時間で、グループ替えに伴う通信断時間を考慮して観測するものとする。また、各ＯＮＵの要求は割当てられる帯域よりも大きいものとする。ｊ番グループの帯域をＧｊ、時間Ｔにおける収容ＯＮＵ数をＮｊ（ｔ）、観測の忘却に関する係数を（１−ｋ）、ｉ番ＯＮＵの割当をＢｉ（ｔ）とする。この場合、観測時間における割当の履歴がＲＢｉ（ｔ）は、
ＲＢｉ（ｔ）＝ｋＢｉ（ｔ）＋（１−ｋ）ＲＢｉ（ｔ）
である。ここで、ｉ番ＯＮＵの割当Ｂｉ（ｔ）は、ｊ番グループに属している場合、Ｇｉ／Ｎｊ（ｔ）でありグループ替えに伴う断時間は零となる。また忘却に関する係数は忘却するまでの時間が、切替の周期に比べて十分に大きくなる値である。
【０１８８】
［２］第２の動作
第２の動作は、グループの輻輳がより重輻輳のグループに属するＯＮＵの内で、より重輻輳のグループに属していた時間積の大きいＯＮＵ又はグループの輻輳がより重輻輳のグループに属するＯＮＵの内でより軽輻輳のグループに属していた時間積の小さいＯＮＵをグループ替えする。時間積は、例えば、グループ毎の輻輳の第１の動作で例示した値で示しその時間積としてもよいし、輻輳を複数の段階に分けてそれぞれ所定の値を割付、例えば、軽輻輳を０、重輻輳を１と割付、その値の時間積としてもよい。
【０１８９】
本動作は、第１の動作と比べ、個別のＯＮＵの帯域自体を観測せずに、少なくとも軽輻輳グループと重輻輳グループへの滞在時間のみを観測すればよい。このため観測が容易である。更に、グループ内でのＯＮＵ毎の実帯域割当の値をグループ替えに使用しないので、グループ内の帯域割当と、グループ間のＯＮＵの割振りを分割して制御することが容易である。公平な割当は、グループ内での帯域割当が公平であり、切替の前後を通してＯＮＵの要求の分布状況の変化が無視でき、グループ替えによるグループ間の輻輳状況が平準化されれば実現できる。
【０１９０】
所定の周期や契機に従って実行部３がグループ替えを行う場合、要求有又は要求有との予測且つ所望の割当から所定期間の割当履歴が低い又は高い割当対象にその差分が解消するように単一又は複数の所定期間グループ替えを優先的に行う又は抑止するように指示する。
【０１９１】
［３］第３の動作
第３の動作は、グループの輻輳がより重輻輳のグループに属するＯＮＵの内でグループ替えに伴う通信断の時間積が小さいＯＮＵをグループ替えする。第１の動作と同様の例で示すと通信断の時間Ｔｉ（ｔ）の時間積ＲＴｉ（ｔ）は、
ＲＴｉ（ｔ）＝ｋＴｉ（ｔ）＋（１−ｋ）ＲＴｉ（ｔ）
である。
【０１９２】
なお、グループ替えに伴う通信断の時間積は、通信断の時間がＯＮＵ毎に差異がないとみなせる場合は、切替回数に置き換えてもよい。
【０１９３】
通信断の時間積は、実効的に通常よりも割当アルゴリズム等で割当量が、グループ替えがなかった場合に比べて、要求履歴又は外部装置からの情報又はその外部装置からの情報の履歴の更新が不十分である等の理由によって割当量が制限される時間を含んでいてもよいし、制限される時間はその制限される量を係数として乗じた時間として含んでいてもよい。
【０１９４】
このため、本動作も、実効的にグループ替えに伴う通信断時間及び重輻輳グループに所属した時間積と軽輻輳グループに所属した時間積が均等となり、グループ内の帯域割当は、過去のＯＮＵの割当履歴を考慮せずに、その時々の重み付けに応じて割当てれば、グループを跨ったＯＮＵ間での公平な帯域割当が可能となるのは第１の動作と同様である。
【０１９５】
更に、本動作は、制御機はグループ毎の割当を保持せずに通信断の時間積のみ保持するため、第２の動作と同様に、第１の動作に比べて履歴の保持と処理が容易である。
【０１９６】
［４−１］第４の動作（その１）
第４の動作（その１）は、ＯＮＵ毎のグループ替えに伴う通信断時間積のばらつきをＯＮＵ間で一定の範囲内に抑える。一定の範囲内とは例えば、一回のグループ替えに伴う通信断時間以下である。切替に際して、第１〜第３の動作のようにグループの輻輳に基づいて、重輻輳グループから軽輻輳グループへとグループ替えを行ってもよいし、後述の第４の動作（その３）の例で示すように巡回的にグループ替えを行ってもよい。
【０１９７】
巡回的にグループ替えを行う場合、各グループのアクティブなＯＮＵの数又は要求等の輻輳が平準化される状況であることが望ましい。ここで、アクティブなＯＮＵの数又は要求等の輻輳が平準化される状況とは、例えば、アクティブなＯＮＵの数の差がグループ間で１以下、又は割当が要求を超過しないＯＮＵの割当の総和の差がグループ間で割当が要求を超過しないＯＮＵの割当以下のような状況である。
【０１９８】
このような状況下且つ要求の状況が概ね一定とみなせる時間の間に巡回的にグループ替えを行う場合は、多くとも全ＯＮＵが全グループへのグループ替えを行えばよい。同様の輻輳のグループの数と、アクティブ又は割当が要求を超過しないＯＮＵの数がそれぞれ複数の場合はグループ数の半分のグループへのグループ替えを行えばよい。いずれの場合も長期的には、実効的にグループ替えに伴う通信断時間及び重輻輳グループに所属した時間積と軽輻輳グループに所属した時間積がそれぞれ均等に近づき、グループ内の帯域割当は、過去のＯＮＵの割当履歴を考慮せずに、その時々の重み付けに応じて割当てれば、グループを跨ったＯＮＵ間での公平な帯域割当が容易に可能となる。
【０１９９】
［４−２］第４の動作（その２）
第４の動作（その２）は、ＯＮＵが重輻輳のグループと軽輻輳のグループに収容される期間のばらつきをＯＮＵ間で一定の範囲内に抑える。一定の範囲内とは例えば、切替に伴う通信断の時間に相当する時間に割当てうる最大の帯域である。切替に際して、第１〜第３の動作のように重輻輳グループから軽輻輳グループへとグループ替えを行ってもよいし、後述の第４の動作（その３）の例で示すように巡回的にグループ替えを行ってもよい。いずれの場合も長期的には、実効的にグループ替えに伴う通信断時間及び重輻輳グループに所属した時間積と軽輻輳グループに所属した時間積が均等に近づき、グループ内の帯域割当は、過去のＯＮＵの割当履歴を考慮せずに、その時々の重み付けに応じて割当てれば、グループを跨ったＯＮＵ間での公平な帯域割当が容易に可能となる。
【０２００】
［４−３］第４の動作（その３）
第４の動作（その３）は、第４の動作（その１）と第４の動作（その２）の組み合わせである。即ち、グループ毎の通信状態と、各第１送受信機（１６、１７）がどの波長にどの期間滞在しているかとグループ替えに伴う通信断の時間を観測し、公平性を観測する観測周期における全第１送受信機（１６、１７）の切替に伴う通信断時間と所属するグループの輻輳の時間積が公平となるようにグループ指定指示を出す。
【０２０１】
本動作は、第４の動作（その１）で、グループ間で輻輳の平準化ができず、グループ替えの周期のそれぞれで常に重輻輳のグループに所属するＯＮＵと常に軽輻輳のグループに所属するＯＮＵに分類されるような状況が発生する場合に、その不公平を補正することができる。また、本動作は、グループ替えに伴う通信断時間が甚だしく大きく、第４の動作（その２）で切替の回数の多寡による割当の差異が甚だしい状況が発生する場合にも、その不公平を補正することができる。これは、本動作は、切替にともなる通信断時間の平準化と軽輻輳と重輻輳のグループに、それぞれ属していた時間を平準化することができるためである。
【０２０２】
軽輻輳と重輻輳のグループにそれぞれ属していた時間の積は、軽輻輳のグループ同士の輻輳の程度及び重輻輳のグループ同士の輻輳の程度がそれぞれ観測時間を通じて同程度である場合は、単純に軽輻輳と重輻輳のグループにそれぞれ属していた時間の積をとればよい。グループ毎にまた時間によって輻輳の程度が異なる場合は、所属時間に輻輳の程度を乗じた値を積算することでそれぞれ属していた時間の積をとればよい。所属時間に輻輳の程度を乗じた値を積算する場合は、軽輻輳のグループに所属していた時間積と重輻輳のグループに所属していた時間積をそれぞれ個別に積算せずに一つの積算値として保持してよい。グループ替えに伴う通信断時間も個別に積算してもよいが、輻輳が甚だしく通信が全くできない状況としてとみなして軽輻輳のグループに所属していた時間積と重輻輳のグループに所属していた時間積と一緒に積算してもよい。まとめて積算する場合、保持すべき値が少なくなる効果がある。
【０２０３】
割当が均等を公平とする例を用いて以下説明を加える。例えば、波長が２波長であり、全送信機の帯域割当に関する重み付け及び切り替え時間が同一であり、一方が軽輻輳で他方が重輻輳であれば全送信機に概ね等しい時間だけ軽輻輳と重輻輳の波長でそれぞれ識別されるグループに属することとする。
【０２０４】
切替時間が同一であれば、帰属する波長で識別されるグループのＯＮＵ数、保証帯域に対する要求の総和、保証帯域から固定帯域を減じた帯域に対する要求から固定帯域を減じたものの総和の時間積が均等となるようにすればよい。
【０２０５】
例えば、送信機ｉに対する軽輻輳波長での割当帯域とその時間、重輻輳波長での割当帯域とその時間、グループ替えに伴う通信断時間における割当帯域とその時間をそれぞれＢｌｉ、Ｔｌｉ、Ｂｓｉ、Ｔｓｉ、Ｂｈｉ、Ｔｈｉとすると、数式１のように全ての送信機ｉに対して、Ｂｈｉ・Ｔｈｉ＋Ｂｓｉ・Ｔｓｉ＋Ｂｌｉ・Ｔｌｉが一定となるように制御する。
（数式１）∀ｉ、  Ｂｈｉ・Ｔｈｉ＋Ｂｓｉ・Ｔｓｉ＋Ｂｌｉ・Ｔｌｉ＝ｃｏｎｓｔ
以下、巡回的に割当てることで、実効的に（数式１）を満たす。ここで、単純のために、グループを構成するＯＮＵの通信状態はグループ替えが一巡する間同様（全てがＧｒｅｅｄｙ）の例で示している。ただし、一巡する間に変動しても、統計的、長期的にみれば同様とみなしうるので本例と同様の効果がある。この場合、数式１の各値は
（数式２）Ｔｈｉ＋Ｔｌｉ＝Ｃｏｎｓｔ、
Ｂｈｉ＝ＢＷ／（〔Ｎ／Ｌ〕）、
Ｂｓｉ＝ＢＷ／（〔Ｎ／Ｌ〕＋１）
の関係で表せる。ここで、ＢＷは１波長毎の帯域で、Ｎは送信機数、Ｌは波長数、〔  〕は少数切捨てを意味する。
【０２０６】
（実施形態３）
第１の形態例ではＴＷＤＭ−ＰＯＮを例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重するに要する機能を備えていなくてもよいことを除けば第１の形態例と同様である。
【０２０７】
第１の形態例ではＴＷＤＭ−ＰＯＮを例示したが、波長と時間以外のリソースを共用するＰＯＮ、例えば１又は複数波長の電気の周波数リソースを分割多重するＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）−ＰＯＮ、１又は波長の電気の周波数リソースを分割多重するＳＣＭ−ＰＯＮ、光領域のＯＦＤＭで分割多重してもよいし、心線分割多重を併用してもよいし、コア分割多重（空間分割多重）を併用してもよいし、モード分割多重を併用してもよいし、電気又は光又は心線又はコア又はモード又は（直交）周波数又はそれらのいずれかの組み合わせの符号で分割多重するＣＤＭ−ＰＯＮに適用してもよいし、時分割多重や波長分割多重以外の分割多重のみをしてもよい。ＴＷＤＭ−ＰＯＮの波長リソースを波長分割多重するに要する機能に対応する機能を、それぞれの多重するリソースに分割多重するに要する機能に対応する機能に読み替えれば同様である。
【０２０８】
なお、第１の形態例ではＴＷＤＭ−ＰＯＮを例に挙げたが、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをＳＷとそれ以外の部分の間を導通するようすればよい。
【０２０９】
以下、図２０及び２１を参照しながら、通信システムの構成例について説明する。
・第１の通信システム構成例
第１の通信システム構成例は、送受信部（ＴＲｘ）１１と、スイッチ部（ＳＷ）１２と、スイッチ部（ＳＷ）１３と、制御部１４と、プロキシ部１５と、外部サーバ１６と、を備える。
【０２１０】
ＯＬＴは、ＴＲｘ１１と、ＳＷ１２と、ＳＷ１３と、制御部１４とで構成されてもよいし、ＴＲｘ１１と、ＳＷ１２と、ＳＷ１３と、制御部１４と、外部サーバ１６とで構成されてもよい。ＯＳＵは、ＴＲｘ１１で構成されてもよいし、ＴＲｘ１１と、ＳＷ１２とで構成されてもよいし、ＴＲｘ１１と、ＳＷ１３とで構成されてもよい。
【０２１１】
異なる波長（λＡ〜λＮ）のＴＲｘ１１がＳＷ１２に接続されている。ＴＲｘ１１は自律、又はＳＷ１２、ＳＷ１３、制御部１４、プロキシ部１５及び外部サーバ１６等のいずれかの他の構成要素からの制御、又はＳＷ１２、ＳＷ１３、制御部１４、プロキシ部１５及び外部サーバ１６等いずれかの他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更なしで、集約、分配、振分、複製、折返及び透過の少なくとも一つ、又は、いずれかの組み合わせで処理する。
【０２１２】
ＳＷ１２がＳＷ１３に接続される。
【０２１３】
ただし、上りに関しても集約されるとは限らない。例えば、異なる波長のＴＲｘ１１がＯＮＵ側から見て後段の装置（本通信システム構成例ではＳＷ１２で例示するが、ＳＷ１３やプロキシ部１５等でもよい）と接続する通信システム構成では波長毎への振り分けが主であるが、分配、集約、そのまま透過、ＶＩＤや優先廃棄を表すタグ等のタグ付加又は付替してもよい。更に、同じ波長のＴＲｘ１１がＯＮＵ側から見て後段の装置（本通信システム構成例ではＳＷ１２で例示するが、ＳＷ１３やプロキシ部１５等でもよい）と接続する通信システム構成では、上りトラフィックは集約が主であるが、分配、振分、そのまま透過、タグ付加又は付替してもよく、下りトラフィックも分配、集約、振り分け、透過、タグ付加又は付替であってもよい。更に、少なくとも一部の波長のＴＲｘ１１が複数とそれ以外の波長のＴＲｘ１１がＯＮＵ側からみて後段の装置（本通信システム構成例ではＳＷ１２で例示するが、ＳＷ１３やプロキシ部１５等でもよい）では分配、集約、振り分け、透過、タグ付加又は付替のいずれかであってもよく、少なくとも一部の組み合わせであってもよい。そのいずれとなるかはサービスポリシーによる。
これは以降の通信システム構成例でも同様である。
【０２１４】
ＳＷ１２は自律、又はＴＲｘ１１やＳＷ１３や制御部１４やプロキシ部１５や外部サーバ１６等の他の構成要素からの制御、又はＴＲｘ１１、ＳＷ１３、制御部１４、プロキシ部１５及び外部サーバ１６等いずれかの他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２１５】
ただし、制御されるとは限らない。例えば、通信システム構成に備える制御部１４は１１から１５（本通信システム構成例ではＴＲｘ１１、ＳＷ１２、ＳＷ１３、プロキシ部１５）の少なくとも一つを制御する場合と、制御せずに通信システム構成に備える１１から１５（本通信システム構成例ではＴＲｘ１１、ＳＷ１２、ＳＷ１３、プロキシ部１５）の少なくとも一つに制御情報を転送する場合がある。転送元としては例えば１５や１６がある。また、通信システム構成に備える１１から１５が自律で動く場合もある。
これは以降の通信システム構成例でも同様である。
【０２１６】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５や外部サーバ１６等の他の構成要素からの制御、又はＴＲｘ１１やＳＷ１２や制御部１４やプロキシ部１５や外部サーバ１６等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２１７】
制御部１４は、ＴＲｘ１１又はＳＷ１２又はＳＷ１３又はプロキシ部１５又は外部サーバ１６又は外部のオペレーションシステム（不図示）やコントローラ（不図示）や外部の装置（不図示）と接続される。制御部１４は、ＴＲｘ１１、ＳＷ１２、ＳＷ１３、プロキシ部１５及び外部サーバ１６等の他の構成要素を制御、又はＴＲｘ１１、ＳＷ１２、ＳＷ１３、プロキシ部１５及び外部サーバ１６等の他の構成要素を介して制御を転送する。
【０２１８】
ただし、これはプロキシ部１５はＯＬＴから／へのデータ経路上に設置することを想定した場合である。間に他の装置（例えば、複数のＯＬＴから／へのトラフィックを集約／分配する集線ＳＷ等）を介在する場合、直接接続されなくてもよい。制御の流れとしては、ＴＲｘ１１、ＳＷ１２、ＳＷ１３、制御部１４、外部サーバ１６にいずれもありえる。
これは以降の通信システム構成例でも同様である。
【０２１９】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や制御部１４や外部サーバ１６等の他の構成要素からの制御、又はＴＲｘ１１やＳＷ１２やＳＷ１３や制御部１４や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２２０】
外部サーバ１６は、ＴＲｘ１１又はＳＷ１２又はＳＷ１３又は制御部１４又はプロキシ部１５又は外部のオペレーションシステム（不図示）やコントローラ（不図示）や外部の装置（不図示）と接続される。外部サーバ１６は、ＴＲｘ１１やＳＷ１２やＳＷ１３や制御部１４やプロキシ部１５等の他の構成要素を制御、又はＴＲｘ１１やＳＷ１２やＳＷ１３や制御部１４やプロキシ部１５等の他の構成要素を介して制御を転送する。
【０２２１】
ＴＲｘ１１やＳＷ１２やＳＷ１３や制御部１４やプロキシ部１５や外部サーバ１６は、ＴＲｘ１１やＳＷ１２やＳＷ１３やプロキシ部１５や外部サーバ１６等の他の構成要素のトラフィックの一部又はその全てそれ自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や外部サーバ１６等の他の構成要素又は外部のオペレーションシステム（不図示）やコントローラ（不図示）や外部の装置（不図示）に送付してもよい。
【０２２２】
第１の通信システム構成において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。
第１の通信システム構成において、一部の波長のＴＲｘ１１が複数とそれ以外の波長のＴＲｘ１１がＯＮＵ側からみて後段の装置（本通信システム構成例ではＳＷ１２）に接続されていてもよい。
【０２２３】
・第２の通信システム構成例
第２の通信システム構成例は、送受信部（ＴＲｘ）１１と、スイッチ部（ＳＷ）１２と、スイッチ部（ＳＷ）１３と、制御部１４と、プロキシ部１５と、を備える。
【０２２４】
異なる波長（λＡ〜λＮ）のＴＲｘ１１がＳＷ１２に接続されている。ＴＲｘ１１は自律、又はＳＷ１２やＳＷ１３や制御部１４やプロキシ部１５等の他の構成要素からの制御、又はＳＷ１２やＳＷ１３や制御部１４やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ、又は、いずれかの組み合わせで処理する。
【０２２５】
ＳＷ１２がＳＷ１３に接続される。ＳＷ１２は自律、又はＴＲｘ１１やＳＷ１３や制御部１４やプロキシ部１５等の他の構成要素からの制御、又はＴＲｘ１１やＳＷ１３や制御部１４やプロキシ部１５や等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２２６】
ＳＷ１３は、プロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５等の他の構成要素からの制御、又はＴＲｘ１１やＳＷ１２や制御部１４やプロキシ部１５等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２２７】
制御部１４は、ＴＲｘ１１又はＳＷ１２又はＳＷ１３又はプロキシ部１５又は外部のオペレーションシステム（不図示）やコントローラ（不図示）や外部の装置（不図示）と接続される。制御部１４は、ＴＲｘ１１ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。
【０２２８】
プロキシ部１５は、上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は、自律、又はＴＲｘ１１、ＳＷ１２、ＳＷ１３及び制御部１４等のいずれか又は全ての他の構成要素からの制御、又はＴＲｘ１１、ＳＷ１２、ＳＷ１３及び制御部１４等のいずれか又は全ての他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２２９】
ＴＲｘ１１やＳＷ１２やＳＷ１３や制御部１４やプロキシ部１５は、ＴＲｘ１１やＳＷ１２やＳＷ１３やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５等の他の構成要素又は外部のオペレーションシステム（不図示）やコントローラ（不図示）や外部の装置（不図示）に送付してもよい。
【０２３０】
第２の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。本通信システム構成例において、一部の波長のＴＲｘ１１が複数とそれ以外の波長のＴＲｘ１１がＯＮＵ側からみて後段の装置に接続されていてもよい。他は同様である。
【０２３１】
・第３の通信システム構成例
第３の通信システム構成例は、送受信部（ＴＲｘ）１１と、スイッチ部（ＳＷ）１２と、スイッチ部（ＳＷ）１３と、制御部１４と、外部サーバ１６と、を備える。
【０２３２】
異なる波長（λＡ〜λＮ）のＴＲｘ１１がＳＷ１２に接続されている。ＴＲｘ１１は自律、又はＳＷ１２やＳＷ１３や制御部１４や外部サーバ１６等の他の構成要素からの制御、又はＳＷ１２やＳＷ１３や制御部１４や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２３３】
ＳＷ１２がＳＷ１３に接続される。ＳＷ１２は自律、又はＴＲｘ１１やＳＷ１３や制御部１４や外部サーバ１６等の他の構成要素からの制御、又はＴＲｘ１１やＳＷ１３や制御部１４や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２３４】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２や制御部１４や外部サーバ１６等の他の構成要素からの制御、又はＴＲｘ１１やＳＷ１２や制御部１４や外部サーバ１６等の他の構成要素を介して転送された制御で制御され、ＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は全ての組み合わせで処理する。
【０２３５】
制御部１４は、ＴＲｘ１１又はＳＷ１２又はＳＷ１３又は外部サーバ１６又は外部のオペレーションシステム（不図示）やコントローラ（不図示）や外部の装置（不図示）と接続される。制御部１４は、ＴＲｘ１１やＳＷ１２やＳＷ１３や外部サーバ１６等の他の構成要素を制御、又はＴＲｘ１１ＴＲｘ１１やＳＷ１２やＳＷ１３や外部サーバ１６等の他の構成要素を介して制御を転送する。
【０２３６】
外部サーバ１６は、ＴＲｘ１１又はＳＷ１２又はＳＷ１３又は制御部１４又は外部のオペレーションシステム（不図示）やコントローラ（不図示）や外部の装置（不図示）と接続される。外部サーバ１６は、ＴＲｘ１１、ＳＷ１２、ＳＷ１３及び制御部１４等の他の構成要素を制御、又はＴＲｘ１１、ＳＷ１２、ＳＷ１３及び制御部１４等の他の構成要素を介して制御を転送する。
【０２３７】
ＴＲｘ１１やＳＷ１２やＳＷ１３や制御部１４や外部サーバ１６は、ＴＲｘ１１やＳＷ１２やＳＷ１３や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３や外部サーバ１６等の他の構成要素又は外部のオペレーションシステム（不図示）やコントローラ（不図示）や外部の装置（不図示）に送付してもよい。
【０２３８】
第３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第３の通信システム構成例において、一部の波長のＴＲｘ１１が複数とそれ以外の波長のＴＲｘ１１がＳＷ１２に接続されていてもよい。他は同様である。
【０２３９】
・第４の通信システム構成例
第４の通信システム構成例は、送受信部（ＴＲｘ）１１と、スイッチ部（ＳＷ）１２と、スイッチ部（ＳＷ）１３と、プロキシ部１５と、外部サーバ１６と、を備える。
【０２４０】
異なる波長（λＡ〜λＮ）のＴＲｘ１１がＳＷ１２に接続されている。ＴＲｘ１１は自律、又はＳＷ１２やＳＷ１３やプロキシ部１５や外部サーバ１６等の他の構成要素からの制御、又はＳＷ１２やＳＷ１３やプロキシ部１５や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ、又は全ての組み合わせで処理する。
【０２４１】
ＳＷ１２がＳＷ１３に接続される。ＳＷ１２は自律、又はＴＲｘ１１やＳＷ１３や制御部１４やプロキシ部１５や外部サーバ１６等の他の構成要素からの制御、又はＴＲｘ１１やＳＷ１３やプロキシ部１５や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２４２】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５や外部サーバ１６等の他の構成要素からの制御、又はＴＲｘ１１やＳＷ１２やプロキシ部１５や外部サーバ１６等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又はいずれかの組み合わせで処理する。
【０２４３】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や外部サーバ１６等の他の構成要素からの制御、又はＴＲｘ１１やＳＷ１２やＳＷ１３や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２４４】
外部サーバ１６は、ＴＲｘ１１、ＳＷ１２、ＳＷ１３、プロキシ部１５、オペレーションシステム（不図示）やコントローラ（不図示）や外部の装置（不図示）と接続される。外部サーバ１６は、ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。
【０２４５】
ＴＲｘ１１やＳＷ１２やＳＷ１３やプロキシ部１５や外部サーバ１６は、ＴＲｘ１１やＳＷ１２やＳＷ１３やプロキシ部１５や外部サーバ１６等の他の構成要素のトラフィックの一部又はその全てそれ自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や外部サーバ１６等の他の構成要素又は外部のオペレーションシステム（不図示）やコントローラ（不図示）や外部の装置（不図示）に送付してもよい。
【０２４６】
第４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい（図２１）。第４の通信システム構成例において、一部の波長のＴＲｘ１１が複数とそれ以外の波長のＴＲｘ１１がＳＷ１２に接続されていてもよい。他は同様である。
【０２４７】
・第５の通信システム構成例
第５の通信システム構成例は、送受信部（ＴＲｘ）１１と、スイッチ部（ＳＷ）１２と、制御部１４と、プロキシ部１５と、外部サーバ１６と、を備える。
【０２４８】
異なる波長（λＡ〜λＮ）のＴＲｘ１１がＳＷ１２に接続されている。ＴＲｘ１１は自律、又はＳＷ１２や制御部１４やプロキシ部１５や外部サーバ１６等の他の構成要素からの制御、又はＳＷ１２や制御部１４やプロキシ部１５や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全てその組み合わせで処理する。
【０２４９】
ＳＷ１２がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１や制御部１４やプロキシ部１５や外部サーバ１６等の他の構成要素からの制御、又はＴＲｘ１１や制御部１４やプロキシ部１５や外部サーバ１６等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部、又は、全ての組み合わせで処理する。
【０２５０】
制御部１４は、ＴＲｘ１１、ＳＷ１２、プロキシ部１５、外部サーバ１６、外部のオペレーションシステム（不図示）、コントローラ（不図示）及び外部の装置（不図示）のいずれか又は全てと接続される。制御部１４は、ＴＲｘ１１やＳＷ１２やプロキシ部１５や外部サーバ１６等の他の構成要素を制御、又はＴＲｘ１１やＳＷ１２やプロキシ部１５や外部サーバ１６等の他の構成要素を介して制御を転送する。
【０２５１】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１２や制御部１４や外部サーバ１６等の他の構成要素からの制御、又はＴＲｘ１１やＳＷ１２や制御部１４や外部サーバ１６等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２５２】
外部サーバ１６は、ＴＲｘ１１、ＳＷ１２、制御部１４、プロキシ部１５、外部のオペレーションシステム（不図示）、コントローラ（不図示）及び外部の装置（不図示）のいずれか又は全てと接続される。外部サーバ１６は、ＴＲｘ１１やＳＷ１２や制御部１４やプロキシ部１５等の他の構成要素を制御、又はＴＲｘ１１やＳＷ１２や制御部１４やプロキシ部１５等の他の構成要素を介して制御を転送する。
【０２５３】
ＴＲｘ１１やＳＷ１２や制御部１４やプロキシ部１５や外部サーバ１６は、ＴＲｘ１１やＳＷ１２やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５や外部サーバ１６等の他の構成要素又は外部のオペレーションシステム（不図示）やコントローラ（不図示）や外部の装置（不図示）に送付してもよい。
【０２５４】
第５の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第５の通信システム構成例において、一部の波長のＴＲｘ１１が複数とそれ以外の波長のＴＲｘ１１がＳＷ１２に接続されていてもよい。他は同様である。
【０２５５】
・第６の通信システム構成例
第６の通信システム構成例は、送受信部（ＴＲｘ）１１と、スイッチ部（ＳＷ）１３と、制御部１４と、プロキシ部１５と、外部サーバ１６と、を備える。
【０２５６】
異なる波長（λＡ〜λＮ）のＴＲｘ１１がＳＷ１３に接続されている。ＴＲｘ１１は自律、又はＳＷ１３や制御部１４やプロキシ部１５や外部サーバ１６等の他の構成要素からの制御、又はＳＷ１３や制御部１４やプロキシ部１５や外部サーバ１６等の他の構成要素を介して転送された制御で制御され、ＯＤＮ又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２５７】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１や制御部１４やプロキシ部１５や外部サーバ１６等の他の構成要素からの制御、又はＴＲｘ１１や制御部１４やプロキシ部１５や外部サーバ１６等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２５８】
制御部１４は、ＴＲｘ１１又はＳＷ１３又はプロキシ部１５又は外部サーバ１６又は外部のオペレーションシステム（不図示）やコントローラ（不図示）や外部の装置（不図示）と接続される。制御部１４は、ＴＲｘ１１やＳＷ１３やプロキシ部１５や外部サーバ１６等の他の構成要素を制御、又はＴＲｘ１１やＳＷ１３やプロキシ部１５や外部サーバ１６等の他の構成要素を介して制御を転送する。
【０２５９】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１３や制御部１４や外部サーバ１６等の他の構成要素からの制御、又はＴＲｘ１１やＳＷ１３や制御部１４や外部サーバ１６等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２６０】
外部サーバ１６は、ＴＲｘ１１又はＳＷ１３又は制御部１４又はプロキシ部１５又は外部のオペレーションシステム（不図示）やコントローラ（不図示）や外部の装置（不図示）と接続される。外部サーバ１６は、ＴＲｘ１１やＳＷ１３や制御部１４やプロキシ部１５等の他の構成要素を制御、又はＴＲｘ１１やＳＷ１３や制御部１４やプロキシ部１５等の他の構成要素を介して制御を転送する。
【０２６１】
ＴＲｘ１１やＳＷ１３や制御部１４やプロキシ部１５や外部サーバ１６は、ＴＲｘ１１やＳＷ１３やプロキシ部１５や外部サーバ１６等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５や外部サーバ１６等の他の構成要素又は外部のオペレーションシステム（不図示）やコントローラ（不図示）や外部の装置（不図示）に送付してもよい。
【０２６２】
第６の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第６の通信システム構成例において、一部の波長のＴＲｘ１１が複数とそれ以外の波長のＴＲｘ１１がＳＷ１３に接続されていてもよい。他は同様である。
【０２６３】
・第７の通信システム構成例
第７の通信システム構成例は、送受信部（ＴＲｘ）１１と、スイッチ部（ＳＷ）１２と、スイッチ部（ＳＷ）１３と、制御部１４と、を備える。
【０２６４】
異なる波長（λＡ〜λＮ）のＴＲｘ１１がＳＷ１２に接続されている。ＴＲｘ１１は自律、又はＳＷ１２やＳＷ１３や制御部１４等の他の構成要素からの制御、又はＳＷ１２やＳＷ１３や制御部１４等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２６５】
ＳＷ１２がＳＷ１３に接続される。ＳＷ１２は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２６６】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２６７】
制御部１４は、ＴＲｘ１１、ＳＷ１２、ＳＷ１３、外部のオペレーションシステム（不図示）、コントローラ（不図示）及び外部の装置（不図示）のいずれか又は全てと接続される。制御部１４は、ＴＲｘ１１やＳＷ１２やＳＷ１３等の他の構成要素を制御、又はＴＲｘ１１やＳＷ１２やＳＷ１３等の他の構成要素を介して制御を転送する。ＴＲｘ１１やＳＷ１２やＳＷ１３や制御部１４は、ＴＲｘ１１やＳＷ１２やＳＷ１３等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素又は外部のオペレーションシステム（不図示）やコントローラ（不図示）や外部の装置（不図示）に送付してもよい。
【０２６８】
第７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第７の通信システム構成例において、一部の波長のＴＲｘ１１が複数とそれ以外の波長のＴＲｘ１１がＳＷ１２に接続されていてもよい。他は同様である。
【０２６９】
・第８の通信システム構成例
第８の通信システム構成例は、送受信部（ＴＲｘ）１１と、スイッチ部（ＳＷ）１２と、スイッチ部（ＳＷ）１３と、プロキシ部１５と、を備える。
【０２７０】
異なる波長（λＡ〜λＮ）のＴＲｘ１１がＳＷ１２に接続されている。ＴＲｘ１１は自律、又はＳＷ１２やＳＷ１３やプロキシ部１５等の他の構成要素からの制御、又はＳＷ１２やＳＷ１３やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７１】
ＳＷ１２がＳＷ１３に接続される。ＳＷ１２は自律、又はＴＲｘ１１やＳＷ１３やプロキシ部１５等の他の構成要素からの制御、又はＴＲｘ１１やＳＷ１３やプロキシ部１５等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７２】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５等の他の構成要素からの制御、又はＴＲｘ１１やＳＷ１２やプロキシ部１５等の他の構成要素を介して転送された制御で制御され、ＳＷ１２又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７３】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１２やＳＷ１３等の他の構成要素からの制御、又はＴＲｘ１１やＳＷ１２やＳＷ１３等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７４】
ＴＲｘ１１やＳＷ１２やＳＷ１３やプロキシ部１５は、ＴＲｘ１１やＳＷ１２やＳＷ１３やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や等の他の構成要素又は外部のオペレーションシステム（不図示）やコントローラ（不図示）や外部の装置（不図示）に送付してもよい。
【０２７５】
第８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第８通信システム構成例において、一部の波長のＴＲｘ１１が複数とそれ以外の波長のＴＲｘ１１がＳＷ１２に接続されていてもよい。他は同様である。
【０２７６】
・第９の通信システム構成例
第９の通信システム構成例は、送受信部（ＴＲｘ）１１と、スイッチ部（ＳＷ）１２と、制御部１４と、プロキシ部１５と、を備える。
【０２７７】
異なる波長（λＡ〜λＮ）のＴＲｘ１１がＳＷ１２に接続されている。ＴＲｘ１１は自律、又はＳＷ１２や制御部１４やプロキシ部１５や等の他の構成要素からの制御、又はＳＷ１２や制御部１４やプロキシ部１５等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７８】
ＳＷ１２がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２７９】
制御部１４は、ＴＲｘ１１又はＳＷ１２又はプロキシ部１５又は外部のオペレーションシステム（不図示）やコントローラ（不図示）や外部の装置（不図示）と接続される。制御部１４は、ＴＲｘ１１やＳＷ１２やプロキシ部１５等の他の構成要素を制御、又はＴＲｘ１１やＳＷ１２やプロキシ部１５等の他の構成要素を介して制御を転送する。
【０２８０】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０２８１】
ＴＲｘ１１やＳＷ１２や制御部１４やプロキシ部１５は、ＴＲｘ１１やＳＷ１２やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素又は外部のオペレーションシステム（不図示）やコントローラ（不図示）や外部の装置（不図示）に送付してもよい。
【０２８２】
第９の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第９の通信システム構成例において、一部の波長のＴＲｘ１１が複数とそれ以外の波長のＴＲｘ１１がＳＷ１２に接続されていてもよい。他は同様である。
【０２８３】
・第１０の通信システム構成例
第１０の通信システム構成例は、送受信部（ＴＲｘ）１１と、スイッチ部（ＳＷ）１３制御部１４と、プロキシ部１５と、を備える。異なる波長（λＡ〜λＮ）のＴＲｘ１１がＳＷ１３に接続されている。
【０２８４】
ＴＲｘ１１は自律、又はＳＷ１３や制御部１４やプロキシ部１５等の他の構成要素からの制御、又はＳＷ１３や制御部１４やプロキシ部１５等の他の構成要素を介して転送された制御で制御され、ＯＤＮ又はＳＷ１３のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２８５】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０２８６】
制御部１４は、ＴＲｘ１１又はＳＷ１３又はプロキシ部１５又は外部のオペレーションシステム（不図示）やコントローラ（不図示）や外部の装置（不図示）と接続される。制御部１４は、ＴＲｘ１１やＳＷ１３やプロキシ部１５等の他の構成要素を制御、又はＴＲｘ１１やＳＷ１３やプロキシ部１５等の他の構成要素を介して制御を転送する。
【０２８７】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＳＷ１３又は上位側の装置（不図示）のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部又はその組み合わせで処理する。
【０２８８】
ＴＲｘ１１やＳＷ１３や制御部１４やプロキシ部１５は、ＴＲｘ１１やＳＷ１３やプロキシ部１５等の他の構成要素のトラフィックの一部又はその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素又は外部のオペレーションシステム（不図示）やコントローラ（不図示）や外部の装置（不図示）に送付してもよい。
【０２８９】
第１０の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１０の通信システム構成例において、一部の波長のＴＲｘ１１が複数とそれ以外の波長のＴＲｘ１１がＳＷ１３に接続されていてもよい。他は同様である。
【０２９０】
・第１１の通信システム構成例
第１１の通信システム構成例は、送受信部（ＴＲｘ）１１と、スイッチ部（ＳＷ）１２と、スイッチ部（ＳＷ）１３と、外部サーバ１６と、を備える。
【０２９１】
異なる波長（λＡ〜λＮ）のＴＲｘ１１がＳＷ１２に接続されている。ＴＲｘ１１は自律、又はＳＷ１２やＳＷ１３や外部サーバ１６等の他の構成要素からの制御、又はＳＷ１２やＳＷ１３や外部サーバ１６等の他の構成要素を介して転送された制御で制御され、ＯＤＮ又はＳＷ１２のトラフィックの一部又はその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０２９２】
ＳＷ１２がＳＷ１３に接続される。ＳＷ１２は自律、又はＴＲｘ１１やＳＷ１３や外部サーバ１６等の他の構成要素からの制御、又はＴＲｘ１１やＳＷ１３や外部サーバ１６等の他の構成要素を介して転送された制御で制御され、ＴＲｘ１１又はＳＷ１３のトラフィックの一部又はその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２９３】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２や外部サーバ１６等の他の構成要素からの制御、又はＴＲｘ１１やＳＷ１２や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一部又は全ての組み合わせで処理する。
【０２９４】
外部サーバ１６は、ＴＲｘ１１、ＳＷ１２、ＳＷ１３、外部のオペレーションシステム（不図示）、コントローラ（不図示）及び外部の装置（不図示）のいずれか又は全てと接続される。外部サーバ１６は、ＴＲｘ１１、ＳＷ１２及びＳＷ１３等の他の構成要素を制御、又はＴＲｘ１１、ＳＷ１２及びＳＷ１３等の他の構成要素を介して制御を転送する。
【０２９５】
ＴＲｘ１１やＳＷ１２やＳＷ１３や外部サーバ１６は、ＴＲｘ１１やＳＷ１２やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３や外部サーバ１６等の他の構成要素または外部のオペレーションシステム（不図示）やコントローラ（不図示）や外部の装置（不図示）に送付してもよい。
【０２９６】
第１１の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１１の通信システム構成例において、一部の波長のＴＲｘ１１が複数とそれ以外の波長のＴＲｘ１１がＳＷ１２に接続されていてもよい。他は同様である。
【０２９７】
・第１２の通信システム構成例
第１２の通信システム構成例は、送受信部（ＴＲｘ）１１と、スイッチ部（ＳＷ）１２と、制御部１４と、外部サーバ１６と、を備える。
【０２９８】
異なる波長（λＡ〜λＮ）のＴＲｘ１１がＳＷ１２に接続されている。ＴＲｘ１１は自律、又はＳＷ１２や制御部１４や外部サーバ１６等の他の構成要素からの制御、又はＳＷ１２や制御部１４や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０２９９】
ＳＷ１２が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１や制御部１４や外部サーバ１６等の他の構成要素からの制御、又はＴＲｘ１１や制御部１４や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３００】
制御部１４は、ＴＲｘ１１又はＳＷ１２又は外部サーバ１６又は外部のオペレーションシステム（不図示）やコントローラ（不図示）や外部の装置（不図示）と接続される。制御部１４は、ＴＲｘ１１やＳＷ１２や外部サーバ１６等の他の構成要素を制御、又はＴＲｘ１１やＳＷ１２や外部サーバ１６等の他の構成要素を介して制御を転送する。
【０３０１】
外部サーバ１６は、ＴＲｘ１１又はＳＷ１２又は制御部１４又は外部のオペレーションシステム（不図示）やコントローラ（不図示）や外部の装置（不図示）と接続される。外部サーバ１６は、ＴＲｘ１１やＳＷ１２や制御部１４等の他の構成要素を制御、又はＴＲｘ１１やＳＷ１２や制御部１４等の他の構成要素を介して制御を転送する。
【０３０２】
ＴＲｘ１１やＳＷ１２や制御部１４や外部サーバ１６は、ＴＲｘ１１やＳＷ１２や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２や外部サーバ１６等の他の構成要素または外部のオペレーションシステム（不図示）やコントローラ（不図示）や外部の装置（不図示）に送付してもよい。
【０３０３】
第１２の通信システム構成１２例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第１２の通信システム構成例において、一部の波長のＴＲｘ１１が複数とそれ以外の波長のＴＲｘ１１がＳＷ１２に接続されていてもよい。他は同様である。
【０３０４】
・第１３の通信システム構成例
第１３の通信システム構成例は、送受信部（ＴＲｘ）１１と、スイッチ部（ＳＷ）１３と、制御部１４と、外部サーバ１６と、を備える。
【０３０５】
異なる波長（λＡ〜λＮ）のＴＲｘ１１がＳＷ１３に接続されている。ＴＲｘ１１は自律、又はＳＷ１３や制御部１４や外部サーバ１６等の他の構成要素からの制御、又はＳＷ１３や制御部１４や外部サーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３０６】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１や制御部１４や外部サーバ１６等の他の構成要素からの制御、又はＴＲｘ１１や制御部１４や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３０７】
制御部１４は、ＴＲｘ１１又はＳＷ１３又は外部サーバ１６又は外部のオペレーションシステム（不図示）やコントローラ（不図示）や外部の装置（不図示）と接続される。制御部１４は、ＴＲｘ１１やＳＷ１３や外部サーバ１６等の他の構成要素を制御、又はＴＲｘ１１やＳＷ１３や外部サーバ１６等の他の構成要素を介して制御を転送する。
【０３０８】
外部サーバ１６は、ＴＲｘ１１又はＳＷ１３又は制御部１４又は外部のオペレーションシステム（不図示）やコントローラ（不図示）や外部の装置（不図示）と接続される。外部サーバ１６は、ＴＲｘ１１やＳＷ１３や制御部１４等の他の構成要素を制御、又はＴＲｘ１１やＳＷ１３や制御部１４等の他の構成要素を介して制御を転送する。
【０３０９】
ＴＲｘ１１やＳＷ１３や制御部１４や外部サーバ１６は、ＴＲｘ１１やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３や外部サーバ１６等の他の構成要素または外部のオペレーションシステム（不図示）やコントローラ（不図示）や外部の装置（不図示）に送付してもよい。
【０３１０】
第１３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１３の通信システム構成例において、一部の波長のＴＲｘ１１が複数とそれ以外の波長のＴＲｘ１１がＳＷ１３に接続されていてもよい。他は同様である。
【０３１１】
・第１４の通信システム構成例
第１４の通信システム構成例は、送受信部（ＴＲｘ）１１と、スイッチ部（ＳＷ）１２と、プロキシ部１５と、外部サーバ１６と、を備える。
【０３１２】
異なる波長（λＡ〜λＮ）のＴＲｘ１１がＳＷ１２に接続されている。ＴＲｘ１１は自律、又はＳＷ１２やプロキシ部１５や外部サーバ１６等の他の構成要素からの制御、又はＳＷ１２やプロキシ部１５や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３１３】
ＳＷ１２がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１やプロキシ部１５や外部サーバ１６等の他の構成要素からの制御、又はＴＲｘ１１やプロキシ部１５や外部サーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３１４】
プロキシ部１５は自律、又はＴＲｘ１１やＳＷ１２や外部サーバ１６等の他の構成要素からの制御、又はＴＲｘ１１やＳＷ１２や外部サーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３１５】
外部サーバ１６は、ＴＲｘ１１又はＳＷ１２又はプロキシ部１５又は外部のオペレーションシステム（不図示）やコントローラ（不図示）や外部の装置（不図示）と接続される。外部サーバ１６は、ＴＲｘ１１やＳＷ１２やプロキシ部１５等の他の構成要素を制御、又はＴＲｘ１１やＳＷ１２やプロキシ部１５等の他の構成要素を介して制御を転送する。
【０３１６】
ＴＲｘ１１やＳＷ１２やプロキシ部１５や外部サーバ１６は、ＴＲｘ１１やＳＷ１２やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５や外部サーバ１６等の他の構成要素または外部のオペレーションシステム（不図示）やコントローラ（不図示）や外部の装置（不図示）に送付してもよい。
【０３１７】
第１４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１４の通信システム構成例において、一部の波長のＴＲｘ１１が複数とそれ以外の波長のＴＲｘ１１がＳＷ１２に接続されていてもよい。他は同様である。
【０３１８】
・第１５の通信システム構成例
第１５の通信システム構成例は、送受信部（ＴＲｘ）１１と、スイッチ部（ＳＷ）１３と、プロキシ部１５と、外部サーバ１６と、を備える。
【０３１９】
異なる波長（λＡ〜λＮ）のＴＲｘ１１がＳＷ１３に接続されている。ＴＲｘ１１は自律、又はＳＷ１３やプロキシ部１５や外部サーバ１６等の他の構成要素からの制御、又はＳＷ１３やプロキシ部１５や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３２０】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やプロキシ部１５や外部サーバ１６等の他の構成要素からの制御、又はＴＲｘ１１やプロキシ部１５や外部サーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３２１】
プロキシ部１５は自律、又はＴＲｘ１１やＳＷ１３や外部サーバ１６等の他の構成要素からの制御、又はＴＲｘ１１やＳＷ１３や外部サーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３２２】
外部サーバ１６は、ＴＲｘ１１又はＳＷ１３又はプロキシ部１５又は外部のオペレーションシステム（不図示）やコントローラ（不図示）や外部の装置（不図示）と接続される。外部サーバ１６は、ＴＲｘ１１やＳＷ１３やプロキシ部１５等の他の構成要素を制御、又はＴＲｘ１１やＳＷ１３やプロキシ部１５等の他の構成要素を介して制御を転送する。
【０３２３】
ＴＲｘ１１やＳＷ１３やプロキシ部１５や外部サーバ１６は、ＴＲｘ１１やＳＷ１３やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５や外部サーバ１６等の他の構成要素または外部のオペレーションシステム（不図示）やコントローラ（不図示）や外部の装置（不図示）に送付してもよい。
【０３２４】
第１５の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１５の通信システム構成例において、一部の波長のＴＲｘ１１が複数とそれ以外の波長のＴＲｘ１１がＳＷ１３に接続されていてもよい。他は同様である。
【０３２５】
・第１６の通信システム構成例
第１６の通信システム構成例は、送受信部（ＴＲｘ）１１と、制御部１４と、プロキシ部１５と、外部サーバ１６と、を備える。
【０３２６】
異なる波長（λＡ〜λＮ）のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は制御部１４やプロキシ部１５や外部サーバ１６等の他の構成要素からの制御、又は制御部１４やプロキシ部１５や外部サーバ１６等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３２７】
制御部１４は、ＴＲｘ１１又はプロキシ部１５又は外部サーバ１６又は外部のオペレーションシステム（不図示）やコントローラ（不図示）や外部の装置（不図示）と接続される。制御部１４は、ＴＲｘ１１やプロキシ部１５や外部サーバ１６等の他の構成要素を制御、又はＴＲｘ１１やプロキシ部１５や外部サーバ１６等の他の構成要素を介して制御を転送する。
【０３２８】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１や制御部１４や外部サーバ１６等の他の構成要素からの制御、又はＴＲｘ１１や制御部１４や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３２９】
外部サーバ１６は、ＴＲｘ１１又は制御部１４又はプロキシ部１５又は外部のオペレーションシステム（不図示）やコントローラ（不図示）や外部の装置（不図示）と接続される。外部サーバ１６は、ＴＲｘ１１や制御部１４やプロキシ部１５等の他の構成要素を制御、又はＴＲｘ１１や制御部１４やプロキシ部１５等の他の構成要素を介して制御を転送する。
【０３３０】
ＴＲｘ１１や制御部１４やプロキシ部１５や外部サーバ１６は、ＴＲｘ１１やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５や外部サーバ１６等の他の構成要素または外部のオペレーションシステム（不図示）やコントローラ（不図示）や外部の装置（不図示）に送付してもよい。
【０３３１】
第１６の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第１６の通信システム構成例において、一部の波長のＴＲｘ１１が複数とそれ以外の波長のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０３３２】
・第１７の通信システム構成例
第１７の通信システム構成例は、送受信部（ＴＲｘ）１１と、スイッチ部（ＳＷ）１２と、スイッチ部（ＳＷ）１３と、を備える。
【０３３３】
異なる波長（λＡ〜λＮ）のＴＲｘ１１がＳＷ１２に接続されている。ＴＲｘ１１は自律、又はＳＷ１２やＳＷ１３等の他の構成要素からの制御、又はＳＷ１２やＳＷ１３等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３３４】
ＳＷ１２がＳＷ１３に接続される。ＳＷ１２は自律、又はＴＲｘ１１やＳＷ１３等の他の構成要素からの制御、又はＴＲｘ１１やＳＷ１３等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３３５】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やＳＷ１２等の他の構成要素からの制御、又はＴＲｘ１１やＳＷ１２等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３３６】
ＴＲｘ１１やＳＷ１２やＳＷ１３は、ＴＲｘ１１やＳＷ１２やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素または外部のオペレーションシステム（不図示）やコントローラ（不図示）や外部の装置（不図示）に送付してもよい。
【０３３７】
第１７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１７の通信システム構成例において、一部の波長のＴＲｘ１１が複数とそれ以外の波長のＴＲｘ１１がＳＷ１２に接続されていてもよい。他は同様である。
【０３３８】
・第１８の通信システム構成例
第１８の通信システム構成例は、送受信部（ＴＲｘ）１１と、スイッチ部（ＳＷ）１２と、制御部１４と、を備える。
【０３３９】
異なる波長（λＡ〜λＮ）のＴＲｘ１１がＳＷ１２に接続されている。ＴＲｘ１１は自律、又はＳＷ１２や制御部１４等の他の構成要素からの制御、又はＳＷ１２や制御部１４等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３４０】
ＳＷ１２が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１や制御部１４等の他の構成要素からの制御、又はＴＲｘ１１や制御部１４等の他の構成要素を介して転送された制御で制御され、ＴＲｘ１１のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３４１】
制御部１４は、ＴＲｘ１１又はＳＷ１２又は外部のオペレーションシステム（不図示）やコントローラ（不図示）や外部の装置（不図示）と接続される。制御部１４は、ＴＲｘ１１やＳＷ１２等の他の構成要素を制御、又はＴＲｘ１１やＳＷ１２等の他の構成要素を介して制御を転送する。
【０３４２】
ＴＲｘ１１やＳＷ１２や制御部１４は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０３４３】
第１８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第１８の通信システム構成例において、一部の波長のＴＲｘ１１が複数とそれ以外の波長のＴＲｘ１１がＳＷ１２に接続されていてもよい。他は同様である。
【０３４４】
・第１９の通信システム構成例
第１９の通信システム構成例は、送受信部（ＴＲｘ）１１と、スイッチ部（ＳＷ）１３と、制御部１４と、を備える。異なる波長（λＡ〜λＮ）のＴＲｘ１１がＳＷ１３に接続されている。ＴＲｘ１１は自律、又はＳＷ１３や制御部１４等の他の構成要素からの制御、又はＳＷ１３や制御部１４等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３４５】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１や制御部１４等の他の構成要素からの制御、又はＴＲｘ１１や制御部１４等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３４６】
制御部１４は、ＴＲｘ１１又はＳＷ１３又は外部のオペレーションシステム（不図示）やコントローラ（不図示）や外部の装置（不図示）と接続される。制御部１４は、ＴＲｘ１１やＳＷ１３等の他の構成要素を制御、又はＴＲｘ１１やＳＷ１３等の他の構成要素を介して制御を転送する。
【０３４７】
ＴＲｘ１１やＳＷ１３や制御部１４は、ＴＲｘ１１やＳＷ１３や等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０３４８】
第１９の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１９の通信システム構成例において、一部の波長のＴＲｘ１１が複数とそれ以外の波長のＴＲｘ１１がＳＷ１３に接続されていてもよい。他は同様である。
【０３４９】
・第２０の通信システム構成例
第２０の通信システム構成例は、送受信部（ＴＲｘ）１１と、スイッチ部（ＳＷ）１２と、プロキシ部１５と、を備える。
【０３５０】
異なる波長（λＡ〜λＮ）のＴＲｘ１１がＳＷ１２に接続されている。ＴＲｘ１１は自律、又はＳＷ１２やプロキシ部１５等の他の構成要素からの制御、又はＳＷ１２やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３５１】
ＳＷ１２がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３５２】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１２等の他の構成要素からの制御、又はＴＲｘ１１やＳＷ１２等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３５３】
ＴＲｘ１１やＳＷ１２やプロキシ部１５は、ＴＲｘ１１やＳＷ１２やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素または外部のオペレーションシステム（不図示）やコントローラ（不図示）や外部の装置（不図示）に送付してもよい。
【０３５４】
第２０の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第２０の通信システム構成例において、一部の波長のＴＲｘ１１が複数とそれ以外の波長のＴＲｘ１１がＳＷ１２に接続されていてもよい。他は同様である。
【０３５５】
・第２１の通信システム構成例
第２１の通信システム構成例は、送受信部（ＴＲｘ）１１と、スイッチ部（ＳＷ）１３と、プロキシ部１５と、と、を備える。
【０３５６】
異なる波長（λＡ〜λＮ）のＴＲｘ１１がＳＷ１３に接続されている。ＴＲｘ１１は自律、又はＳＷ１３やプロキシ部１５等の他の構成要素からの制御、又はＳＷ１３やプロキシ部１５等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３５７】
ＳＷ１３はプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３５８】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１やＳＷ１３等の他の構成要素からの制御、又はＴＲｘ１１やＳＷ１３等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３５９】
ＴＲｘ１１やＳＷ１３やプロキシ部１５は、ＴＲｘ１１やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素または外部のオペレーションシステム（不図示）やコントローラ（不図示）や外部の装置（不図示）に送付してもよい。
【０３６０】
第２１の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第２１の通信システム構成例において、一部の波長のＴＲｘ１１が複数とそれ以外の波長のＴＲｘ１１がＳＷ１３に接続されていてもよい。他は同様である。
【０３６１】
・第２２の通信システム構成例
第２２の通信システム構成例は、送受信部（ＴＲｘ）１１と、制御部１４と、プロキシ部１５と、を備える。
【０３６２】
異なる波長（λＡ〜λＮ）のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は制御部１４やプロキシ部１５等の他の構成要素からの制御、又は制御部１４やプロキシ部１５等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３６３】
制御部１４は、ＴＲｘ１１又はプロキシ部１５又は外部のオペレーションシステム（不図示）やコントローラ（不図示）や外部の装置（不図示）と接続される。制御部１４は、ＴＲｘ１１やプロキシ部１５等の他の構成要素を制御、又はＴＲｘ１１やプロキシ部１５等の他の構成要素を介して制御を転送する。
【０３６４】
プロキシ部１５は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。プロキシ部１５は自律、又はＴＲｘ１１や制御部１４等の他の構成要素からの制御、又はＴＲｘ１１や制御部１４や等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３６５】
ＴＲｘ１１や制御部１４やプロキシ部１５は、ＴＲｘ１１やプロキシ部１５や等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１プロキシ部１５等の他の構成要素または外部のオペレーションシステム（不図示）やコントローラ（不図示）や外部の装置（不図示）に送付してもよい。
【０３６６】
第２２の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第２２の通信システム構成例において、一部の波長のＴＲｘ１１が複数とそれ以外の波長のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０３６７】
・第２３の通信システム構成例
第２３の通信システム構成例は、送受信部（ＴＲｘ）１１と、スイッチ部（ＳＷ）１２と、外部サーバ１６と、を備える。
【０３６８】
異なる波長（λＡ〜λＮ）のＴＲｘ１１がＳＷ１２に接続されている。ＴＲｘ１１は自律、又はＳＷ１２や外部サーバ１６等の他の構成要素からの制御、又はＳＷ１２や外部サーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３６９】
ＳＷ１２が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１や外部サーバ１６等の他の構成要素からの制御、又はＴＲｘ１１や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３７０】
外部サーバ１６は、ＴＲｘ１１又はＳＷ１２又は外部のオペレーションシステム（不図示）やコントローラ（不図示）や外部の装置（不図示）と接続される。外部サーバ１６は、ＴＲｘ１１やＳＷ１２等の他の構成要素を制御、又はＴＲｘ１１やＳＷ１２等の他の構成要素を介して制御を転送する。
【０３７１】
ＴＲｘ１１やＳＷ１２や外部サーバ１６は、ＴＲｘ１１やＳＷ１２や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２や外部サーバ１６等の他の構成要素または外部のオペレーションシステム（不図示）やコントローラ（不図示）や外部の装置（不図示）に送付してもよい。
【０３７２】
第２３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第２３の通信システム構成例において、一部の波長のＴＲｘ１１が複数とそれ以外の波長のＴＲｘ１１がＳＷ１２に接続されていてもよい。他は同様である。
【０３７３】
・第２４の通信システム構成例
第２４の通信システム構成例は、送受信部（ＴＲｘ）１１と、スイッチ部（ＳＷ）１３と、外部サーバ１６と、を備える。
【０３７４】
異なる波長（λＡ〜λＮ）のＴＲｘ１１がＳＷ１３に接続されている。ＴＲｘ１１は自律、又はＳＷ１３や外部サーバ１６等の他の構成要素からの制御、又はＳＷ１３や外部サーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３７５】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１や外部サーバ１６等の他の構成要素からの制御、又はＴＲｘ１１や外部サーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３７６】
外部サーバ１６は、ＴＲｘ１１又はＳＷ１３又は外部のオペレーションシステム（不図示）やコントローラ（不図示）や外部の装置（不図示）と接続される。外部サーバ１６は、ＴＲｘ１１やＳＷ１３等の他の構成要素を制御、又はＴＲｘ１１やＳＷ１３等の他の構成要素を介して制御を転送する。
【０３７７】
ＴＲｘ１１やＳＷ１３や外部サーバ１６は、ＴＲｘ１１やＳＷ１３や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３や外部サーバ１６等の他の構成要素または外部のオペレーションシステム（不図示）やコントローラ（不図示）や外部の装置（不図示）に送付してもよい。
【０３７８】
第２４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されている。第２４の通信システム構成例において、一部の波長のＴＲｘ１１が複数とそれ以外の波長のＴＲｘ１１がＳＷ１３に接続されていてもよい。他は同様である。
【０３７９】
・第２５の通信システム構成例
第２５の通信システム構成例は、送受信部（ＴＲｘ）１１と、制御部１４と、外部サーバ１６と、を備える。
【０３８０】
異なる波長（λＡ〜λＮ）のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は制御部１４や外部サーバ１６等の他の構成要素からの制御、又は制御部１４や外部サーバ１６等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３８１】
制御部１４は、ＴＲｘ１１又は外部サーバ１６又は外部のオペレーションシステム（不図示）やコントローラ（不図示）や外部の装置（不図示）と接続される。制御部１４は、ＴＲｘ１１や外部サーバ１６等の他の構成要素を制御、又はＴＲｘ１１や外部サーバ１６等の他の構成要素を介して制御を転送する。
【０３８２】
外部サーバ１６は、ＴＲｘ１１又は制御部１４又は外部のオペレーションシステム（不図示）やコントローラ（不図示）や外部の装置（不図示）と接続される。外部サーバ１６は、ＴＲｘ１１や制御部１４等の他の構成要素を制御、又はＴＲｘ１１や制御部１４等の他の構成要素を介して制御を転送する。
【０３８３】
ＴＲｘ１１や制御部１４や外部サーバ１６は、ＴＲｘ１１や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１や外部サーバ１６等の他の構成要素または外部のオペレーションシステム（不図示）やコントローラ（不図示）や外部の装置（不図示）に送付してもよい。
【０３８４】
第２５の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第２５の通信システム構成例において、一部の波長のＴＲｘ１１が複数とそれ以外の波長のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０３８５】
・第２６の通信システム構成例
第２６の通信システム構成例は、送受信部（ＴＲｘ）１１と、プロキシ部１５と、外部サーバ１６と、を備える。
【０３８６】
異なる波長（λＡ〜λＮ）のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又はプロキシ部１５や外部サーバ１６等の他の構成要素からの制御、又はプロキシ部１５や外部サーバ１６等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３８７】
プロキシ部１５は自律、又はＴＲｘ１１や外部サーバ１６等の他の構成要素からの制御、又はＴＲｘ１１や外部サーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３８８】
外部サーバ１６は、ＴＲｘ１１又はプロキシ部１５又は外部のオペレーションシステム（不図示）やコントローラ（不図示）や外部の装置（不図示）と接続される。外部サーバ１６は、ＴＲｘ１１やプロキシ部１５等の他の構成要素を制御、又はＴＲｘ１１やプロキシ部１５等の他の構成要素を介して制御を転送する。
【０３８９】
ＴＲｘ１１やプロキシ部１５や外部サーバ１６は、ＴＲｘ１１やプロキシ部１５や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５や外部サーバ１６等の他の構成要素または外部のオペレーションシステム（不図示）やコントローラ（不図示）や外部の装置（不図示）に送付してもよい。
【０３９０】
第２６の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第２６の通信システム構成例において、一部の波長のＴＲｘ１１が複数とそれ以外の波長のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０３９１】
・第２７の通信システム構成例
第２７の通信システム構成例は、送受信部（ＴＲｘ）１１と、スイッチ部（ＳＷ）１２と、を備える。
【０３９２】
異なる波長（λＡ〜λＮ）のＴＲｘ１１がＳＷ１２に接続されている。ＴＲｘ１１は自律、又はＳＷ１２等の他の構成要素からの制御、又はＳＷ１２等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３９３】
ＳＷ１２が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１２は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３９４】
ＴＲｘ１１やＳＷ１２は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０３９５】
第２７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい（図２１）。第２７の通信システム構成例において、一部の波長のＴＲｘ１１が複数とそれ以外の波長のＴＲｘ１１がＳＷ１２に接続されていてもよい。他は同様である。
【０３９６】
・第２８の通信システム構成例
第２８の通信システム構成例は、送受信部（ＴＲｘ）１１と、スイッチ部（ＳＷ）１３と、を備える。
【０３９７】
異なる波長（λＡ〜λＮ）のＴＲｘ１１がＳＷ１３に接続されている。ＴＲｘ１１は自律、又はＳＷ１３等の他の構成要素からの制御、又はＳＷ１３等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０３９８】
ＳＷ１３は上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続される。ＳＷ１３は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３９９】
ＴＲｘ１１やＳＷ１３は、ＴＲｘ１１やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０４００】
第２８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第２８の通信システム構成例において、一部の波長のＴＲｘ１１が複数とそれ以外の波長のＴＲｘ１１がＳＷ１３に接続されていてもよい。他は同様である。
【０４０１】
・第２９の通信システム構成例
第２９の通信システム構成例は、送受信部（ＴＲｘ）１１と、制御部１４と、を備える。
【０４０２】
異なる波長（λＡ〜λＮ）のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は制御部１４等の他の構成要素からの制御、又は制御部１４等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０４０３】
制御部１４は、ＴＲｘ１１又は外部のオペレーションシステム（不図示）やコントローラ（不図示）や外部の装置（不図示）と接続される。制御部１４は、ＴＲｘ１１等の他の構成要素を制御、又はＴＲｘ１１等の他の構成要素を介して制御を転送する。
【０４０４】
ＴＲｘ１１や制御部１４は、ＴＲｘ１１の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１等の他の構成要素または外部のオペレーションシステム（不図示）やコントローラ（不図示）や外部の装置（不図示）に送付してもよい。
【０４０５】
第２９の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第２９の通信システム構成例において、一部の波長のＴＲｘ１１が複数とそれ以外の波長のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０４０６】
・第３０の通信システム構成例
第３０の通信システム構成例は、送受信部（ＴＲｘ）１１と、プロキシ部１５と、を備える。
【０４０７】
異なる波長（λＡ〜λＮ）のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又はプロキシ部１５等の他の構成要素からの制御、又はプロキシ部１５等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０４０８】
プロキシ部１５は自律、又はＴＲｘ１１やＳＷ１２やＳＷ１３や制御部１４や外部サーバ１６等の他の構成要素からの制御、又はＴＲｘ１１やＳＷ１２やＳＷ１３や制御部１４や外部サーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０４０９】
ＴＲｘ１１やプロキシ部１５は、ＴＲｘ１１やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５等の他の構成要素または外部のオペレーションシステム（不図示）やコントローラ（不図示）や外部の装置（不図示）に送付してもよい。
【０４１０】
第３０の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。第３０の通信システム構成例において、一部の波長のＴＲｘ１１が複数とそれ以外の波長のＴＲｘ１１がプロキシ部１５に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０４１１】
・第３１の通信システム構成例
第３１の通信システム構成例は、送受信部（ＴＲｘ）１１と、外部サーバ１６と、を備える。
【０４１２】
異なる波長（λＡ〜λＮ）のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は外部サーバ１６等の他の構成要素からの制御、又は外部サーバ１６等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０４１３】
外部サーバ１６は、ＴＲｘ１１又は外部のオペレーションシステム（不図示）やコントローラ（不図示）や外部の装置（不図示）と接続される。外部サーバ１６は、ＴＲｘ１１等の他の構成要素を制御、又はＴＲｘ１１の他の構成要素を介して制御を転送する。
【０４１４】
ＴＲｘ１１や外部サーバ１６は、ＴＲｘ１１や外部サーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１や外部サーバ１６等の他の構成要素または外部のオペレーションシステム（不図示）やコントローラ（不図示）や外部の装置（不図示）に送付してもよい。
【０４１５】
第３１の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。
第３１の通信システム構成例において、一部の波長のＴＲｘ１１が複数とそれ以外の波長のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０４１６】
・第３２の通信システム構成例
第３２の通信システム構成例は、送受信部（ＴＲｘ）１１と、を備える。
異なる波長（λＡ〜λＮ）のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されている。ＴＲｘ１１は自律、又は他の構成要素からの制御、又は他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部、又は、その組み合わせのタグの追加、削除、付替、変更無で、集約、分配、振分、複製、折返及び透過の少なくとも一つ又は全ての組み合わせで処理する。
【０４１７】
ＴＲｘ１１は、ＴＲｘ１１等の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１等の構成要素内部または外部のオペレーションシステム（不図示）やコントローラ（不図示）や外部の装置（不図示）に送付してもよい。
【０４１８】
第３２の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。
第３２の通信システム構成例において、一部の波長のＴＲｘ１１が複数とそれ以外の波長のＴＲｘ１１が上位側の装置（不図示）に直接、又は複数のＯＬＴからのトラフィックを集約や分配や振分や複製や折返や透過の少なくとも一部をする集線ＳＷ等、又は、複数のＯＬＴへのトラフィックを集約や分配や振分や複製や折返や透過の少なくとも一部をする集線ＳＷ等を介して接続されていてもよい。他は同様である。
【０４１９】
以下、実行部３と指示部５の配置例について説明する。
（第１の配置例）
ＯＬＴがＴＲｘ１１を備え、実行部３と指示部５とを分割して機能配備する例について説明する。この場合、ＯＬＴは、ＴＲｘ１１に実行部３を備える。ＯＬＴは、ＴＲｘ１１の情報処理部や、ＣＰＵ（Central Processing Unit）等の演算処理可能な箇所に指示部５を備える。実行部３が指示部５よりＰＯＮ側に配置されることが応答速度の観点から好ましいが、逆でもよく、同位置の別装置上でもよく、同一装置上の別ＶＭ上でもよい。
【０４２０】
実行部３と指示部５の入出力は、内部配線、バックボード、ＯＡＭ、主信号線、専用の配線、オペレーションシステム、コントローラ（不図示）及び制御盤（Ｃｏｎｔ盤）等の経路のいずれでもよい。ＯＮＵからの申告又は申告の複写を指示部５で直接終端して入力する場合、ＯＡＭ又は主信号にカプセル化してもよい。ＯＮＵからの申告又は申告の複写をいずれかの箇所で終端して、内部配線、バックボード、ＯＡＭ、主信号線、専用の配線、オペレーションシステム、コントローラ及び制御盤等の経路を経由して入力してもよい。ＯＡＭや主信号線を用いる場合、ＯＡＭや主信号にカプセル化することが望ましい。主信号線を通す場合はＯＳＵ又は他箇所のＳＷにて指示部５に振り分けることが望ましい。なお、これは以降の配置例でも同様である。
【０４２１】
また、第１の配置例は、通信システム構成（１−１）〜（３２−２）におけるＴＲｘ１１とＴＲｘ１１に演算処理可能な箇所を備える任意の構成に適用できる。
【０４２２】
（第２の配置例）
第２の配置例では、実行部３をＴＲｘ１１に備え、指示部５をＳＷ１２の例えば情報処理部や、ＣＰＵ等の演算処理可能な箇所に備える。その他は第１の配置例と同様である。なお、第２の配置例は、通信システム構成（１−１）〜（３２−２）におけるＴＲｘ１１とＳＷ１２に演算処理可能な箇所を備える任意の構成に適用できる。
なお、ＴＲｘ１１とＳＷ１２の演算処理可能な箇所の両方に実行部３及び指示部５が備わっていてもよい。
【０４２３】
（第３の配置例）
第３の配置例では、実行部３をＴＲｘ１１に備え、指示部５をＯＳＵの例えば情報処理部や、ＣＰＵ等の演算処理可能な箇所に備える。その他は第１の配置例と同様である。なお、第３の配置例は、通信システム構成（１−１）〜（３２−２）におけるＴＲｘ１１とＯＳＵに演算処理可能な箇所を備える任意の構成に適用できる。
なお、ＴＲｘ１１とＯＳＵの演算処理可能な箇所の両方に実行部３及び指示部５が備わっていてもよい。
【０４２４】
（第４の配置例）
第４の配置例では、実行部３をＴＲｘ１１に備え、指示部５をＳＷ１３の例えば情報処理部や、ＣＰＵ等の演算処理可能な箇所に備える。その他は第１の配置例と同様である。なお、第４の配置例は、通信システム構成（１−１）〜（３２−２）におけるＴＲｘ１１とＳＷ１３に演算処理可能な箇所を備える任意の構成に適用できる。
なお、ＴＲｘ１１とＳＷ１３の演算処理可能な箇所の両方に実行部３及び指示部５が備わっていてもよい。
【０４２５】
（第５の配置例）
第５の配置例では、実行部３をＴＲｘ１１に備え、指示部５をＯＬＴ外部の例えば制御部１４、情報処理部、制御盤又はＣＰＵ盤等の演算処理可能な箇所に備える。その他は第１の配置例と同様である。なお、第５の配置例は、通信システム構成（１−１）〜（３２−２）におけるＴＲｘ１１とＯＬＴに演算処理可能な箇所を備える任意の構成に適用できる。
なお、ＴＲｘ１１とＯＬＴの演算処理可能な箇所の両方に実行部３及び指示部５が備わっていてもよい。
【０４２６】
（第６の配置例）
第６の配置例では、実行部３をＴＲｘ１１に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の配置例と同様である。なお、第６の配置例は、通信システム構成（１−１）〜（３２−２）におけるＯＬＴ外部に演算処理可能な箇所を備える任意の構成に適用できる。
なお、ＴＲｘ１１とＯＬＴ外部の演算処理可能な箇所の両方に実行部３及び指示部５が備わっていてもよい。
【０４２７】
（第７の配置例）
第７の構成例では、実行部３をＴＲｘ１１に備え、指示部５をＯＬＴ外部の主信号ネットワーク中の例えばプロキシ部１５等の演算処理可能な箇所に備える。その他は第１の配置例と同様である。なお、第７の配置例は、通信システム構成（１−１）〜（３２−２）におけるＴＲｘ１１とＯＬＴ外部の主信号ネットワーク中に演算処理可能な箇所を備える任意の構成に適用できる。
なお、ＴＲｘ１１とＯＬＴ外部の主信号ネットワーク中の演算処理可能な箇所の両方に実行部３及び指示部５が備わっていてもよい。
【０４２８】
（第８の配置例）
第８の配置例では、実行部３をＳＷ１２に備え、指示部５をＴＲｘ１１のＣＰＵ等の例えば情報処理部や、ＣＰＵ等の演算処理可能な箇所に備える。その他は第１の配置例と同様である。なお、第８の配置例は、通信システム構成（１−１）〜（３２−２）におけるＳＷ１２とＴＲｘ１１に演算処理可能な箇所を備える任意の構成に適用できる。
なお、ＳＷ１２とＴＲｘ１１の演算処理可能な箇所の両方に実行部３及び指示部５が備わっていてもよい。
【０４２９】
（第９の配置例）
第９の配置例では、実行部３をＳＷ１２に備え、指示部５をＳＷ１２の例えば情報処理部や、ＣＰＵ等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の配置例と同様である。なお、第９の配置例は、通信システム構成（１−１）〜（３２−２）におけるＳＷ１２とＳＷ１２に演算処理可能な箇所を備える任意の構成に適用できる。
【０４３０】
（第１０の配置例）
第１０の配置例では、実行部３をＳＷ１２に備え、指示部５をＯＳＵの例えば情報処理部や、ＣＰＵ等の演算処理可能な箇所に備える。その他は第１の配置例と同様である。なお、第１０の配置例は、通信システム構成（１−１）〜（３２−２）におけるＳＷ１２とＯＳＵに演算処理可能な箇所を備える任意の構成に適用できる。
なお、ＳＷ１２とＯＳＵの演算処理可能な箇所の両方に実行部３及び指示部５が備わっていてもよい。
【０４３１】
（第１１の配置例）
第１１の配置例では、実行部３をＳＷ１２に備え、指示部５をＳＷ１３の例えば情報処理部や、ＣＰＵ等の演算処理可能な箇所に備える。その他は第１の配置例と同様である。なお、第１１の配置例は、通信システム構成（１−１）〜（３２−２）におけるＳＷ１２とＳＷ１３に演算処理可能な箇所を備える任意の構成に適用できる。
なお、ＳＷ１２とＳＷ１３の演算処理可能な箇所の両方に実行部３及び指示部５が備わっていてもよい。
【０４３２】
（第１２の配置例）
第１２の配置例では、実行部３をＳＷ１２に備え、指示部５をＯＬＴの例えば制御部１４、情報処理部、制御盤又はＣＰＵ等の演算処理可能な箇所に備える。その他は第１の配置例と同様である。なお、第１２の配置例は、通信システム構成（１−１）〜（３２−２）におけるＳＷ１２とＯＬＴに演算処理可能な箇所を備える任意の構成に適用できる。
なお、ＳＷ１２とＯＬＴの演算処理可能な箇所の両方に実行部３及び指示部５が備わっていてもよい。
【０４３３】
（第１３の配置例）
第１３の配置例では、実行部３をＳＷ１２に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の配置例と同様である。なお、第１３の配置例は、通信システム構成（１−１）〜（３２−２）におけるＳＷ１２とＯＬＴ外部に演算処理可能な箇所を備える任意の構成に適用できる。
なお、ＳＷ１２及びＯＬＴ外部の演算処理可能な箇所の両方に実行部３及び指示部５が備わっていてもよい。
【０４３４】
（第１４の配置例）
第１４の配置例では、実行部３をＳＷ１２に備え、指示部５をＯＬＴ外部の主信号ネットワーク中の例えばプロキシ部１５等の演算処理可能な箇所に備える。その他は第１の配置例と同様である。なお、第１４の配置例は、通信システム構成（１−１）〜（３２−２）におけるＳＷ１２とＯＬＴ外部の主信号ネットワーク中に演算処理可能な箇所を備える任意の構成に適用できる。
なお、ＳＷ１２及びＯＬＴ外部の主信号ネットワーク中の演算処理可能な箇所の両方に実行部３及び指示部５が備わっていてもよい。
【０４３５】
（第１５の配置例）
第１５の配置例では、実行部３をＯＳＵに備え、指示部５をＴＲｘ１１の例えば情報処理部や、ＣＰＵ等の演算処理可能な箇所に備える。その他は第１の配置例と同様である。なお、第１５の配置例は、通信システム構成（１−１）〜（３２−２）におけるＯＳＵとＴＲｘ１１に演算処理可能な箇所を備える任意の構成に適用できる。なお、ＯＳＵ及びＴＲｘ１１の演算処理可能な箇所の両方に実行部３及び指示部５が備わっていてもよい。
【０４３６】
（第１６の配置例）
第１６の配置例では、実行部３をＯＳＵに備え、指示部５をＳＷ１２の例えば情報処理部や、ＣＰＵ等の演算処理可能な箇所に備える。その他は第１の配置例と同様である。なお、第１６の配置例は、通信システム構成（１−１）〜（３２−２）におけるＯＳＵとＳＷ１２に演算処理可能な箇所を備える任意の構成に適用できる。
なお、ＯＳＵ及びＳＷ１２の演算処理可能な箇所の両方に実行部３及び指示部５が備わっていてもよい。
【０４３７】
（第１７の配置例）
第１７の配置例では、実行部３をＯＳＵに備え、指示部５をＯＳＵの例えば情報処理部や、ＣＰＵ等の演算処理可能な箇所に備える。実行部３が指示部５よりＰＯＮ近傍に配置されることが応答速度の観点から好ましいが、逆でもよく、同位置の別装置上でもよく、同一装置上の別ＶＭ上でもよい。その他は第１の配置例と同様である。なお、第１７の配置例は、通信システム構成（１−１）〜（３２−２）におけるＯＳＵとＯＳＵに演算処理可能な箇所を備える任意の構成に適用できる。
【０４３８】
（第１８の配置例）
第１８の配置例では、実行部３をＯＳＵに備え、指示部５をＳＷ１３の例えば情報処理部や、ＣＰＵ等の演算処理可能な箇所に備える。その他は第１の配置例と同様である。なお、第１８の配置例は、通信システム構成（１−１）〜（３２−２）におけるＯＳＵとＳＷ１３に演算処理可能な箇所を備える任意の構成に適用できる。
なお、ＯＳＵ及びＳＷ１３の演算処理可能な箇所の両方に実行部３及び指示部５が備わっていてもよい。
【０４３９】
（第１９の配置例）
第１９の配置例では、実行部３をＯＳＵに備え、指示部５をＯＬＴの制御部１４、情報処理部、制御盤又はＣＰＵ等の演算処理可能な箇所に備える。その他は第１の配置例と同様である。なお、第１９の配置例は、通信システム構成（１−１）〜（３２−２）におけるＯＳＵとＯＬＴに演算処理可能な箇所を備える任意の構成に適用できる。
なお、ＯＳＵ及びＯＬＴの演算処理可能な箇所の両方に実行部３及び指示部５が備わっていてもよい。
【０４４０】
（第２０の配置例）
第２０の配置例では、実行部３をＯＳＵに備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の配置例と同様である。なお、第２０の配置例は、通信システム構成（１−１）〜（３２−２）におけるＯＳＵとＯＬＴ外部に演算処理可能な箇所を備える任意の構成に適用できる。
なお、ＯＳＵとＯＬＴ外部の演算処理可能な箇所の両方に実行部３及び指示部５が備わっていてもよい。
【０４４１】
（第２１の配置例）
第２１の配置例では、実行部３をＯＳＵに備え、指示部５をＯＬＴ外部の主信号ネットワーク中の例えばプロキシ部１５等の演算処理可能な箇所に備える。その他は第１の配置例と同様である。なお、第２１の配置例は、通信システム構成（１−１）〜（３２−２）におけるＯＳＵとＯＬＴ外部の主信号ネットワーク中の演算処理可能な箇所を備える任意の構成に適用できる。
なお、ＯＳＵと主信号ネットワーク中の演算処理可能な箇所の両方に実行部３及び指示部５が備わっていてもよい。
【０４４２】
（第２２の配置例）
第２２の配置例では、実行部３をＳＷ１３に備え、指示部５をＴＲｘ１１の例えば情報処理部や、ＣＰＵ等の演算処理可能な箇所に備える。その他は第１の配置例と同様である。なお、第２２の配置例は、通信システム構成（１−１）〜（３２−２）におけるＳＷ１３とＴＲｘ１１に演算処理可能な箇所を備える任意の構成に適用できる。
なお、ＳＷ１３及びＴＲｘ１１の演算処理可能な箇所の両方に実行部３及び指示部５が備わっていてもよい。
【０４４３】
（第２３の配置例）
第２３の配置例では、実行部３をＳＷ１３に備え、指示部５をＳＷ１２の演算処理可能な箇所に備える。その他は第１の配置例と同様である。なお、第２３の配置例は、通信システム構成（１−１）〜（３２−２）におけるＳＷ１２とＳＷ１３とを備える任意の構成に適用できる。
なお、ＳＷ１３及びＳＷ１２の演算処理可能な箇所の両方に実行部３及び指示部５が備わっていてもよい。
【０４４４】
（第２４の配置例）
第２４の配置例では、実行部３をＳＷ１３に備え、指示部５をＯＳＵのＣＰＵ等の演算処理可能な箇所に備える。ＯＳＵの演算処理可能な箇所は、例えば、情報処理部、ＣＰＵである。その他は第１の配置例と同様である。なお、第２４の配置例は、通信システム構成（１−１）〜（３２−２）におけるＯＳＵに演算処理可能な箇所とＳＷ１３とを備える任意の構成に適用できる。
なお、ＳＷ１３及びＯＳＵの演算処理可能な箇所の両方に実行部３及び指示部５が備わっていてもよい。
【０４４５】
（第２５の配置例）
第２５の配置例では、実行部３をＳＷ１３に備え、指示部５をＳＷ１３の例えば情報処理部や、ＣＰＵ等の演算処理可能な箇所に備える。その他は第１の配置例と同様である。実行部３が指示部５よりＰＯＮ側に配置されることが応答速度の観点から好ましいが、逆でもよく、同位置の別装置上でもよく、同一装置上の別ＶＭ（Ｖｉｒｔｕａｌ  Ｍａｃｈｉｎｅ）上でもよい。なお、第２５の配置例は、通信システム構成（１−１）〜（３２−２）におけるＳＷ１３及びＳＷ１３に演算処理可能な箇所を備える任意の構成に適用できる。
【０４４６】
（第２６の配置例）
第２６の配置例では、実行部３をＳＷ１３に備え、指示部５をＯＬＴの例えば制御部１４や、情報処理部、制御盤又はＣＰＵ盤等の演算処理可能な箇所に備える。その他は第１の構成例と同様である。なお、第２６の構成例は、通信システム構成（１−１）〜（３２−２）におけるＳＷ１３とＯＬＴに演算処理可能な箇所を備える任意の構成に適用できる。
なお、ＳＷ１３及びＯＬＴの演算処理可能な箇所の両方に実行部３及び指示部５が備わっていてもよい。
【０４４７】
（第２７の配置例）
第２７の配置例では、実行部３をＳＷ１３に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるＳＷ１３とＯＬＴ外部の演算処理可能な箇所を備える任意の構成に適用できる。
なお、ＳＷ１３及びＯＬＴ外部の演算処理可能な箇所の両方に実行部３及び指示部５が備わっていてもよい。
【０４４８】
（第２８の配置例）
第２８の配置例では、実行部３をＯＬＴのＳＷ１３に備え、指示部５をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるＳＷ１３とＯＬＴ外部の主信号ネットワーク中に演算処理可能な箇所を備える任意の構成に適用できる。
なお、ＳＷ１３及び主信号ネットワーク中の演算処理可能な箇所の両方に実行部３及び指示部５が備わっていてもよい。
【０４４９】
（第２９の配置例）
第２９の配置例では、実行部３をＯＬＴの例えば制御部１４や、情報処理部、制御盤又はＣＰＵ盤等に備え、指示部５をＴＲｘ１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等とＴＲｘ１１に演算処理可能な箇所を備える任意の構成に適用できる。
なお、ＯＬＴの例えば制御部１４、情報処理部、制御盤又はＣＰＵ盤等及びＴＲｘ１１の演算処理可能な箇所の両方に実行部３及び指示部５が備わっていてもよい。
【０４５０】
（第３０の配置例）
第３０の配置例では、実行部３をＯＬＴの例えば制御部１４、情報処理部、制御盤又はＣＰＵ盤等に備え、指示部５をＳＷ１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とＳＷ１２に演算処理可能な箇所を備える任意の構成に適用できる。
なお、ＯＬＴ及びＳＷ１２の演算処理可能な箇所の両方に実行部３及び指示部５が備わっていてもよい。
【０４５１】
（第３１の配置例）
第３１の配置例では、実行部３をＯＬＴの例えば制御部１４、情報処理部、制御盤又はＣＰＵ盤等に備え、指示部５をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。
なお、ＯＬＴとＯＳＵの演算処理可能な箇所の両方に実行部３及び指示部５が備わっていてもよい。
【０４５２】
（第３２の配置例）
第３２の配置例では、実行部３をＯＬＴの例えば制御部１４、情報処理部、制御盤又はＣＰＵ盤等に備え、指示部５をＳＷ１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とＳＷ１３に演算処理可能な箇所を備える任意の構成に適用できる。
なお、ＯＬＴの例えば制御部１４、情報処理部、制御盤又はＣＰＵ盤等及びＳＷ１３の演算処理可能な箇所の両方に実行部３及び指示部５が備わっていてもよい。
【０４５３】
（第３３の配置例）
第３３の配置例では、実行部３をＯＬＴの例えば制御部１４、情報処理部、制御盤又はＣＰＵ盤等に備え、指示部５をＯＬＴの例えば制御部１４、情報処理部、制御盤又はＣＰＵ盤等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤及びＯＬＴに演算処理可能な箇所を備える構成に適用できる。
【０４５４】
（第３４の配置例）
第３４の配置例では、実行部３をＯＬＴの例えば制御部１４、情報処理部、制御盤又はＣＰＵ盤等に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。
なお、ＯＬＴの例えば制御部１４、情報処理部、制御盤又はＣＰＵ盤等及びＯＬＴ外部の演算処理可能な箇所の両方に実行部３及び指示部５が備わっていてもよい。
【０４５５】
（第３５の配置例）
第３５の配置例では、実行部３をＯＬＴの例えば制御部１４、情報処理部、制御盤又はＣＰＵ盤等に備え、指示部５をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。
なお、ＯＬＴの例えば制御部１４、情報処理部、制御盤又はＣＰＵ盤等及びＯＬＴ外部の主信号ネットワーク中の演算可能な箇所の両方に実行部３及び指示部５が備わっていてもよい。
【０４５６】
（第３６の配置例）
第３６の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＴＲｘ１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所及びＴＲｘ１１の演算処理可能な箇所の両方に実行部３及び指示部５が備わっていてもよい。
【０４５７】
（第３７の配置例）
第３７の配置例では、実行部３をＯＬＴ外部のセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＳＷ１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等に演算処理可能な箇所及びＳＷ１２の演算処理可能な箇所の両方に実行部３及び指示部５が備わっていてもよい。
【０４５８】
（第３８の配置例）
第３８の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＯＳＵの例えば、情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所及びＯＳＵの演算処理可能な箇所の両方に実行部３及び指示部５が備わっていてもよい。
【０４５９】
（第３９の配置例）
第３９の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＳＷ１３の例えば情報処理部や、ＣＯＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所及びＳＷ１３の演算処理可能な箇所の両方に実行部３及び指示部５が備わっていてもよい。
【０４６０】
（第４０の配置例）
第４０の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＯＬＴの制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所及びＯＬＴの演算処理可能な箇所の両方に実行部３及び指示部５が備わっていてもよい。
【０４６１】
（第４１の配置例）
第４１の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部３が指示部５よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の配置例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。
【０４６２】
（第４２の配置例）
第４２の配置例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備え、指示部５をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。
なお、ＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所及びＯＬＴ外部の主信号ネットワーク中の演算可能な箇所の両方に実行部３及び指示部５が備わっていてもよい。
【０４６３】
（第４３の配置例）
第４３の配置例では、実行部３をＯＬＴ外部の主信号ネットワーク中の例えばプロキシ部１５等の演算処理可能な箇所に備え、指示部５をＴＲｘ１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。
なお、ＯＬＴ外部の主信号ネットワーク中の例えばプロキシ部１５等の演算処理可能な箇所及びＴＲｘ１１の演算処理可能な箇所の両方に実行部３及び指示部５が備わっていてもよい。
【０４６４】
（第４４の配置例）
第４４の配置例では、実行部３をＯＬＴ外部の主信号ネットワーク中の例えばプロキシ部１５等の演算処理可能な箇所に備え、指示部５をＳＷ１２の例えば情報処理部や、ＣＯＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。
なお、ＯＬＴ外部の主信号ネットワーク中の例えばプロキシ部１５等の演算処理可能な箇所及びＳＷ１２の演算処理可能な箇所の両方に実行部３及び指示部５が備わっていてもよい。
【０４６５】
（第４５の配置例）
第４５の配置例では、実行部３をＯＬＴ外部の主信号ネットワーク中の例えばプロキシ部１５等の演算処理可能な箇所に備え、指示部５をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＳＵに演算処理可能な箇所を備える任意の構成に適用できる。
なお、ＯＬＴ外部の主信号ネットワーク中の例えばプロキシ部１５等の演算処理可能な箇所及びＯＳＵの演算処理可能な箇所の両方に実行部３及び指示部５が備わっていてもよい。
【０４６６】
（第４６の配置例）
第４６の配置例では、実行部３をＯＬＴ外部の主信号ネットワーク中の例えばプロキシ部１５等の演算処理可能な箇所な箇所に備え、指示部５をＳＷ１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とＳＷ１３に演算処理可能な箇所を備える任意の構成に適用できる。
なお、ＯＬＴ外部の主信号ネットワーク中の例えばプロキシ部１５等の演算処理可能な箇所及びＳＷ１３の演算処理可能な箇所の両方に実行部３及び指示部５が備わっていてもよい。
【０４６７】
（第４７の配置例）
第４７の配置例では、実行部３をＯＬＴ外部の主信号ネットワーク中の例えばプロキシ部１５等の演算処理可能な箇所に備え、指示部５をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等の演算処理可能な箇所及びＯＬＴの演算処理可能な箇所の両方に実行部３及び指示部５が備わっていてもよい。
【０４６８】
（第４８の配置例）
第４８の配置例では、実行部３をＯＬＴ外部の主信号ネットワーク中の例えばプロキシ部１５等の演算処理可能な箇所に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備えるその他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。
なお、ＯＬＴ外部の主信号ネットワーク中の例えばプロキシ部１５等の演算処理可能な箇所及びＯＬＴ外部の演算処理可能な箇所の両方に実行部３及び指示部５が備わっていてもよい。
【０４６９】
（第４９の配置例）
第４９の配置例では、実行部３をＯＬＴ外部の主信号ネットワーク中の例えばプロキシ部１５等の演算処理可能な箇所に備え、指示部５をＯＬＴ外部の主信号ネットワーク中の例えばプロキシ部１５等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の配置例は通信システム構成（１−１）〜（３２−２）におけるＯＬＴ外部の主信号ネットワーク中の例えばプロキシ部１５の演算処理可能な箇所及びＯＬＴ外部の主信号ネットワーク中に演算処理可能な箇所を備える任意の構成に適用できる。
【０４７０】
なお、第１の配置例から第４９の配置例において、指示部５の設定又はアルゴリズムを変更するためのインターフェース（ＩＦ）を備え、指示部５のソフトウェアを変更できるとしてもよい。
【０４７１】
また、第１の配置例から第４９の配置例において、指示部５は装置の構成要素であり、演算処理が可能な一か所の構成要素上に指示部５が配置される例を示したが、第１の配置例から第４９の配置例はこれに限定されない。指示部５は、演算処理が可能な複数の構成要素装置上、例えば複数のＣＰＵでの処理により実現してもよい。
【０４７２】
以上説明した少なくとも一つの本実施形態における通信装置１００は、汎用性を高めることによって、開発コストや又は調達コストを低減することが可能になる。具体的には、通信装置１００は、割当機能の一部を分割する。そして、通信装置１００は、分割した機能間に応じたＡＰＩを用いることによって分割した機能の入れ替えを容易にする。これにより、汎用性を高めることができる。
また、通信装置１００は、外部装置からの情報及びその外部装置からの情報の履歴を検出することで、検出結果と、通信事業者やサービス等に応じたサービスポリシーに応じた所望の割当となるように、処理を変更するように割り当て機能を分割することとして汎用性を高め、開発コストや調達コストを低減することを可能にする。
【０４７３】
上述した実施形態における通信装置１００の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Field Programmable Gate Array）等のプログラマブルロジックデバイスを用いて実現されるものであってもよい。
【０４７４】
以上、この発明の実施形態について図面を参照して詳述してきたが、具体的な構成はこの実施形態に限られるものではなく、この発明の要旨を逸脱しない範囲の設計等も含まれる。
【符号の説明】
【０４７５】
３…実行部，５…指示部，１００…通信装置，  １０１…状態取得部，  １０１１…連携制御部，  １０１２…トラフィックモニタ，  １０１３…リクエスト処理部，  １０１４…申告処理部，  １０２…割当計算部，  １０３…方針決定部，  １０４…ｇｒａｎｔ処理部
【図１】
2017212707.tif 000003
【図２】
2017212707.tif 000004
【図３】
2017212707.tif 000005
【図４】
2017212707.tif 000006
【図５】
2017212707.tif 000007
【図６】
2017212707.tif 000008
【図７】
2017212707.tif 000009
【図８】
2017212707.tif 000010
【図９】
2017212707.tif 000011
【図１０】
2017212707.tif 000012
【図１１】
2017212707.tif 000013
【図１２】
2017212707.tif 000014
【図１３】
2017212707.tif 000015
【図１４】
2017212707.tif 000016
【図１５】
2017212707.tif 000017
【図１６】
2017212707.tif 000018
【図１７】
2017212707.tif 000019
【図１８】
2017212707.tif 000020
【図１９】
2017212707.tif 000021
【図２０】
2017212707.tif 000022
【図２１】
2017212707.tif 000023
【図２２】
2017212707.tif 000024
【図２３】
2017212707.tif 000025
【図２４】
2017212707.tif 000026
【図２５】
2017212707.tif 000027
【図２６】
2017212707.tif 000028
【図２７】
2017212707.tif 000029
【図２８】
2017212707.tif 000030
【図２９】
2017212707.tif 000031
【図３０】
2017212707.tif 000032
【図３１】
2017212707.tif 000033
【図３２Ａ】
2017212707.tif 000034
【図３２Ｂ】
2017212707.tif 000035
【図３３】
2017212707.tif 000036
【図３４】
2017212707.tif 000037
【図３５】
2017212707.tif 000038
【図３６】
2017212707.tif 000039
【図３７】
2017212707.tif 000040
【図３８】
2017212707.tif 000041
【図３９】
2017212707.tif 000042
【図４０】
2017212707.tif 000043